(57)【要約】      （修正有）【課題】ウナギ、クロマグロ、サケ、マス、及びその他の魚介類を増養殖する方法を提供する。【解決手段】湾の深層にウナギのメスとオスを放ち、海岸から近い海洋の水深が30ｍから300ｍ前後の海底面上に産卵させる。この卵から孵化したプレレプトセアルスを、クロレラ１３を飼料としてワムシ１４を増養殖している水槽に移して飼育し、シラスウナギに成長させて、このシラスウナギを養鰻場にて増養殖して成鰻とする。【選択図】図２５
2015107085.tif 000002
【特許請求の範囲】
【請求項１】
ウナギ、及びクロマグロ（以下、略して、ウナギとする）は絶滅危惧種に指定をされた。絶滅危惧種への指定は、もちろん数が減ったのが原因で、天然ウナギの漁獲量は最盛期の10分の1に減っている。養鰻に使うシラスウナギは50分の1近くまで激減をしている。そこで人工的にシラスウナギを増やす種苗生産が強く期待をされている。
成鰻のウナギのメス、オスに産卵を促進させるためのホルモン注射をすると産卵をする。また、成鰻であれば、一年中、いつでも、好きな時に、産卵をさせることが出来る。けれども、産卵をした卵からシラスウナギに成長をするまでの期間が、半年から一年間と長くて、この時期の成育が、飼料の問題もあるが、陸上に於いて育成をするのには、経済的に困難である。そこで、経済的に、安価にシラスウナギを入手する手段として、陸上の産卵水槽の内部、又は養鰻場の内部にて、成鰻のウナギのメスとオスに、産卵を促進させるためのホルモン注射をしてから、産卵直前のウナギを、図8に示しているような、例えば、小さい湾で、志布志湾、又は佐伯湾、又はペルシャ湾、又は紅海、又はメキシコ湾、又はカリフォルニア湾などのように、湾の内部に川の上流から河口に水が流れ込んでいるような、湾の内部の中心部分で、水深が、30ｍから300ｍの深い場所に、産卵直前のウナギのメスとオスを放流する。または、図9、及び図10に示しているような、入り口が狭くて、奥が広い入り江の内部の、水深が、30ｍから300ｍの深い場所に、産卵直前のウナギを放流する。さらに、海岸から近い海洋の水深が30ｍから300ｍ前後の海底面上に放流をして産卵をさせる。あとは、ウナギの卵から孵化をしたプレレプトセアルスは、上層から沈降をしてくるマリンスノー、又は動物性プランクトンの死骸、又はプランクトンの糞、又はプランクトンを餌として食べて成長をしてシラスウナギとなる。このシラスウナギは干満の動きである波動により、海岸の波打ち際、又は河口に接近をしてくる。このシラスウナギを捕獲して養殖する構成なので、シラスウナギを、人工授精と自然界の種苗生産サイクルとの両方を併用して、シラスウナギの種苗生産が出来るので、シラスウナギを極く安価に、多量に、容易に入手をすることが出来ることを特徴とするシラスウナギの増養殖方法。
【請求項２】
ウナギを陸上の産卵水槽の内部、又は産卵タンクの内部、又は養鰻場の内部、又は生簀網の内部（以下、略して、産卵水槽とする）にて、産卵を促進させるためのホルモン注射をメスとオスにする。この産卵を促進させるためのホルモン注射を、７週間から８週間の間に、週１回、ホルモン注射をウナギのメスとオスにすると、ウナギのメスは卵を産卵する。
このウナギが産卵をした卵の直径は、1500μmから1700μm前後である。この直径が、1500μmから1700μm前後のウナギの卵を、例えば、日金工株式会社が製造販売をしている、商品名がエキスパンドメタルで、材質はＵ−１、又はＵ−２、又はチタン、又はアルミニウム、又は銅（以下、略して、チタンとする）で、厚さは300μmで、穴径はウナギの卵の直径である、1500μm以下の、図1に示している。ウナギの卵よりも、網目のサイズが小さい、1500μm以下のエキスパンドメタル、又はその他の金鋼（以下、略して、エキスパンドメタルとする）で出来ている、例えば、長さが60ｃｍで、横幅が60ｃｍで、高さが30ｃｍの、蓋付きの容器で、この蓋付きの容器の6面共に、穴径が1500μm以下で、ウナギの卵よりも小さいエキスパンドメタルを使用して出来ている。このエキスパンドメタルで出来ている容器の内部にウナギの卵を入れて、海流の流れが速くて、水深が30ｍから300ｍ前後のところに、ロープを使用して吊るすと、ウナギの卵は、25℃の場合には、29時間から30時間にて、ウナギの卵は孵化をしてプレレプトセアルスとなる。このウナギのプレレプトセアルスの餌としては、このエキスパンドメタルで出来ている容器に形成をしている。1500μm以下の穴径よりも小さい微生物、又はプランクトン、又はプランクトンの死骸、又はプランクトンの糞、又はマリンスノー（以下、略して、マリンスノーとする）が、海流の動きにより、容器の表面上に形成をしている穴径が1500μm以下のエキスパンドメタルにて出来ている容器の内部に、海流の動きと一緒にマリンスノーが、海水と一緒に流入をしてくる。このマリンスノーを飼料として、ウナギのプレレプトセアルスは半年から1年間の期間、マリンスノーを餌として食べて、このエキスパンドメタルで出来ている容器の内部にて、産卵をしたウナギの卵から孵化をして、幼生のプレレプトセアルスとなる。さらに、プレレプトセアルスから、ウナギの仔魚であるレプトセアルスの別名であるシラスウナギとなる。このシラスウナギを、エキスパンドメタルで出来ている容器から取り出して養鰻場にて増養殖をして成鰻とすることを特徴とするシラスウナギの増養殖方法。
【請求項３】
ウナギを陸上の産卵水槽の内部、又は産卵タンクの内部、又は養鰻場の内部、又は生簀網の内部（以下、略して、産卵水槽とする）にて、産卵を促進させるためのホルモン注射をメスとオスにする。この産卵を促進させるためのホルモン注射を、７週間から８週間の間に、週１回、ホルモン注射をウナギのメスとオスにすると、ウナギのメスは卵を産卵する。
このウナギが産卵をした卵の直径は、1500μmから1700μm前後である。この直径が、1500μmから1700μm前後のウナギの卵は、水温が25℃の場合であれば、29時間、又は30時間で、孵化をして幼生のウナギのプレレプトセアルスとなる。このウナギのプレレプトセアルスの太さは、5000μm前後である。この直径が、5000μm前後のウナギのプレレプトセアルスを、例えば、日金工株式会社が製造販売をしている、商品名がエキスパンドメタルで、材質はＵ−１、又はＵ−２、又はチタン、又はアルミニウム、又は銅（以下、略して、チタンとする）で、厚さは300μmで、穴径はウナギのプレレプトセアルスの直径である、5000μm以下の、図２に示している。ウナギのプレレプトセアルスよりも、網目のサイズが小さい、5000μm以下のエキスパンドメタルで出来ている、例えば、長さが60ｃｍで、横幅が60ｃｍで、高さが30ｃｍの、蓋付きの容器で、この蓋付きの容器の6面共に、穴径が5000μm以下で、ウナギのプレレプトセアルスよりも小さいエキスパンドメタルを使用して出来ている。このエキスパンドメタルで出来ている容器の内部にウナギのプレレプトセアルスを入れて、海流の流れが速くて、水深が30ｍから300ｍ前後のところに、ロープを使用して吊るすと、このウナギのプレレプトセアルスの餌としては、このエキスパンドメタルで出来ている容器に形成をしている。5000μm以下の穴径よりも小さい微生物、又はプランクトン、又はプランクトンの死骸、又はプランクトンの糞、又はマリンスノー（以下、略して、マリンスノーとする）が、海流の動きにより、容器の表面上に形成をしている穴径が5000μｍ以下のエキスパンドメタルにて出来ている容器の内部に、海流の動きと一緒にマリンスノーが、海水と一緒に流入をしてくる。このマリンスノーを飼料として、ウナギのプレレプトセアルスは半年から1年間の期間、マリンスノーを餌として食べて、このエキスパンドメタルで出来ている容器の内部にて仔魚のレプトセアルスとなる。このウナギのレプトセアルスがシラスウナギの別名である。このシラスウナギを、エキスパンドメタルで出来ている容器から取り出して養鰻場にて増養殖をして成鰻とすることが出来ることを特徴とするシラスウナギの増養殖方法。
【請求項４】
ウナギを陸上の産卵水槽の内部、又は産卵タンクの内部、又は養鰻場の内部、又は生簀網の内部（以下、略して、産卵水槽とする）にて、産卵を促進させるためのホルモン注射をメスとオスにする。この産卵を促進させるためのホルモン注射を、７週間から８週間の間に、週１回、ホルモン注射をウナギのメスとオスにすると、ウナギのメスは卵を産卵する。
この産卵直前のウナギのメスとオスの両方のウナギを、図7に示している、容器の4面がエキスパンドメタルで出来ている容器の内部に入れて、このエキスパンドメタルで出来ている容器の内部にて、産卵直前のウナギに産卵をさせて、オスの精子にて受精をさせる。
このウナギが産卵をした卵の直径は、1500μmから1700μm前後である。この直径が、1500μmから1700μm前後のウナギの卵を、例えば、日金工株式会社が製造販売をしている、商品名がエキスパンドメタルで、材質はＵ−１、又はＵ−２、又はチタン、又はアルミニウム、又は銅（以下、略して、チタンとする）で、厚さは300μmで、穴径はウナギの卵の直径である、1500μm以下の、図７に示している。ウナギの卵よりも、網目のサイズが小さい、1500μm以下のエキスパンドメタルで出来ている、例えば、長さが60ｃｍで、横幅が60ｃｍで、高さが30ｃｍの、蓋付きの容器で、この蓋付きの容器の6面共に、穴径が1500μm以下で、ウナギの卵よりも小さいエキスパンドメタルを使用して出来ている。このエキスパンドメタルで出来ている容器の内部に産卵直前のウナギを入れて、このエキスパンドメタルで出来ている容器の内部にて産卵をさせる。この産卵をしたウナギと、産卵をした卵を入れている、網目のサイズが、1500μm以下のエキスパンドメタルで出来ている容器を、海流の流れが速くて、水深が30ｍから300ｍ前後のところに、ロープを使用して吊るすと、ウナギの卵は、例えば、水温が25℃の場合には、29時間から30時間にて、ウナギの卵は孵化をしてプレレプトセアルスとなる。このウナギのプレレプトセアルスの餌としては、このエキスパンドメタルで出来ている容器に形成をしている。1500μm以下の穴径よりも小さい微生物、又はプランクトン、又はプランクトンの死骸、又はプランクトンの糞、又はマリンスノー（以下、略して、マリンスノーとする）が、海流の動きにより、容器の表面上に形成をしている穴径が1500μm以下のエキスパンドメタルにて出来ている容器の内部に、海流の動きと一緒にマリンスノーが、海水と一緒に流入をしてくる。このマリンスノーを飼料として、ウナギのプレレプトセアルスは半年から1年間の期間にて、このエキスパンドメタルで出来ている容器の内部にて、産卵をしたウナギの卵から孵化をして、幼生のプレレプトセアルスとなる。さらに、プレレプトセアルスから、ウナギの仔魚であるレプトセアルスの別名であるシラスウナギとなる。このシラスウナギを、エキスパンドメタルで出来ている容器から取り出して養鰻場にて増養殖をして成鰻とすることが出来ることを特徴とするシラスウナギの増養殖方法。
【請求項５】
クロマグロを陸上の産卵水槽の内部、又は産卵タンクの内部、又は養殖場の内部、又は生簀網の内部（以下、略して、産卵水槽とする）にて、産卵を促進させるためのホルモン注射をメスとオスにする。この産卵を促進させるためのホルモン注射を、７週間から８週間の間に、週１回、ホルモン注射をクロマグロのメスとオスにすると、クロマグロのメスは卵を産卵する。このクロマグロが産卵をした卵の直径は、900μmから1000μm前後である。この直径が、900μmから1000μm前後のクロマグロの卵を、例えば、日金工株式会社が製造販売をしている、商品名がエキスパンドメタルで、材質はＵ−１、又はＵ−２、又はチタン、又はアルミニウム、又は銅（以下、略して、チタンとする）で、厚さは300μmで、穴径はクロマグロの卵の直径である、900μm以下の、図３に示している。クロマグロの卵よりも、網目のサイズが小さい、900μm以下のエキスパンドメタルで出来ている、例えば、長さが60ｃｍで、横幅が60ｃｍで、高さが30ｃｍの、蓋付きの容器で、この蓋付きの容器の6面共に、穴径が900μm以下で、クロマグロの卵よりも小さいエキスパンドメタルを使用して出来ている。このエキスパンドメタルで出来ている容器の内部にクロマグロの卵を入れて、海流の流れが速くて、水深が30ｍから300ｍ前後のところに、ロープを使用して吊るすと、クロマグロの卵は孵化をしてプレレプトセアルスとなる。このクロマグロのプレレプトセアルスの餌としては、このエキスパンドメタルで出来ている容器に形成をしている。900μm以下の穴径よりも小さい微生物、又はプランクトン、又はプランクトンの死骸、又はプランクトンの糞、又はマリンスノー（以下、略して、マリンスノーとする）が、海流の動きにより、容器の表面上に形成をしている穴径が900μm以下のエキスパンドメタルにて出来ている容器の内部に、海流の動きと一緒にマリンスノーが、海水と一緒に流入をしてくる。このマリンスノーを飼料として、クロマグロのプレレプトセアルスは半年から1年間の期間、マリンスノーを餌として食べて、このエキスパンドメタルで出来ている容器の内部にて、産卵をしたクロマグロの卵から孵化をして、幼生のプレレプトセアルスとなる。さらに、クロマグロの仔魚であるレプトセアルスとなる。このクロマグロの仔魚であるレプトセアルスの別名がシビ仔、又はヨコワである。このヨコワを生簀網の内部に入れて、約2箇年間、増養殖をすると、約40ｋｇ前後のクロマグロとすることを特徴とするクロマグロの増養殖方法。
【請求項６】
クロマグロを陸上の産卵水槽の内部、又は産卵タンクの内部、又は養殖場の内部、又は生簀網の内部（以下、略して、産卵水槽とする）にて、産卵を促進させるためのホルモン注射をメスとオスにする。この産卵を促進させるためのホルモン注射を、７週間から８週間の間に、週１回、ホルモン注射をクロマグロのメスとオスにすると、クロマグロのメスは卵を産卵する。このクロマグロが産卵をしたあとの卵の直径は、900μmから1000μm前後である。この直径が、900μmから1000μm前後のクロマグロの卵は、約２日位で孵化をして幼生のクロマグロのプレレプトセアルスとなる。このクロマグロのプレレプトセアルスの太さは、約2700μｍ以下である。この直径が、約2700μm以下のクロマグロのプレレプトセアルスを、例えば、日金工株式会社が製造販売をしている、商品名がエキスパンドメタルで、材質はＵ−１、又はＵ−２、又はチタン、又はアルミニウム、又は銅（以下、略して、チタンとする）で、厚さは300μｍで、穴径はクロマグロの卵の直径である、2700μm以下の、図４に示している。クロマグロのプレレプトセアルスよりも、網目のサイズが小さい、2700μm以下のエキスパンドメタルで出来ている、例えば、長さが60ｃｍで、横幅が60ｃｍで、高さが30ｃｍの、蓋付きの容器で、この蓋付きの容器の6面共に、穴径が2700μm以下で、クロマグロの卵よりも小さいエキスパンドメタルを使用して出来ている。このエキスパンドメタルで出来ている容器の内部にクロマグロのプレレプトセアルスを入れて、海流の流れが速くて、水深が30ｍから300ｍ前後のところに、ロープを使用して吊るすと、このクロマグロのプレレプトセアルスの餌としては、このエキスパンドメタルで出来ている容器に形成をしている、2700μm以下の穴径よりも小さい微生物、又はプランクトン、又はプランクトンの死骸、又はプランクトンの糞、又はマリンスノー（以下、略して、マリンスノーとする）が、海流の動きにより、容器の表面上に形成をしている穴径が2700μm以下のエキスパンドメタルにて出来ている容器の内部に、海流の動きと一緒にマリンスノーが、海水と一緒に流入をしてくる。このマリンスノーを飼料として、クロマグロのプレレプトセアルスは半年から1年間の期間、マリンスノーを餌として食べて、このエキスパンドメタルで出来ている容器の内部にて、クロマグロのプレレプトセアルスから、クロマグロの仔魚であるレプトセアルスとなる。このクロマグロの仔魚であるレプトセアルスの別名がシビ仔、又はヨコワである。このシビ仔、又はヨコワを生簀網の内部に入れて、約2箇年間、増養殖をすると、約40ｋｇ前後のクロマグロとすることを特徴とするクロマグロの増養殖方法。
【請求項７】
クロマグロの場合も、陸上の産卵水槽の内部にて、成魚のクロマグロのメスとオスに、産卵を促進させるためのホルモン注射をしてから、産卵直前のクロマグロを、図8、図9及び図10に示しているような、入り口が狭くて、奥が広い、例えば、大村湾、又は有明海、又は鹿児島湾、又はペルシャ湾、又は紅海、又はメキシコ湾、又はカリフォルニア湾などの湾の奥の、入り江の内部に、産卵直前のクロマグロを放流して、クロマグロに産卵をさせる。あとは、入り江の内部にて、クロマグロの卵から孵化をしたプレレプトセアルスに、ワムシなどの動物性プランクトンなどの餌を与えて飼育をする。さらに、入り江の内部にて餌を与えて、シビ仔、又はヨコワから成魚のクロマグロまで、段々と大きくすると、回遊魚のクロマグロでも、餌さえ定期的に、決まった時間に餌を与えるのであれば、入り江の内部にて、卵から孵化をしたクロマグロであれば、餌付けが出来る割合が高いことが判明をした。従来、クロマグロの増養殖は生簀網を使用して増養殖をしている。この場合、約1ｋｇの仔魚のヨコワを、体重が40ｋｇの成魚のクロマグロに成長をさせるのには、約２箇年間の期間が必要である。この生簀網を使用してクロマグロを増養殖するのと、入り江の内部にて、クロマグロを餌付けして放し飼いにて増養殖をするのとを比較すると、入り江の内部にて、クロマグロを餌付けして放し飼いにて増養殖をするほうが、圧倒的に安価にてクロマグロを増養殖することが出来る。理由としては、管理が容易で、増養殖の技術がない素人でも、クロマグロの増養殖が出来る。また、生簀網などの高価な資材が必要ない。などの理由により、立地が良い場所が必要であるが、世界中の立地が良い入り江の内部にて、クロマグロに餌付けをして放し飼いが出来ることが判明をした。この人工授精と自然界の種苗生産サイクルの両方を併用して、クロマグロの仔魚であるシビ仔、又はヨコワの種苗生産が出来るので、シビ仔、又はヨコワを極く安価に、容易に入手をすることが出来る。さらに、４０ｋｇ前後の成魚のクロマグロまで餌付けをして、クロマグロを放し飼いして成育をさせることが出来ることを特徴とするクロマグロの増養殖方法。
【請求項８】
クロマグロを増養殖する場合は、図8、図9及び図10に示しているような、入り口が狭くて、奥が広い、例えば、大村湾、又は有明海、又は鹿児島湾、又はペルシャ湾、又は紅海、又はメキシコ湾、又はカリフォルニア湾（以下、略して、大村湾とする）などの湾の奥の、入り江の奥の内部に、クロマグロを増養殖するための生簀網を設置して、この養殖網である生簀網の内部にて仔魚のシビ仔、又はヨコワからクロマグロの成魚に成長をさせた。例えば、体重が40ｋｇ前後のクロマグロに、生簀網の内部にて、産卵を促進させるためのホルモン注射を、生簀網の内部にてクロマグロに行なって、生簀網の内部にてクロマグロに産卵をさせる。あとは、生簀網の内部にてクロマグロが産卵をした魚卵である卵は、例えば、大村湾などの入り江の奥の内部に、広く拡散をして孵化をする。このクロマグロの卵から孵化をしたプレレプトセアルスに、ワムシなどの動物性プランクトンなどの餌を与えて飼育をする。さらに、入り江の内部にて餌を与えて、シビ仔、又はヨコワから成魚のクロマグロまで、段々と大きくすると、回遊魚のクロマグロでも、餌さえ定期的に、決まった時間に餌を与えるのであれば、入り江の内部にて、卵から孵化をしたクロマグロであれば、餌付けが出来る割合が高いことが判明をした。従来、クロマグロの増養殖は生簀網を使用して増養殖をしている。この場合、約1ｋｇの仔魚のシビ仔、又はヨコワを、体重が40ｋｇの成魚のクロマグロに成長をさせるのには、約２箇年間の期間が必要である。この生簀網を使用してクロマグロを増養殖するのと、入り江の内部にて、クロマグロを餌付けして放し飼いにて増養殖をするのとを比較すると、入り江の内部にて、クロマグロを餌付けして放し飼いにて増養殖をするほうが、圧倒的に安価にてクロマグロを増養殖することが出来る。理由としては、管理が容易で、増養殖の技術がない素人でも、クロマグロの増養殖が出来る。また、生簀網などの高価な資材が必要ない。などの理由により、立地が良い場所が必要であるが、世界中の立地が良い入り江の内部にて、クロマグロに餌付けをして放し飼いが出来ることが判明をした。この人工授精と自然界の種苗生産サイクルの両方を併用して、クロマグロの仔魚であるシビ仔、又はヨコワの種苗生産が出来るので、シビ仔、又はヨコワを極く安価に、容易に入手をすることが出来る。さらに、４０ｋｇ前後の成魚のクロマグロまで餌付けをして、クロマグロを放し飼いして成育をさせることが出来ることを特徴とするクロマグロの増養殖方法。
【請求項９】
クロマグロの増養殖の場合には、非導電性で網目の直径が65ｍｍの長さの生簀網を使用して、クロマグロを増養殖している。例えば、1ｋｇ前後の天然にて漁獲をされているシビ仔、又はヨコワは、網目が65ｍｍの直径の網目であれば、生簀網から逃げ出すことが出来ない。このことから生簀網の網目の直径のサイズが決まっている。けれども、網目の直径は65ｍｍ以下の生簀網を使用してもよい。この網目の直径が65ｍｍのサイズの生簀網で、直径が20ｍで、深さが20ｍの生簀網を使用してクロマグロを増養殖している。この生簀網の内部にて、約2箇年間、飼育をすると、体重が40ｋｇ前後の成魚のクロマグロとなる。昨年度の日本に於ける生産量は、約9500トンである。このクロマグロの成魚を増養殖する、生簀網の内部にて、クロマグロにホルモン注射をして産卵をさせ孵化をさせて、幼生のプレレプトセアルスにすると、生簀網の網目のサイズが65ｍｍと、大きいので、この幼生のプレレプトセアルスは、生簀網から逃げ出してしまうことになる。この問題を解決するために、従来、非導電性の生簀網を使用してクロマグロを増養殖しているのを、導電性の生簀網を開発して、この導電性の生簀網に交流電流（AC）を印加して、この導電性の生簀網からプレレプトセアルスが逃げ出すのを防止することを目的とする。この目的を達成するために、例えば、生簀網を構成している、網目の直径が65ｍｍよりも、より一段と小さくて、さらに、導電性のポリエチレンの糸、又は導電性のポリエステルの糸で出来ている漁網、又はカーボンファイバーで出来ている漁網、又はチタン、ステンレススチールの糸で出来ている漁網、又はその他の金属で出来ている導電性の漁網の生簀網、又は金網で出来ている生簀網（以下、略して、導電性の生簀網とする）を設置して、この導電性の養殖網である、導電性の生簀網の内部にて、仔魚のヨコワからクロマグロの成魚に成長をさせた。例えば、体重が40ｋｇ前後のクロマグロに、導電性の生簀網の内部にて、産卵を促進させるためのホルモン注射を、導電性の生簀網の内部にてクロマグロをに行なって、この導電性の生簀網に交流電流（AC）を印加している、導電性の生簀網の内部にてクロマグロに産卵をさせる。このクロマグロが産卵をしてからプレレプトセアルス（幼生）になるまでに、約2日間かかる。けれども、電気的な影響を受けるので、導電性の生簀網に交流電流（AC）を印加している、導電性の生簀網の内部にて産卵をした魚卵である卵、又は卵から孵化をしたプレレプトセアルスは、導電性の生簀網に交流電流（AC）を印加することにより、導電性の生簀網の内部から、クロマグロが産卵をした魚卵である卵、又は卵から孵化をしたプレレプトセアルスは、交流電流の感電の影響を受けて、導電性の生簀網の内部から外部の外海に逃げ出すことが出来なくなる。結果として、この導電性の生簀網の内部にて、クロマグロに産卵させ孵化をさせて、プレレプトセアルスとする。このプレレプトセアルスからシビ仔、又はヨコワにして、このシビ仔、又はヨコワから成魚であるクロマグロまでを、この導電性の生簀網の内部にて増養殖をすることを可能とすることが出来ることを特徴とするクロマグロの増養殖方法。
【請求項１０】
導電性の生簀網の内部にて、クロマグロに産卵をさせる場合、導電性の生簀網の内部にコンブ、アオサ、ワカメ、ヒジキなどの海藻（以下、略して、海藻とする）の表面上に産卵をさせる。クロマグロが産卵をするときには、海藻に魚卵を産み付けさせると、魚卵である卵が孵化をしてプレレプトセアルスになるまでの、約2日間、導電性の生簀網から抜け落ちる割合が低下をする。幼生のプレレプトセアルスになれば、小さい魚なので、交流電流の感電の影響を受けるので、導電性の生簀網のから逃げ出すことが出来なくなることを特徴とするクロマグロの増養殖方法。
【請求項１１】
サケ、又はマス（以下、略して、サケとする）を陸上の産卵水槽の内部、又は産卵タンクの内部、又は養殖場の内部、又は生簀網の内部（以下、略して、産卵水槽とする）にて、産卵を促進させるためのホルモン注射をメスとオスにする。この産卵を促進させるためのホルモン注射を、７週間から８週間の間に、週１回、ホルモン注射をサケのメスとオスにすると、サケのメスは卵を産卵する。このサケが産卵をした卵の直径は、2000μm前後である。この直径が、2000μm前後のサケの卵を、例えば、日金工株式会社が製造販売をしている、商品名がエキスパンドメタルで、材質はＵ−１、又はＵ−２、又はチタン、又はアルミニウム、又は銅（以下、略して、チタンとする）で、厚さは300μmで、穴径はサケの卵の直径である、2000μm以下の、図５に示している。サケの卵よりも、網目のサイズが小さい、2000μm以下のエキスパンドメタルで出来ている、例えば、長さが60ｃｍで、横幅が60ｃｍで、高さが30ｃｍの、蓋付きの容器で、この蓋付きの容器の6面共に、穴径が2000μm以下で、サケの卵よりも小さいエキスパンドメタルを使用して出来ている。このエキスパンドメタルで出来ている容器の内部にサケの卵を入れて、海流の流れが速くて、水深が30ｍから300ｍ前後のところに、ロープを使用して吊るすと、サケの卵は孵化をしてプレレプトセアルスとなる。このサケのプレレプトセアルスの餌としては、このエキスパンドメタルで出来ている容器に形成をしている、2000μm以下の穴径よりも小さい微生物、又はプランクトン、又はプランクトンの死骸、又はプランクトンの糞、又はマリンスノー（以下、略して、マリンスノーとする）が、海流の動きにより、容器の表面上に形成をしている穴径が2000μm以下の穴径のエキスパンドメタルにて出来ている容器の内部に、海流の動きと一緒にマリンスノーが、海水と一緒に流入をしてくる。このマリンスノーを飼料として、サケのプレレプトセアルスは半年から1年間の期間にて、このエキスパンドメタルで出来ている容器の内部にて、サケの成魚から産卵をした卵が孵化をして、サケのプレレプトセアルスとなり、さらに、サケの仔魚のレプトセアルスとなる。このサケの仔魚のレプトセアルスを生簀網の内部にて、約2箇年間、増養殖をすると、約5ｋｇ前後の成魚のサケとなることを特徴とするサケの増養殖方法。
【請求項１２】
サケ、又はマス（以下、略して、サケとする）を陸上の産卵水槽の内部、又は産卵タンクの内部、又は養殖場の内部、又は生簀網の内部（以下、略して、産卵水槽とする）にて、産卵を促進させるためのホルモン注射をメスとオスにする。この産卵を促進させるためのホルモン注射を、７週間から８週間の間に、週１回、ホルモン注射をサケのメスとオスにすると、サケのメスは卵を産卵する。このサケが産卵をしたあとの卵の直径は、2000μm前後である。この直径が、2000μm前後のサケの卵は、約２日位で孵化をして幼生のサケのプレレプトセアルスとなる。このサケのプレレプトセアルスの太さは6000μm前後である。この
6000μm前後のサケのプレレプトセアルスを、例えば、日金工株式会社が製造販売をしている、商品名がエキスパンドメタルで、材質はＵ−１、又はＵ−２、又はチタン、又はアルミニウム、又は銅（以下、略して、チタンとする）で、厚さは300μmで、穴径はサケのプレレプトセアルスの直径である、6000μm以下の、図５に示している。サケのプレレプトセアルスよりも、網目のサイズが小さい、6000μm以下のエキスパンドメタルで出来ている、例えば、長さが60ｃｍで、横幅が60ｃｍで、高さが30ｃｍの、蓋付きの容器で、この蓋付きの容器の6面共に、穴径が6000μm以下で、サケのプレレプトセアルスよりも小さいエキスパンドメタルを使用して出来ている。このエキスパンドメタルで出来ている容器の内部にサケのプレレプトセアルスを入れて、海流の流れが速くて、水深が30ｍから300ｍ前後のところに、ロープを使用して吊るすと、このサケのプレレプトセアルスの餌としては、このエキスパンドメタルで出来ている容器に形成をしている、6000μmの穴径よりも小さい微生物、又はプランクトン、又はプランクトンの死骸、又はプランクトンの糞、又はマリンスノー（以下、略して、マリンスノーとする）が、海流の動きにより、容器の表面上に形成をしている穴径が6000μm以下の穴径のエキスパンドメタルにて出来ている容器の内部に、海流の動きと一緒にマリンスノーが、海水と一緒に流入をしてくる。このマリンスノーを飼料として、サケのプレレプトセアルスは半年から1年間の期間にて、このエキスパンドメタルで出来ている容器の内部にて、サケの仔魚であるレプトセアルスとなる。このサケの仔魚のレプトセアルスを、図8、図9及び図10に示しているような、入り口が狭くて、奥が広い、例えば、大村湾、又は有明海、又は鹿児島湾、又はペルシャ湾、又は紅海、又はメキシコ湾、又はカリフォルニア湾などの湾の奥の、入り江の奥の内部に、サケの仔魚であるレプトセアルスを放流して、このサケの仔魚であるプレレプトセアルスに、ワムシなどの動物性プランクトンなどの餌を与えて飼育をする。さらに、入り江の内部にて餌を与えて、サケの仔魚から成魚のサケまで、段々と大きくすると、回遊魚のサケでも、餌さえ定期的に、決まった時間に餌を与えるのであれば、入り江の内部にて、サケの仔魚の、極く小さいレプトセアルスならば、餌付けが出来る割合が高いことが判明をした。従来、サケの増養殖は生簀網を使用して養殖をしている。この場合、小さいサケの仔魚を、体重が5ｋｇの成魚のサケに成長をさせるのには、約２箇年間の期間が必要である。この生簀網を使用してサケを養殖するのと、入り江の内部にて、サケを餌付けして放し飼いにて養殖をするのとを比較すると、入り江の内部にて、サケを餌付けして放し飼いにて増養殖をするほうが、圧倒的に安価にてサケを増養殖することが出来る。理由としては、管理が容易で、増養殖の技術がない素人でも、サケの増養殖が出来る。また、生簀網などの高価な資材が必要ない。などの理由により、立地が良い場所が必要であるが、世界中の立地が良い入り江の内部にて、サケに餌付けをして放し飼いが出来ることが判明をした。
この人工授精と自然界の種苗生産サイクルの両方を併用して、小さいサケの仔魚のレプトセアルスであるサケの種苗生産が出来るので、サケを極く安価に、容易に入手をすることが出来る。さらに、5ｋｇ前後の成魚のサケまで餌付けをして、サケを放し飼いして成育をさせることが出来ることを特徴とするサケの増養殖方法。
【請求項１３】
上記にて説明をした、従来のサケの増養殖事業も、本考案のウナギ、及びクロマグロの増養殖の内容と同様に、サケに1週間に1回の割合にて、7週間から8週間の期間、産卵をさせる目的にて、サケの場合も、陸上の産卵水槽の内部にて、成魚のサケのメスとオスに、産卵を促進させるためのホルモン注射をしてから、産卵直前のサケを、図8、図9及び図10に示しているような、入り口が狭くて、奥が広い、例えば、大村湾、又は有明海、又は鹿児島湾、又はペルシャ湾、又は紅海、又はメキシコ湾、又はカリフォルニア湾などの湾の奥の、入り江の内部に、産卵直前のサケを放流して、サケに産卵をさせる。あとは、入り江の内部にて、サケの卵から孵化をしたプレレプトセアルスに、ワムシなどの動物性プランクトンなどの餌を与えて飼育をする。さらに、入り江の内部にて餌を与えて、サケの仔魚から成魚のサケまで、段々と大きくすると、回遊魚のサケでも、餌さえ定期的に、決まった時間に餌を与えるのであれば、入り江の内部にて、卵から孵化をしたサケであれば、餌付けが出来る割合が高いことが判明をした。従来、サケの増養殖は生簀網を使用して養殖をしている。この場合、小さいサケの仔魚を、体重が5ｋｇの成魚のサケに成長をさせるのには、約２箇年間の期間が必要である。この生簀網を使用してサケを養殖するのと、入り江の内部にて、サケを餌付けして放し飼いにて増養殖をするのとを比較すると、入り江の内部にて、サケを餌付けして放し飼いにて増養殖をするほうが、圧倒的に安価にてサケを増養殖することが出来る。理由としては、管理が容易で、増養殖の技術がない素人でも、サケの増養殖が出来る。また、生簀網などの高価な資材が必要ない。などの理由により、立地が良い場所が必要であるが、世界中の立地が良い入り江の内部にて、サケに餌付けをして放し飼いが出来ることが判明をした。
この人工授精と自然界の種苗生産サイクルの両方を併用して、小さいサケの仔魚のレプトセアルスであるサケの種苗生産が出来るので、サケを極く安価に、容易に入手をすることが出来る。さらに、5ｋｇ前後の成魚のサケまで餌付けをして、サケを放し飼いして成育をさせることが出来ることを特徴とするサケの増養殖方法。
【請求項１４】
ワムシは動物性プランクトンである。ワムシは淡水生ワムシもあるが、塩分濃度が1.5度から3.5度にて増養殖をする。最も適している塩分濃度は1.5度前後が、最もよく増養殖をする。ワムシは無性生殖で、雌だけで増養殖をする動物性プランクトンである。
ワムシは1匹の雌が、1回に1個から3個の産卵をする。このワムシの卵の直径の大きさは、20μm前後である。このワムシの卵は２日位で孵化をして大きさが20μm前後の仔ワムシとなる。この仔ワムシは餌として緑藻類の生のクロレラ（以下、略して、クロレラとする）などを好んで食べて大きくなる。また、仔ワムシは、大きさが1μm以下の糞をする。仔ワムシは孵化をしてから５日目位にて、大きさが150μm前後の親ワムシとなる。この親ワムシの生存期間は７日位である。この親ワムシの生存期間に、親ワムシは  毎日々、１個から３個の卵を産む。また、親ワムシは大きさが1μm以上の糞をする。親ワムシに成長をしてから７日目位で死んで、1μm以下のバラバラの死骸となる。この動物性プランクトンであるワムシの死骸の、別名がマリンスノーである。このワムシの死骸は、大きさが数μm以下となる。この動物性プランクトンであるワムシを増養殖するのに、最も適しているのが、生のクロレラである。この生のクロレラを、世界で最初に増養殖をして事業化をしたのが、所在地：福岡県筑後市久富1343にある。会社名が、クロレラ工業株式会社（以下、略して、クロレラ工業とする）である。
さて、魚介類の種苗生産で、例えば、ウナギ以外の魚介類のタイ、ハマチ、コイなどの魚介類が産んだ卵が、孵化した後の餌の全てが、ワムシを使用して飼育をしている。この魚介類の卵から孵化をした段階の幼生であるプレレプトセアルスに、生のクロレラを飼料として与えて飼育をしている。この魚介類の種苗生産になくてはならない、ワムシの餌となる生のクロレラを増養殖しているのが、クロレラ工業が製造販売をしている生のクロレラである。この魚介類の種苗生産になくてはならない生のクロレラを、全世界の種苗生産業者に販売するために、ワムシの種となるワムシも、一年中、増養殖をして、ワムシの種を販売している。このワムシ14の種を、クロレラ工業の工場内にて、ワムシ14を増養殖している水槽が、図中にて示している。ワムシ増養殖水槽10（以下、略して、タンク10とする）である。このワムシ増養殖水槽10に、ワムシ14の餌となるクロレラ13を全自動にて給餌しているのが、図中に示している。商品名がワムシわくわく11で、生クロレラ自動給餌装置11（以下、略して、ワムシ自動給餌機11、又は給餌機11とする）である。このワムシ14を増養殖しているタンク10の内部温度は、28℃が最適の水温である。このワムシ増養殖水槽10の、内部温度が28℃の水温の、タンク10の内部に生まれたばかりの、ウナギの卵を入れると、ウナギの卵は28時間から29時間にて孵化をして、ウナギの幼生であるプレレプトセアルスとなる。この生まれたばかりの、ウナギの幼生であるプレレプトセアルスが生まれたタンク10の内部には、ウナギの幼生であるプレレプトセアルスが必要とする餌となる、ワムシ14の糞15、又はワムシ14の仔ワムシ18、又はワムシ14の死骸19（以下、略して、マリンスノー19とする）、又はクロレラ13の破壊物20、又はクロレラ13の残飯21などの、ウナギの幼生であるプレレプトセアルス餌となる餌が、このタンク10の内部には多量に、毎日生まれている。このワムシ14を増養殖しているタンク10の内部に、第1としては、ウナギの卵を入れると、ウナギの卵は、水温にもよるが、28時間から29時間にて孵化をして、ウナギの幼生であるプレレプトセアルスになる。このウナギの幼生であるプレレプトセアルスから、ウナギの仔魚であるレプトセアルスの、別名がシラスウナギになるまでに成長をするのに、約270日の期間がかかる。このワムシ14を増養殖しているタンク10の内部にて、ウナギの卵からシラスウナギを増養殖して飼育をすることが、このワムシ14を増養殖しているタンク10の内部にてシラスウナギの増養殖が出来ることが判明をした。第2としては、タンク10以外の、別の水槽の内部にて、ウナギの卵を孵化させる。このウナギの卵が孵化をして、ウナギの幼生であるプレレプトセアルスに、約９箇月間前後の長期間にわたり、マリンスノーなどの餌を与えて、ウナギの幼生であるプレレプトセアルスを飼育して、ウナギの仔魚であるシラスウナギまでに飼育をして成長させることが、ワムシ増養殖水槽10の内部にて、全て飼育が出来ることを発明・発見をした。このことにより、極く安価なコストにて、シラスウナギを多量に増養殖することが出来ることを特徴とするシラスウナギを増養殖する方法。
【請求項１５】
ウナギの仔魚であるシラスウナギまで飼育して成長させると、ウナギ以外の魚介類と同様に、ワムシ14を飼料として飼育をすることが出来ることを解決手段とする。
さらに、クロマグロの幼生であるプレレプトセアルスから仔魚のレプトセアルスまでに飼育して成長をさせるのには、ウナギと同様に、長期間の飼育が必要である。また、ウナギの幼生であるプレレプトセアルスと同様に、他の魚介類の幼生であるプレレプトセアルスの餌となる、ワムシ14を餌として食べることが出来ないので、ワムシ14を飼料として、クロマグロの幼生であるプレレプトセアルスを飼育することが出来ないのが、クロマグロの幼生であるプレレプトセアルスを飼育するのが難しいことが、クロマグロの仔魚であるレプトセアルスの、別名であるシビ仔、又はヨコワが高価な理由である。このクロマグロの幼生であるプレレプトセアルスも、ウナギの幼生であるプレレプトセアルスと同様に、図中に示している。商品名がワムシわくわく11で、生クロレラ自動給餌装置11（以下、略して、ワムシ自動給餌機11、又は給餌機11とする）である。このワムシ14を増養殖しているタンク10の内部温度は、28℃が最適の水温である。このワムシ増養殖水槽10の、内部温度が28℃の水温の、タンク10の内部に産卵されたばかりの、クロマグロの卵を入れると、クロマグロの卵は28時間から29時間にて孵化をして、クロマグロの幼生であるプレレプトセアルスとなる。この生まれたばかりの、クロマグロの幼生であるプレレプトセアルスが生まれたタンク10の内部には、クロマグロの幼生であるプレレプトセアルスが必要とする餌となる、ワムシ14の糞15、又はワムシ14の仔ワムシ18、又はワムシ14の死骸19（以下、略して、マリンスノー19とする）、又はクロレラ13の破壊物20、又はクロレラ13の残飯21などの、クロマグロの幼生であるプレレプトセアルスの餌となる餌が、このタンク10の内部には多量に、毎日生まれている。このワムシ14を増養殖しているタンク10の内部に、第1としては、クロマグロの卵を入れると、クロマグロの卵は、水温にもよるが、28時間から29時間にて孵化をして、クロマグロの幼生であるプレレプトセアルスになる。このクロマグロの幼生であるプレレプトセアルスから、クロマグロの仔魚であるレプトセアルスの、別名がシビ仔、又はヨコワになるまでに成長をするのに、約300日の期間がかかる。このワムシ14を増養殖しているタンク10の内部にて、クロマグロの卵からシビ仔、又はヨコワを増養殖して飼育をすることが、このワムシ14を増養殖しているタンク10の内部にてシビ仔、又はヨコワの増養殖が出来ることが判明をした。第2としては、タンク10以外の、別の水槽の内部にて、クロマグロの卵を孵化させる。このクロマグロの卵が孵化をして、クロマグロの幼生であるプレレプトセアルスに成長をしている。このクロマグロの幼生であるプレレプトセアルスを、ワムシ14を増養殖しているタンク10の内部に入れて、このタンク10の内部にて、クロマグロの幼生であるプレレプトセアルスから、クロマグロの仔魚であるレプトセアルスの、別名がシビ仔、又はヨコワになるまでに飼育をするのに、約300日の期間がかかる。このワムシ14を増養殖しているタンク10の内部にて、クロマグロの幼生であるプレレプトセアルスからシビ仔、又はヨコワを増養殖して飼育をすることが出来る。このワムシ14を増養殖しているタンク10の内部にて、クロマグロの幼生であるプレレプトセアルスからシビ仔、又はヨコワを増養殖し��飼育をすることが出来ることが判明をした。このタンク10の内部にて、クロマグロの卵、又はクロマグロの幼生であるプレレプトセアルスから、クロマグロの仔魚であるレプトセアルスの、別名がシビ仔、又はヨコワになるまでの、約300日間の長期間でも、ワムシ自動給餌機11を経由して、ワムシ14を飼育するための飼料となるクロレラ13を、例えば、水温、時間、数量を時分割して、ワムシ14を飼育しているタンク10の内部に、クロレラ13を全自動にて送り込むことが出来る。結果として、ワムシ14の飼育をコントロールすることが出来ることにより、結果として、クロマグロの幼生であるプレレプトセアルスに与える餌となる飼料のコントロールが出来ることになる。このワムシ自動給餌機11を経由して、クロレラ13をタンク10の内部に送り込んで、ワムシ14を増養殖して、このワムシ14から派生をする、ワムシ14の糞15、又はワムシ14の卵17、又はワムシ14の仔ワムシ18、又はワムシ14の死骸19（以下、略して、マリンスノー19とする）、又はクロレラ13の破壊物20、又はクロレラ13の残飯（以下、略して、マリンスノー19とする）などの、クロマグロの幼生であるプレレプトセアルスの餌となる、マリンスノーなどの飼料のコントロールが、ワムシ自動給餌機11を経由して、クロレラ13をタンク10の内部に送り込むことを管理することにより、マリンスノーなどの飼料をコントロールすることが出来る。このクロマグロの幼生であるプレレプトセアルスに、約300日間の長期間、ワムシ自動給餌機11を使用して、クロマグロの幼生であるプレレプトセアルスに自動給餌が出来るシステムを研究開発したことにより、クロマグロの卵が孵化させて、生まれたばかりのクロマグロの幼生であるプレレプトセアルスに、約10箇月間前後の長期間にわたり、マリンスノーなどの餌を与えて、クロマグロの幼生であるプレレプトセアルスを飼育して、クロマグロの仔魚であるシビ仔、又はヨコワになるまでに飼育をして成長をさせることが、ワムシ増養殖水槽10の内部にて、全て飼育が出来ることを発明・発見をした。このことにより、極く安価なコストにて、シビ仔、又はヨコワを多量に増養殖することが出来ることを解決手段とする。
また、クロマグロの仔魚であるシビ仔、又はヨコワになるまでに飼育をして成長をさせることが出来れば、その他の魚介類と同様に、ワムシ14を飼料として飼育をすることが出来ることを特徴とするクロマグロの仔魚であるシビ仔、又はヨコワを増養殖する方法。
【発明の詳細な説明】
【技術分野】
【０００１】
本発明は、絶滅危惧種に指定をされている、例えば、ウナギ、クロマグロ、サケ、マス、及びその他の魚介類を増養殖することを目的とする。
【０００２】
また、本発明は、魚介類を増養殖する場合、人工授精をして魚介類が産卵した後の卵が孵化をして、幼生であるプレレプトセアルスからレプトセアルスである仔魚に成長するまでの期間を、自然界の育児手段を応用して魚介類を増養殖することを目的とする。
【０００３】
さらに、クロレラを飼料としてワムシを増養殖している水槽の内部にてウナギ、及びクロマグロの幼生であるプレレプトセアルスを飼育することを目的とする。
【０００４】
また、クロレラを飼料としてワムシを増養殖している水槽内部の水溶液が含有をしているワムシの糞、又はワムシの卵、又はワムシの仔ワムシ、又はワムシの死骸などを飼料として、ウナギ、及びクロマグロの幼生であるプレレプトセアルスを飼育することを目的とする。
【０００５】
さらに、本発明は、魚介類を増養殖する場合、例えば、ウナギの場合であれば、ウナギのメスとオスに、毎週1回、産卵を促進するためのホルモン注射をウナギのメスとオスにすると、7週間から8週間後に、ウナギのメスは、直径が1.5ｍｍから1.7ｍｍの卵を、約100万から150万個前後を産卵する。このウナギのメスが産卵をした卵を、海水温が25℃の海水中に入れると、約29時間から30時間後には、ウナギの卵は孵化をして、ウナギの幼生である、直径が5ｍｍから7ｍｍの太さのプレレプトセアルスになる。このウナギの幼生であるプレレプトセアルスを育成するまでは困難な問題点は全くない。けれども、ウナギが産卵をした後の幼生であるプレレプトセアルスから、ウナギの仔魚であるレプトセアルスまでに成育をさせるのには、約270日が必要である。さらに、問題なのは、人間の赤子の場合は、生まれてから、3時間ごとに授乳をする。けれども、ウナギの生まれたばかりの、幼生であるプレレプトセアルスから、ウナギの仔魚であるレプトセアルスの別名である、シラスウナギに成長をするまでの、約270日の期間、日中の昼間は、2時間ごとに液状の飼料を餌として食べさせなくてはならない。このことが、シラスウナギを多量に、安価に増養殖することが出来ない理由である。このウナギが産卵をしたあとの幼生であるプレレプトセアルスから、ウナギの仔魚であるレプトセアルスに成育するまでの、約270日間の育児を自然界の種苗生産システムを応用して、プレレプトセアルスからレプトセアルスの別名であるシラスウナギを多量に、安価に増養殖することを目的とする。
【背景技術】
【０００６】
従来、ウナギの場合には、ウナギの仔魚であるシラスウナギを海岸、又は河口にて捕獲して、このシラスウナギを養鰻場にて養殖をしている。
【０００７】
また、クロマグロの場合には、クロマグロの仔魚であるシビ仔、又はヨコワを捕獲して、このシビ仔、又はヨコワを生簀網の内部にて飼育をしている。
【発明の概要】
【発明が解決しようとする課題】
【０００８】
天然ウナギの仔魚であるシラスウナギ、及び天然クロマグロの仔魚であるヨコワの段階にて捕獲して飼育をしているので、ウナギ、及びクロマグロが激減している。この課題を解決することを目的とする。
【課題を解決するための手段】
【０００９】
前記目的を達成するために、本発明の構成は、ウナギ、サケ、マス、及びクロマグロ（以下、略して、ウナギとする）を陸上の産卵水槽の内部、又は産卵タンクの内部、又は養鰻場の内部、又は生簀網の内部（以下、略して、産卵水槽とする）にて、産卵を促進させるためのホルモン注射をメスとオスにする。この産卵を促進させるためのホルモン注射をウナギのメス、オスにすると、ウナギのメスは卵を産卵する。この産卵直前のメスを入れている容器の内部にオスも入れて、この産卵直前のメスと、オスを入れている容器を、水深が30ｍから300ｍの海底に着地させて放流をすると、産卵直前のメスとオスは、水深が30ｍから300ｍの海底面上に卵を産み付ける。この卵から孵化をしたプレレプトセアルス（幼生）は、半年から一年間かけてシラスウナギに成長するまで、この水深が30ｍから300ｍの海底にて、上層から沈降をしてくる動物性プランクトンの死骸、又はマリンスノーを食べてシラスウナギとなる。この水深が30ｍから300ｍの海底面上にて、卵から孵化をしたプレレプトセアルスは、半年から一年間かけてシラスウナギになる。このシラスウナギは干満の動きにより、産卵をした水深が30ｍから300ｍの、一番近い海岸の波打ち際、又は一番近い河口に接近をしてくる。このシラスウナギを波打ち際、又は河口にて捕獲して養殖をする。
【００１０】
また、ワムシは動物性プランクトンである。ワムシは淡水生ワムシもあるが、塩分濃度が1.5度から3.5度にて増養殖をする。最も適している塩分濃度は1.5度前後が、最もよく増養殖をする。ワムシは無性生殖で、雌だけで増養殖をする動物性プランクトンである。
ワムシは1匹の雌が、1回に1個から3個の産卵をする。このワムシの卵の直径の大きさは、20μm前後である。このワムシの卵は２日位で孵化をして大きさが20μm前後の仔ワムシとなる。この仔ワムシは餌として緑藻類の生のクロレラ（以下、略して、クロレラとする）などを好んで食べて大きくなる。また、仔ワムシは、大きさが1μm以下の糞をする。仔ワムシは孵化をしてから５日目位にて、大きさが150μm前後の親ワムシとなる。この親ワムシの生存期間は７日位である。この親ワムシの生存期間に、親ワムシは  毎日々、１個から３個の卵を産む。また、親ワムシは大きさが1μm以上の糞をする。親ワムシに成長をしてから７日目位で死んで、1μm以下のバラバラの死骸となる。この動物性プランクトンであるワムシの死骸の、別名がマリンスノーである。このワムシの死骸は、大きさが数μm以下となる。この動物性プランクトンであるワムシを増養殖するのに、最も適しているのが、生のクロレラである。この生のクロレラを、世界で最初に増養殖をして事業化をしたのが、所在地：福岡県筑後市久富1343にある。会社名が、クロレラ工業株式会社（以下、略して、クロレラ工業とする）である。
さて、魚介類の種苗生産で、例えば、ウナギ以外の魚介類のタイ、ハマチ、コイなどの魚介類が産んだ卵が、孵化した後の餌の全てが、ワムシを使用して飼育をしている。この魚介類の卵から孵化をした段階の幼生であるプレレプトセアルスに、生のクロレラを飼料として与えて飼育をしている。この魚介類の種苗生産になくてはならない、ワムシの餌となる生のクロレラを増養殖しているのが、クロレラ工業が製造販売をしている生のクロレラである。この魚介類の種苗生産になくてはならない生のクロレラを、全世界の種苗生産業者に販売するために、ワムシの種となるワムシも、一年中、増養殖をして、ワムシの種を販売している。このワムシ14の種を、クロレラ工業の工場内にて、ワムシ14を増養殖している水槽が、図中にて示している。ワムシ増養殖水槽10（以下、略して、タンク10とする）である。このワムシ増養殖水槽10に、ワムシ14の餌となるクロレラ13を全自動にて給餌しているのが、図中に示している。商品名がワムシわくわく11で、生クロレラ自動給餌装置11（以下、略して、ワムシ自動給餌機11、又は給餌機11とする）である。このワムシ14を増養殖しているタンク10の内部温度は、28℃が最適の水温である。このワムシ増養殖水槽10の、内部温度が28℃の水温の、タンク10の内部に生まれたばかりの、ウナギの卵を入れると、ウナギの卵は28時間から29時間にて孵化をして、ウナギの幼生であるプレレプトセアルスとなる。この生まれたばかりの、ウナギの幼生であるプレレプトセアルスが生まれたタンク10の内部には、ウナギの幼生であるプレレプトセアルスが必要とする餌となる、ワムシ14の糞15、又はワムシ14の仔ワムシ18、又はワムシ14の死骸19（以下、略して、マリンスノー19とする）、又はクロレラ13の破壊物20、又はクロレラ13の残飯21などの、ウナギの幼生であるプレレプトセアルス餌となる餌が、このタンク10の内部には多量に、毎日生まれている。このワムシ14を増養殖しているタンク10の内部に、第1としては、ウナギの卵を入れると、ウナギの卵は、水温にもよるが、28時間から29時間にて孵化をして、ウナギの幼生であるプレレプトセアルスになる。このウナギの幼生であるプレレプトセアルスから、ウナギの仔魚であるレプトセアルスの、別名がシラスウナギになるまでに成長をするのに、約270日の期間がかかる。このワムシ14を増養殖しているタンク10の内部にて、ウナギの卵からシラスウナギを増養殖して飼育をすることが、このワムシ14を増養殖しているタンク10の内部にてシラスウナギの増養殖が出来ることが判明をした。第2としては、タンク10以外の、別の水槽の内部にて、ウナギの卵を孵化させる。このウナギの卵が孵化をして、ウナギの幼生であるプレレプトセアルスに、約９箇月間前後の長期間にわたり、マリンスノーなどの餌を与えて、ウナギの幼生であるプレレプトセアルスを飼育して、ウナギの仔魚であるシラスウナギまでに飼育をして成長させることが、ワムシ増養殖水槽10の内部にて、全て飼育が出来ることを発明・発見をした。このことにより、極く安価なコストにて、シラスウナギを多量に増養殖することが出来ることを解決手段とする。
【００１１】
さらに、ウナギの仔魚であるシラスウナギまで飼育して成長させると、ウナギ以外の魚介類と同様に、ワムシ14を飼料として飼育をすることが出来ることを解決手段とする。
さらに、クロマグロの幼生であるプレレプトセアルスから仔魚のレプトセアルスまでに飼育して成長をさせるのには、ウナギと同様に、長期間の飼育が必要である。また、ウナギの幼生であるプレレプトセアルスと同様に、他の魚介類の幼生であるプレレプトセアルスの餌となる、ワムシ14を餌として食べることが出来ないので、ワムシ14を飼料として、クロマグロの幼生であるプレレプトセアルスを飼育することが出来ないのが、クロマグロの幼生であるプレレプトセアルスを飼育するのが難しいことが、クロマグロの仔魚であるレプトセアルスの、別名であるシビ仔、又はヨコワが高価な理由である。このクロマグロの幼生であるプレレプトセアルスも、ウナギの幼生であるプレレプトセアルスと同様に、図中に示している。商品名がワムシわくわく11で、生クロレラ自動給餌装置11（以下、略して、ワムシ自動給餌機11、又は給餌機11とする）である。このワムシ14を増養殖しているタンク10の内部温度は、28℃が最適の水温である。このワムシ増養殖水槽10の、内部温度が28℃の水温の、タンク10の内部に産卵されたばかりの、クロマグロの卵を入れると、クロマグロの卵は28時間から29時間にて孵化をして、クロマグロの幼生であるプレレプトセアルスとなる。この生まれたばかりの、クロマグロの幼生であるプレレプトセアルスが生まれたタンク10の内部には、クロマグロの幼生であるプレレプトセアルスが必要とする餌となる、ワムシ14の糞15、又はワムシ14の仔ワムシ18、又はワムシ14の死骸19（以下、略して、マリンスノー19とする）、又はクロレラ13の破壊物20、又はクロレラ13の残飯21などの、クロマグロの幼生であるプレレプトセアルスの餌となる餌が、このタンク10の内部には多量に、毎日生まれている。このワムシ14を増養殖しているタンク10の内部に、第1としては、クロマグロの卵を入れると、クロマグロの卵は、水温にもよるが、28時間から29時間にて孵化をして、クロマグロの幼生であるプレレプトセアルスになる。このクロマグロの幼生であるプレレプトセアルスから、クロマグロの仔魚であるレプトセアルスの、別名がシビ仔、又はヨコワになるまでに成長をするのに、約300日の期間がかかる。このワムシ14を増養殖しているタンク10の内部にて、クロマグロの卵からシビ仔、又はヨコワを増養殖して飼育をすることが、このワムシ14を増養殖しているタンク10の内部にてシビ仔、又はヨコワの増養殖が出来ることが判明をした。第2としては、タンク10以外の、別の水槽の内部にて、クロマグロの卵を孵化させる。このクロマグロの卵が孵化をして、クロマグロの幼生であるプレレプトセアルスに成長をしている。このクロマグロの幼生であるプレレプトセアルスを、ワムシ14を増養殖しているタンク10の内部に入れて、このタンク10の内部にて、クロマグロの幼生であるプレレプトセアルスから、クロマグロの仔魚であるレプトセアルスの、別名がシビ仔、又はヨコワになるまでに飼育をするのに、約300日の期間がかかる。このワムシ14を増養殖しているタンク10の内部にて、クロマグロの幼生であるプレレプトセアルスからシビ仔、又はヨコワを増養殖して飼育をすることが出来る。このワムシ14を増養殖しているタンク10の内部にて、クロマグロの幼生であるプレレプトセアルスからシビ仔、又はヨコワを増養殖し��飼育をすることが出来ることが判明をした。このタンク10の内部にて、クロマグロの卵、又はクロマグロの幼生であるプレレプトセアルスから、クロマグロの仔魚であるレプトセアルスの、別名がシビ仔、又はヨコワになるまでの、約300日間の長期間でも、ワムシ自動給餌機11を経由して、ワムシ14を飼育するための飼料となるクロレラ13を、例えば、水温、時間、数量を時分割して、ワムシ14を飼育しているタンク10の内部に、クロレラ13を全自動にて送り込むことが出来る。結果として、ワムシ14の飼育をコントロールすることが出来ることにより、結果として、クロマグロの幼生であるプレレプトセアルスに与える餌となる飼料のコントロールが出来ることになる。このワムシ自動給餌機11を経由して、クロレラ13をタンク10の内部に送り込んで、ワムシ14を増養殖して、このワムシ14から派生をする、ワムシ14の糞15、又はワムシ14の卵17、又はワムシ14の仔ワムシ18、又はワムシ14の死骸19（以下、略して、マリンスノー19とする）、又はクロレラ13の破壊物20、又はクロレラ13の残飯21（以下、略して、マリンスノー19とする）などの、クロマグロの幼生であるプレレプトセアルスの餌となる、マリンスノーなどの飼料のコントロールが、ワムシ自動給餌機11を経由して、クロレラ13をタンク10の内部に送り込むことを管理することにより、マリンスノーなどの飼料をコントロールすることが出来る。このクロマグロの幼生であるプレレプトセアルスに、約300日間の長期間、ワムシ自動給餌機11を使用して、クロマグロの幼生であるプレレプトセアルスに自動給餌が出来るシステムを研究開発したことにより、クロマグロの卵が孵化させて、生まれたばかりのクロマグロの幼生であるプレレプトセアルスに、約10箇月間前後の長期間にわたり、マリンスノーなどの餌を与えて、クロマグロの幼生であるプレレプトセアルスを飼育して、クロマグロの仔魚であるシビ仔、又はヨコワになるまでに飼育をして成長をさせることが、ワムシ増養殖水槽10の内部にて、全て飼育が出来ることを発明・発見をした。このことにより、極く安価なコストにて、シビ仔、又はヨコワを多量に増養殖することが出来ることを解決手段とする。
また、クロマグロの仔魚であるシビ仔、又はヨコワになるまでに飼育をして成長をさせることが出来れば、その他の魚介類と同様に、ワムシ14を飼料として飼育をすることが出来ることを解決手段とする。
【発明の効果】
【００１２】
ウナギ、及びクロマグロ（以下、略して、ウナギとする）は絶滅危惧種に指定をされた。絶滅危惧種への指定は、もちろん数が減ったのが原因で、天然ウナギの漁獲量は最盛期の10分の1に減っている。養鰻に使うシラスウナギは50分の1近くまで激減をしている。そこで人工的にシラスウナギを増やす種苗生産が強く期待をされている。
成鰻のウナギのメス、オスに産卵を促進させるためのホルモン注射をすると産卵をする。また、成鰻であれば、一年中、いつでも、好きな時に、産卵をさせることが出来る。けれども、産卵をした卵からシラスウナギに成長をするまでの期間が、半年から一年間と長くて、この時期の成育が、飼料の問題もあるが、陸上に於いて育成をするのには、経済的に困難である。そこで、経済的に、安価にシラスウナギを入手する手段として、陸上の産卵水槽の内部、又は養鰻場の内部にて、成鰻のウナギのメスとオスに、産卵を促進させるためのホルモン注射をしてから、産卵直前のウナギを、図8に示しているような、例えば、小さい湾で、志布志湾、又は佐伯湾、又はペルシャ湾、又は紅海、又はメキシコ湾、又はカリフォルニア湾などのように、湾の内部に川の上流から河口に水が流れ込んでいるような、湾の内部の中心部分で、水深が、30ｍから300ｍの深い場所に、産卵直前のウナギのメスとオスを放流する。または、図9、及び図10に示しているような、入り口が狭くて、奥が広い入り江の内部の、水深が、30ｍから300ｍの深い場所に、産卵直前のウナギを放流する。さらに、海岸から近い海洋の水深が30ｍから300ｍ前後の海底面上に放流をして産卵をさせる。あとは、ウナギの卵から孵化をしたプレレプトセアルスは、上層から沈降をしてくるマリンスノー、又は動物性プランクトンの死骸、又はプランクトンの糞、又はプランクトンを餌として食べて成長をしてシラスウナギとなる。このシラスウナギは干満の動きである波動により、海岸の波打ち際、又は河口に接近をしてくる。このシラスウナギを捕獲して養殖する構成なので、シラスウナギを、人工授精と自然界の種苗生産サイクルとの両方を併用して、シラスウナギの種苗生産が出来るので、シラスウナギを極く安価に、多量に、容易に入手をすることが出来る効果がある。
【００１３】
また、ウナギを陸上の産卵水槽の内部、又は産卵タンクの内部、又は養鰻場の内部、又は生簀網の内部（以下、略して、産卵水槽とする）にて、産卵を促進させるためのホルモン注射をメスとオスにする。この産卵を促進させるためのホルモン注射を、７週間から８週間の間に、週１回、ホルモン注射をウナギのメスとオスにすると、ウナギのメスは卵を産卵する。
このウナギが産卵をした卵の直径は、1500μmから1700μm前後である。この直径が、1500μmから1700μm前後のウナギの卵を、例えば、日金工株式会社が製造販売をしている、商品名がエキスパンドメタルで、材質はＵ−１、又はＵ−２、又はチタン、又はアルミニウム、又は銅（以下、略して、チタンとする）で、厚さは300μmで、穴径はウナギの卵の直径である、1500μm以下の、図1に示している。ウナギの卵よりも、網目のサイズが小さい、1500μm以下のエキスパンドメタル、又はその他の金鋼（以下、略して、エキスパンドメタルとする）で出来ている、例えば、長さが60ｃｍで、横幅が60ｃｍで、高さが30ｃｍの、蓋付きの容器で、この蓋付きの容器の6面共に、穴径が1500μm以下で、ウナギの卵よりも小さいエキスパンドメタルを使用して出来ている。このエキスパンドメタルで出来ている容器の内部にウナギの卵を入れて、海流の流れが速くて、水深が30ｍから300ｍ前後のところに、ロープを使用して吊るすと、ウナギの卵は、25℃の場合には、29時間から30時間にて、ウナギの卵は孵化をしてプレレプトセアルスとなる。このウナギのプレレプトセアルスの餌としては、このエキスパンドメタルで出来ている容器に形成をしている。1500μm以下の穴径よりも小さい微生物、又はプランクトン、又はプランクトンの死骸、又はプランクトンの糞、又はマリンスノー（以下、略して、マリンスノーとする）が、海流の動きにより、容器の表面上に形成をしている穴径が1500μm以下のエキスパンドメタルにて出来ている容器の内部に、海流の動きと一緒にマリンスノーが、海水と一緒に流入をしてくる。このマリンスノーを飼料として、ウナギのプレレプトセアルスは半年から1年間の期間、マリンスノーを餌として食べて、このエキスパンドメタルで出来ている容器の内部にて、産卵をしたウナギの卵から孵化をして、幼生のプレレプトセアルスとなる。さらに、プレレプトセアルスから、ウナギの仔魚であるレプトセアルスの別名であるシラスウナギとなる。このシラスウナギを、エキスパンドメタルで出来ている容器から取り出して養鰻場にて増養殖をして成鰻とする構成とする。
【００１４】
さらに、ウナギを陸上の産卵水槽の内部、又は産卵タンクの内部、又は養鰻場の内部、又は生簀網の内部（以下、略して、産卵水槽とする）にて、産卵を促進させるためのホルモン注射をメスとオスにする。この産卵を促進させるためのホルモン注射を、７週間から８週間の間に、週１回、ホルモン注射をウナギのメスとオスにすると、ウナギのメスは卵を産卵する。
このウナギが産卵をした卵の直径は、1500μmから1700μm前後である。この直径が、1500μmから1700μm前後のウナギの卵は、水温が25℃の場合であれば、29時間、又は30時間で、孵化をして幼生のウナギのプレレプトセアルスとなる。このウナギのプレレプトセアルスの太さは、5000μm前後である。この直径が、5000μm前後のウナギのプレレプトセアルスを、例えば、日金工株式会社が製造販売をしている、商品名がエキスパンドメタルで、材質はＵ−１、又はＵ−２、又はチタン、又はアルミニウム、又は銅（以下、略して、チタンとする）で、厚さは300μmで、穴径はウナギのプレレプトセアルスの直径である、5000μm以下の、図２に示している。ウナギのプレレプトセアルスよりも、網目のサイズが小さい、5000μm以下のエキスパンドメタルで出来ている、例えば、長さが60ｃｍで、横幅が60ｃｍで、高さが30ｃｍの、蓋付きの容器で、この蓋付きの容器の6面共に、穴径が5000μm以下で、ウナギのプレレプトセアルスよりも小さいエキスパンドメタルを使用して出来ている。このエキスパンドメタルで出来ている容器の内部にウナギのプレレプトセアルスを入れて、海流の流れが速くて、水深が30ｍから300ｍ前後のところに、ロープを使用して吊るすと、このウナギのプレレプトセアルスの餌としては、このエキスパンドメタルで出来ている容器に形成をしている。5000μm以下の穴径よりも小さい微生物、又はプランクトン、又はプランクトンの死骸、又はプランクトンの糞、又はマリンスノー（以下、略して、マリンスノーとする）が、海流の動きにより、容器の表面上に形成をしている穴径が5000μｍ以下のエキスパンドメタルにて出来ている容器の内部に、海流の動きと一緒にマリンスノーが、海水と一緒に流入をしてくる。このマリンスノーを飼料として、ウナギのプレレプトセアルスは半年から1年間の期間、マリンスノーを餌として食べて、このエキスパンドメタルで出来ている容器の内部にて仔魚のレプトセアルスとなる。このウナギのレプトセアルスがシラスウナギの別名である。このシラスウナギを、エキスパンドメタルで出来ている容器から取り出して養鰻場にて増養殖をして成鰻とする構成とする。
【００１５】
また、ウナギを陸上の産卵水槽の内部、又は産卵タンクの内部、又は養鰻場の内部、又は生簀網の内部（以下、略して、産卵水槽とする）にて、産卵を促進させるためのホルモン注射をメスとオスにする。この産卵を促進させるためのホルモン注射を、７週間から８週間の間に、週１回、ホルモン注射をウナギのメスとオスにすると、ウナギのメスは卵を産卵する。
この産卵直前のウナギのメスとオスの両方のウナギを、図7に示している、容器の4面がエキスパンドメタルで出来ている容器の内部に入れて、このエキスパンドメタルで出来ている容器の内部にて、産卵直前のウナギに産卵をさせて、オスの精子にて受精をさせる。
このウナギが産卵をした卵の直径は、1500μmから1700μm前後である。この直径が、1500μmから1700μm前後のウナギの卵を、例えば、日金工株式会社が製造販売をしている、商品名がエキスパンドメタルで、材質はＵ−１、又はＵ−２、又はチタン、又はアルミニウム、又は銅（以下、略して、チタンとする）で、厚さは300μmで、穴径はウナギの卵の直径である、1500μm以下の、図７に示している。ウナギの卵よりも、網目のサイズが小さい、1500μm以下のエキスパンドメタルで出来ている、例えば、長さが60ｃｍで、横幅が60ｃｍで、高さが30ｃｍの、蓋付きの容器で、この蓋付きの容器の6面共に、穴径が1500μm以下で、ウナギの卵よりも小さいエキスパンドメタルを使用して出来ている。このエキスパンドメタルで出来ている容器の内部に産卵直前のウナギを入れて、このエキスパンドメタルで出来ている容器の内部にて産卵をさせる。この産卵をしたウナギと、産卵をした卵を入れている、網目のサイズが、1500μm以下のエキスパンドメタルで出来ている容器を、海流の流れが速くて、水深が30ｍから300ｍ前後のところに、ロープを使用して吊るすと、ウナギの卵は、例えば、水温が25℃の場合には、29時間から30時間にて、ウナギの卵は孵化をしてプレレプトセアルスとなる。このウナギのプレレプトセアルスの餌としては、このエキスパンドメタルで出来ている容器に形成をしている。1500μm以下の穴径よりも小さい微生物、又はプランクトン、又はプランクトンの死骸、又はプランクトンの糞、又はマリンスノー（以下、略して、マリンスノーとする）が、海流の動きにより、容器の表面上に形成をしている穴径が1500μm以下のエキスパンドメタルにて出来ている容器の内部に、海流の動きと一緒にマリンスノーが、海水と一緒に流入をしてくる。このマリンスノーを飼料として、ウナギのプレレプトセアルスは半年から1年間の期間にて、このエキスパンドメタルで出来ている容器の内部にて、産卵をしたウナギの卵から孵化をして、幼生のプレレプトセアルスとなる。さらに、プレレプトセアルスから、ウナギの仔魚であるレプトセアルスの別名であるシラスウナギとなる。このシラスウナギを、エキスパンドメタルで出来ている容器から取り出して養鰻場にて増養殖をして成鰻とする構成とする。
【００１６】
さらに、クロマグロを陸上の産卵水槽の内部、又は産卵タンクの内部、又は養殖場の内部、又は生簀網の内部（以下、略して、産卵水槽とする）にて、産卵を促進させるためのホルモン注射をメスとオスにする。この産卵を促進させるためのホルモン注射を、７週間から８週間の間に、週１回、ホルモン注射をクロマグロのメスとオスにすると、クロマグロのメスは卵を産卵する。このクロマグロが産卵をした卵の直径は、900μmから1000μm前後である。この直径が、900μmから1000μm前後のクロマグロの卵を、例えば、日金工株式会社が製造販売をしている、商品名がエキスパンドメタルで、材質はＵ−１、又はＵ−２、又はチタン、又はアルミニウム、又は銅（以下、略して、チタンとする）で、厚さは300μmで、穴径はクロマグロの卵の直径である、900μm以下の、図３に示している。クロマグロの卵よりも、網目のサイズが小さい、900μm以下のエキスパンドメタルで出来ている、例えば、長さが60ｃｍで、横幅が60ｃｍで、高さが30ｃｍの、蓋付きの容器で、この蓋付きの容器の6面共に、穴径が900μm以下で、クロマグロの卵よりも小さいエキスパンドメタルを使用して出来ている。このエキスパンドメタルで出来ている容器の内部にクロマグロの卵を入れて、海流の流れが速くて、水深が30ｍから300ｍ前後のところに、ロープを使用して吊るすと、クロマグロの卵は孵化をしてプレレプトセアルスとなる。このクロマグロのプレレプトセアルスの餌としては、このエキスパンドメタルで出来ている容器に形成をしている。900μm以下の穴径よりも小さい微生物、又はプランクトン、又はプランクトンの死骸、又はプランクトンの糞、又はマリンスノー（以下、略して、マリンスノーとする）が、海流の動きにより、容器の表面上に形成をしている穴径が900μm以下のエキスパンドメタルにて出来ている容器の内部に、海流の動きと一緒にマリンスノーが、海水と一緒に流入をしてくる。このマリンスノーを飼料として、クロマグロのプレレプトセアルスは半年から1年間の期間、マリンスノーを餌として食べて、このエキスパンドメタルで出来ている容器の内部にて、産卵をしたクロマグロの卵から孵化をして、幼生のプレレプトセアルスとなる。さらに、クロマグロの仔魚であるレプトセアルスとなる。このクロマグロの仔魚であるレプトセアルスの別名がシビ仔、又はヨコワである。このヨコワを生簀網の内部に入れて、約2箇年間、増養殖をすると、約40ｋｇ前後のクロマグロとなる効果がある。
【００１７】
また、クロマグロを陸上の産卵水槽の内部、又は産卵タンクの内部、又は養殖場の内部、又は生簀網の内部（以下、略して、産卵水槽とする）にて、産卵を促進させるためのホルモン注射をメスとオスにする。この産卵を促進させるためのホルモン注射を、７週間から８週間の間に、週１回、ホルモン注射をクロマグロのメスとオスにすると、クロマグロのメスは卵を産卵する。このクロマグロが産卵をしたあとの卵の直径は、900μmから1000μm前後である。この直径が、900μmから1000μm前後のクロマグロの卵は、約２日位で孵化をして幼生のクロマグロのプレレプトセアルスとなる。このクロマグロのプレレプトセアルスの太さは、約2700μｍ以下である。この直径が、約2700μm以下のクロマグロのプレレプトセアルスを、例えば、日金工株式会社が製造販売をしている、商品名がエキスパンドメタルで、材質はＵ−１、又はＵ−２、又はチタン、又はアルミニウム、又は銅（以下、略して、チタンとする）で、厚さは300μｍで、穴径はクロマグロの卵の直径である、2700μm以下の、図４に示している。クロマグロのプレレプトセアルスよりも、網目のサイズが小さい、2700μm以下のエキスパンドメタルで出来ている、例えば、長さが60ｃｍで、横幅が60ｃｍで、高さが30ｃｍの、蓋付きの容器で、この蓋付きの容器の6面共に、穴径が2700μm以下で、クロマグロの卵よりも小さいエキスパンドメタルを使用して出来ている。このエキスパンドメタルで出来ている容器の内部にクロマグロのプレレプトセアルスを入れて、海流の流れが速くて、水深が30ｍから300ｍ前後のところに、ロープを使用して吊るすと、このクロマグロのプレレプトセアルスの餌としては、このエキスパンドメタルで出来ている容器に形成をしている、2700μm以下の穴径よりも小さい微生物、又はプランクトン、又はプランクトンの死骸、又はプランクトンの糞、又はマリンスノー（以下、略して、マリンスノーとする）が、海流の動きにより、容器の表面上に形成をしている穴径が2700μm以下のエキスパンドメタルにて出来ている容器の内部に、海流の動きと一緒にマリンスノーが、海水と一緒に流入をしてくる。このマリンスノーを飼料として、クロマグロのプレレプトセアルスは半年から1年間の期間、マリンスノーを餌として食べて、このエキスパンドメタルで出来ている容器の内部にて、クロマグロのプレレプトセアルスから、クロマグロの仔魚であるレプトセアルスとなる。このクロマグロの仔魚であるレプトセアルスの別名がシビ仔、又はヨコワである。このシビ仔、又はヨコワを生簀網の内部に入れて、約2箇年間、増養殖をすると、約40ｋｇ前後のクロマグロとなる効果がある。
【００１８】
さらに、クロマグロの場合も、陸上の産卵水槽の内部にて、成魚のクロマグロのメスとオスに、産卵を促進させるためのホルモン注射をしてから、産卵直前のクロマグロを、図8、図9及び図10に示しているような、入り口が狭くて、奥が広い、例えば、大村湾、又は有明海、又は鹿児島湾、又はペルシャ湾、又は紅海、又はメキシコ湾、又はカリフォルニア湾などの湾の奥の、入り江の内部に、産卵直前のクロマグロを放流して、クロマグロに産卵をさせる。あとは、入り江の内部にて、クロマグロの卵から孵化をしたプレレプトセアルスに、ワムシなどの動物性プランクトンなどの餌を与えて飼育をする。さらに、入り江の内部にて餌を与えて、シビ仔、又はヨコワから成魚のクロマグロまで、段々と大きくすると、回遊魚のクロマグロでも、餌さえ定期的に、決まった時間に餌を与えるのであれば、入り江の内部にて、卵から孵化をしたクロマグロであれば、餌付けが出来る割合が高いことが判明をした。従来、クロマグロの増養殖は生簀網を使用して増養殖をしている。この場合、約1ｋｇの仔魚のヨコワを、体重が40ｋｇの成魚のクロマグロに成長をさせるのには、約２箇年間の期間が必要である。この生簀網を使用してクロマグロを増養殖するのと、入り江の内部にて、クロマグロを餌付けして放し飼いにて増養殖をするのとを比較すると、入り江の内部にて、クロマグロを餌付けして放し飼いにて増養殖をするほうが、圧倒的に安価にてクロマグロを増養殖することが出来る。理由としては、管理が容易で、増養殖の技術がない素人でも、クロマグロの増養殖が出来る。また、生簀網などの高価な資材が必要ない。などの理由により、立地が良い場所が必要であるが、世界中の立地が良い入り江の内部にて、クロマグロに餌付けをして放し飼いが出来ることが判明をした。この人工授精と自然界の種苗生産サイクルの両方を併用して、クロマグロの仔魚であるシビ仔、又はヨコワの種苗生産が出来るので、シビ仔、又はヨコワを極く安価に、容易に入手をすることが出来る。さらに、４０ｋｇ前後の成魚のクロマグロまで餌付けをして、クロマグロを放し飼いして成育をさせることが出来る効果がある。
【００１９】
また、クロマグロを増養殖する場合は、図8、図9及び図10に示しているような、入り口が狭くて、奥が広い、例えば、大村湾、又は有明海、又は鹿児島湾、又はペルシャ湾、又は紅海、又はメキシコ湾、又はカリフォルニア湾（以下、略して、大村湾とする）などの湾の奥の、入り江の奥の内部に、クロマグロを増養殖するための生簀網を設置して、この養殖網である生簀網の内部にて仔魚のシビ仔、又はヨコワからクロマグロの成魚に成長をさせた。例えば、体重が40ｋｇ前後のクロマグロに、生簀網の内部にて、産卵を促進させるためのホルモン注射を、生簀網の内部にてクロマグロに行なって、生簀網の内部にてクロマグロに産卵をさせる。あとは、生簀網の内部にてクロマグロが産卵をした魚卵である卵は、例えば、大村湾などの入り江の奥の内部に、広く拡散をして孵化をする。このクロマグロの卵から孵化をしたプレレプトセアルスに、ワムシなどの動物性プランクトンなどの餌を与えて飼育をする。さらに、入り江の内部にて餌を与えて、シビ仔、又はヨコワから成魚のクロマグロまで、段々と大きくすると、回遊魚のクロマグロでも、餌さえ定期的に、決まった時間に餌を与えるのであれば、入り江の内部にて、卵から孵化をしたクロマグロであれば、餌付けが出来る割合が高いことが判明をした。従来、クロマグロの増養殖は生簀網を使用して増養殖をしている。この場合、約1ｋｇの仔魚のシビ仔、又はヨコワを、体重が40ｋｇの成魚のクロマグロに成長をさせるのには、約２箇年間の期間が必要である。この生簀網を使用してクロマグロを増養殖するのと、入り江の内部にて、クロマグロを餌付けして放し飼いにて増養殖をするのとを比較すると、入り江の内部にて、クロマグロを餌付けして放し飼いにて増養殖をするほうが、圧倒的に安価にてクロマグロを増養殖することが出来る。理由としては、管理が容易で、増養殖の技術がない素人でも、クロマグロの増養殖が出来る。また、生簀網などの高価な資材が必要ない。などの理由により、立地が良い場所が必要であるが、世界中の立地が良い入り江の内部にて、クロマグロに餌付けをして放し飼いが出来ることが判明をした。この人工授精と自然界の種苗生産サイクルの両方を併用して、クロマグロの仔魚であるシビ仔、又はヨコワの種苗生産が出来るので、シビ仔、又はヨコワを極く安価に、容易に入手をすることが出来る。さらに、４０ｋｇ前後の成魚のクロマグロまで餌付けをして、クロマグロを放し飼いして成育をさせることが出来る効果がある。
【００２０】
さらに、クロマグロの増養殖の場合には、非導電性で網目の直径が65ｍｍの長さの生簀網を使用して、クロマグロを増養殖している。例えば、1ｋｇ前後の天然にて漁獲をされているシビ仔、又はヨコワは、網目が65ｍｍの直径の網目であれば、生簀網から逃げ出すことが出来ない。このことから生簀網の網目の直径のサイズが決まっている。けれども、網目の直径は65ｍｍ以下の生簀網を使用してもよい。この網目の直径が65ｍｍのサイズの生簀網で、直径が20ｍで、深さが20ｍの生簀網を使用してクロマグロを増養殖している。この生簀網の内部にて、約2箇年間、飼育をすると、体重が40ｋｇ前後の成魚のクロマグロとなる。昨年度の日本に於ける生産量は、約9500トンである。このクロマグロの成魚を増養殖する、生簀網の内部にて、クロマグロにホルモン注射をして産卵をさせ孵化をさせて、幼生のプレレプトセアルスにすると、生簀網の網目のサイズが65ｍｍと、大きいので、この幼生のプレレプトセアルスは、生簀網から逃げ出してしまうことになる。この問題を解決するために、従来、非導電性の生簀網を使用してクロマグロを増養殖しているのを、導電性の生簀網を開発して、この導電性の生簀網に交流電流（AC）を印加して、この導電性の生簀網からプレレプトセアルスが逃げ出すのを防止することを目的とする。この目的を達成するために、例えば、生簀網を構成している、網目の直径が65ｍｍよりも、より一段と小さくて、さらに、導電性のポリエチレンの糸、又は導電性のポリエステルの糸で出来ている漁網、又はカーボンファイバーで出来ている漁網、又はチタン、ステンレススチールの糸で出来ている漁網、又はその他の金属で出来ている導電性の漁網の生簀網、又は金網で出来ている生簀網（以下、略して、導電性の生簀網とする）を設置して、この導電性の養殖網である、導電性の生簀網の内部にて、仔魚のヨコワからクロマグロの成魚に成長をさせた。例えば、体重が40ｋｇ前後のクロマグロに、導電性の生簀網の内部にて、産卵を促進させるためのホルモン注射を、導電性の生簀網の内部にてクロマグロをに行なって、この導電性の生簀網に交流電流（AC）を印加している、導電性の生簀網の内部にてクロマグロに産卵をさせる。このクロマグロが産卵をしてからプレレプトセアルス（幼生）になるまでに、約2日間かかる。けれども、電気的な影響を受けるので、導電性の生簀網に交流電流（AC）を印加している、導電性の生簀網の内部にて産卵をした魚卵である卵、又は卵から孵化をしたプレレプトセアルスは、導電性の生簀網に交流電流（AC）を印加することにより、導電性の生簀網の内部から、クロマグロが産卵をした魚卵である卵、又は卵から孵化をしたプレレプトセアルスは、交流電流の感電の影響を受けて、導電性の生簀網の内部から外部の外海に逃げ出すことが出来なくなる。結果として、この導電性の生簀網の内部にて、クロマグロに産卵させ孵化をさせて、プレレプトセアルスとする。このプレレプトセアルスからシビ仔、又はヨコワにして、このシビ仔、又はヨコワから成魚であるクロマグロまでを、この導電性の生簀網の内部にて増養殖をすることを可能とすることが出来る効果がある。
【００２１】
また、導電性の生簀網の内部にて、クロマグロに産卵をさせる場合、導電性の生簀網の内部にコンブ、アオサ、ワカメ、ヒジキなどの海藻（以下、略して、海藻とする）の表面上に産卵をさせる。クロマグロが産卵をするときには、海藻に魚卵を産み付けさせると、魚卵である卵が孵化をしてプレレプトセアルスになるまでの、約2日間、導電性の生簀網から抜け落ちる割合が低下をする。幼生のプレレプトセアルスになれば、小さい魚なので、交流電流の感電の影響を受けるので、導電性の生簀網のから逃げ出すことが出来なくなる効果がある。
【００２２】
さらに、サケ、又はマス（以下、略して、サケとする）を陸上の産卵水槽の内部、又は産卵タンクの内部、又は養殖場の内部、又は生簀網の内部（以下、略して、産卵水槽とする）にて、産卵を促進させるためのホルモン注射をメスとオスにする。この産卵を促進させるためのホルモン注射を、７週間から８週間の間に、週１回、ホルモン注射をサケのメスとオスにすると、サケのメスは卵を産卵する。このサケが産卵をした卵の直径は、2000μm前後である。この直径が、2000μm前後のサケの卵を、例えば、日金工株式会社が製造販売をしている、商品名がエキスパンドメタルで、材質はＵ−１、又はＵ−２、又はチタン、又はアルミニウム、又は銅（以下、略して、チタンとする）で、厚さは300μmで、穴径はサケの卵の直径である、2000μm以下の、図５に示している。サケの卵よりも、網目のサイズが小さい、2000μm以下のエキスパンドメタルで出来ている、例えば、長さが60ｃｍで、横幅が60ｃｍで、高さが30ｃｍの、蓋付きの容器で、この蓋付きの容器の6面共に、穴径が2000μm以下で、サケの卵よりも小さいエキスパンドメタルを使用して出来ている。このエキスパンドメタルで出来ている容器の内部にサケの卵を入れて、海流の流れが速くて、水深が30ｍから300ｍ前後のところに、ロープを使用して吊るすと、サケの卵は孵化をしてプレレプトセアルスとなる。このサケのプレレプトセアルスの餌としては、このエキスパンドメタルで出来ている容器に形成をしている、2000μm以下の穴径よりも小さい微生物、又はプランクトン、又はプランクトンの死骸、又はプランクトンの糞、又はマリンスノー（以下、略して、マリンスノーとする）が、海流の動きにより、容器の表面上に形成をしている穴径が2000μm以下の穴径のエキスパンドメタルにて出来ている容器の内部に、海流の動きと一緒にマリンスノーが、海水と一緒に流入をしてくる。このマリンスノーを飼料として、サケのプレレプトセアルスは半年から1年間の期間にて、このエキスパンドメタルで出来ている容器の内部にて、サケの成魚から産卵をした卵が孵化をして、サケのプレレプトセアルスとなり、さらに、サケの仔魚のレプトセアルスとなる。このサケの仔魚のレプトセアルスを生簀網の内部にて、約2箇年間、増養殖をすると、約5ｋｇ前後の成魚のサケとなる効果がある。
【００２３】
また、サケ、又はマス（以下、略して、サケとする）を陸上の産卵水槽の内部、又は産卵タンクの内部、又は養殖場の内部、又は生簀網の内部（以下、略して、産卵水槽とする）にて、産卵を促進させるためのホルモン注射をメスとオスにする。この産卵を促進させるためのホルモン注射を、７週間から８週間の間に、週１回、ホルモン注射をサケのメスとオスにすると、サケのメスは卵を産卵する。このサケが産卵をしたあとの卵の直径は、2000μm前後である。この直径が、2000μm前後のサケの卵は、約２日位で孵化をして幼生のサケのプレレプトセアルスとなる。このサケのプレレプトセアルスの太さは6000μm前後である。この
6000μm前後のサケのプレレプトセアルスを、例えば、日金工株式会社が製造販売をしている、商品名がエキスパンドメタルで、材質はＵ−１、又はＵ−２、又はチタン、又はアルミニウム、又は銅（以下、略して、チタンとする）で、厚さは300μmで、穴径はサケのプレレプトセアルスの直径である、6000μm以下の、図５に示している。サケのプレレプトセアルスよりも、網目のサイズが小さい、6000μm以下のエキスパンドメタルで出来ている、例えば、長さが60ｃｍで、横幅が60ｃｍで、高さが30ｃｍの、蓋付きの容器で、この蓋付きの容器の6面共に、穴径が6000μm以下で、サケのプレレプトセアルスよりも小さいエキスパンドメタルを使用して出来ている。このエキスパンドメタルで出来ている容器の内部にサケのプレレプトセアルスを入れて、海流の流れが速くて、水深が30ｍから300ｍ前後のところに、ロープを使用して吊るすと、このサケのプレレプトセアルスの餌としては、このエキスパンドメタルで出来ている容器に形成をしている、6000μmの穴径よりも小さい微生物、又はプランクトン、又はプランクトンの死骸、又はプランクトンの糞、又はマリンスノー（以下、略して、マリンスノーとする）が、海流の動きにより、容器の表面上に形成をしている穴径が6000μm以下の穴径のエキスパンドメタルにて出来ている容器の内部に、海流の動きと一緒にマリンスノーが、海水と一緒に流入をしてくる。このマリンスノーを飼料として、サケのプレレプトセアルスは半年から1年間の期間にて、このエキスパンドメタルで出来ている容器の内部にて、サケの仔魚であるレプトセアルスとなる。このサケの仔魚のレプトセアルスを、図8、図9及び図10に示しているような、入り口が狭くて、奥が広い、例えば、大村湾、又は有明海、又は鹿児島湾、又はペルシャ湾、又は紅海、又はメキシコ湾、又はカリフォルニア湾などの湾の奥の、入り江の奥の内部に、サケの仔魚であるレプトセアルスを放流して、このサケの仔魚であるプレレプトセアルスに、ワムシなどの動物性プランクトンなどの餌を与えて飼育をする。さらに、入り江の内部にて餌を与えて、サケの仔魚から成魚のサケまで、段々と大きくすると、回遊魚のサケでも、餌さえ定期的に、決まった時間に餌を与えるのであれば、入り江の内部にて、サケの仔魚の、極く小さいレプトセアルスならば、餌付けが出来る割合が高いことが判明をした。従来、サケの増養殖は生簀網を使用して養殖をしている。この場合、小さいサケの仔魚を、体重が5ｋｇの成魚のサケに成長をさせるのには、約２箇年間の期間が必要である。この生簀網を使用してサケを養殖するのと、入り江の内部にて、サケを餌付けして放し飼いにて養殖をするのとを比較すると、入り江の内部にて、サケを餌付けして放し飼いにて増養殖をするほうが、圧倒的に安価にてサケを増養殖することが出来る。理由としては、管理が容易で、増養殖の技術がない素人でも、サケの増養殖が出来る。また、生簀網などの高価な資材が必要ない。などの理由により、立地が良い場所が必要であるが、世界中の立地が良い入り江の内部にて、サケに餌付けをして放し飼いが出来ることが判明をした。
この人工授精と自然界の種苗生産サイクルの両方を併用して、小さいサケの仔魚のレプトセアルスであるサケの種苗生産が出来るので、サケを極く安価に、容易に入手をすることが出来る。さらに、5ｋｇ前後の成魚のサケまで餌付けをして、サケを放し飼いして成育をさせることが出来る効果がある。
【００２４】
さらに、従来、サケ、又はマス（以下、略して、サケとする）の場合、春になると春鮭、又は秋になると秋鮭として、一年に2回、各地方の川を産卵の目的にて遡上をする鮭を漁獲して、サケのお腹から、サケの魚卵、及びサケの白子を取出して、サケの魚卵にサケの白子を振り掛けて、魚卵を孵化させて、孵化をした後の、小さいサケの仔魚を川に放流をすることにより、サケの増養殖をしているのが現状である。この従来の方法で、サケを増養殖すると、一年に2回しか、サケの魚卵、及び白子を採取することが出来ないので、結果として、一年に2回しか、サケの仔魚を放流することしか出来ない欠点が、従来のサケの増養殖事業にはある。
【００２５】
また、上記にて説明をした、従来のサケの増養殖事業も、本考案のウナギ、及びクロマグロの増養殖の内容と同様に、サケに1週間に1回の割合にて、7週間から8週間の期間、産卵をさせる目的にて、サケの場合も、陸上の産卵水槽の内部にて、成魚のサケのメスとオスに、産卵を促進させるためのホルモン注射をしてから、産卵直前のサケを、図8、図9及び図10に示しているような、入り口が狭くて、奥が広い、例えば、大村湾、又は有明海、又は鹿児島湾、又はペルシャ湾、又は紅海、又はメキシコ湾、又はカリフォルニア湾などの湾の奥の、入り江の内部に、産卵直前のサケを放流して、サケに産卵をさせる。あとは、入り江の内部にて、サケの卵から孵化をしたプレレプトセアルスに、ワムシなどの動物性プランクトンなどの餌を与えて飼育をする。さらに、入り江の内部にて餌を与えて、サケの仔魚から成魚のサケまで、段々と大きくすると、回遊魚のサケでも、餌さえ定期的に、決まった時間に餌を与えるのであれば、入り江の内部にて、卵から孵化をしたサケであれば、餌付けが出来る割合が高いことが判明をした。従来、サケの増養殖は生簀網を使用して養殖をしている。この場合、小さいサケの仔魚を、体重が5ｋｇの成魚のサケに成長をさせるのには、約２箇年間の期間が必要である。この生簀網を使用してサケを養殖するのと、入り江の内部にて、サケを餌付けして放し飼いにて増養殖をするのとを比較すると、入り江の内部にて、サケを餌付けして放し飼いにて増養殖をするほうが、圧倒的に安価にてサケを増養殖することが出来る。理由としては、管理が容易で、増養殖の技術がない素人でも、サケの増養殖が出来る。また、生簀網などの高価な資材が必要ない。などの理由により、立地が良い場所が必要であるが、世界中の立地が良い入り江の内部にて、サケに餌付けをして放し飼いが出来ることが判明をした。
この人工授精と自然界の種苗生産サイクルの両方を併用して、小さいサケの仔魚のレプトセアルスであるサケの種苗生産が出来るので、サケを極く安価に、容易に入手をすることが出来る。さらに、5ｋｇ前後の成魚のサケまで餌付けをして、サケを放し飼いして成育をさせることが出来る効果がある。
【００２６】
さらに、ワムシは動物性プランクトンである。ワムシは淡水生ワムシもあるが、塩分濃度が1.5度から3.5度にて増養殖をする。最も適している塩分濃度は1.5度前後が、最もよく増養殖をする。ワムシは無性生殖で、雌だけで増養殖をする動物性プランクトンである。
ワムシは1匹の雌が、1回に1個から3個の産卵をする。このワムシの卵の直径の大きさは、20μm前後である。このワムシの卵は２日位で孵化をして大きさが20μm前後の仔ワムシとなる。この仔ワムシは餌として緑藻類の生のクロレラ（以下、略して、クロレラとする）などを好んで食べて大きくなる。また、仔ワムシは、大きさが1μm以下の糞をする。仔ワムシは孵化をしてから５日目位にて、大きさが150μm前後の親ワムシとなる。この親ワムシの生存期間は７日位である。この親ワムシの生存期間に、親ワムシは  毎日々、１個から３個の卵を産む。また、親ワムシは大きさが1μm以上の糞をする。親ワムシに成長をしてから７日目位で死んで、1μm以下のバラバラの死骸となる。この動物性プランクトンであるワムシの死骸の、別名がマリンスノーである。このワムシの死骸は、大きさが数μm以下となる。この動物性プランクトンであるワムシを増養殖するのに、最も適しているのが、生のクロレラである。この生のクロレラを、世界で最初に増養殖をして事業化をしたのが、所在地：福岡県筑後市久富1343にある。会社名が、クロレラ工業株式会社（以下、略して、クロレラ工業とする）である。
さて、魚介類の種苗生産で、例えば、ウナギ以外の魚介類のタイ、ハマチ、コイなどの魚介類が産んだ卵が、孵化した後の餌の全てが、ワムシを使用して飼育をしている。この魚介類の卵から孵化をした段階の幼生であるプレレプトセアルスに、生のクロレラを飼料として与えて飼育をしている。この魚介類の種苗生産になくてはならない、ワムシの餌となる生のクロレラを増養殖しているのが、クロレラ工業が製造販売をしている生のクロレラである。この魚介類の種苗生産になくてはならない生のクロレラを、全世界の種苗生産業者に販売するために、ワムシの種となるワムシも、一年中、増養殖をして、ワムシの種を販売している。このワムシ14の種を、クロレラ工業の工場内にて、ワムシ14を増養殖している水槽が、図中にて示している。ワムシ増養殖水槽10（以下、略して、タンク10とする）である。このワムシ増養殖水槽10に、ワムシ14の餌となるクロレラ13を全自動にて給餌しているのが、図中に示している。商品名がワムシわくわく11で、生クロレラ自動給餌装置11（以下、略して、ワムシ自動給餌機11、又は給餌機11とする）である。このワムシ14を増養殖しているタンク10の内部温度は、28℃が最適の水温である。このワムシ増養殖水槽10の、内部温度が28℃の水温の、タンク10の内部に生まれたばかりの、ウナギの卵を入れると、ウナギの卵は28時間から29時間にて孵化をして、ウナギの幼生であるプレレプトセアルスとなる。この生まれたばかりの、ウナギの幼生であるプレレプトセアルスが生まれたタンク10の内部には、ウナギの幼生であるプレレプトセアルスが必要とする餌となる、ワムシ14の糞15、又はワムシ14の仔ワムシ18、又はワムシ14の死骸19（以下、略して、マリンスノー19とする）、又はクロレラ13の破壊物20、又はクロレラ13の残飯21などの、ウナギの幼生であるプレレプトセアルス餌となる餌が、このタンク10の内部には多量に、毎日生まれている。このワムシ14を増養殖しているタンク10の内部に、第1としては、ウナギの卵を入れると、ウナギの卵は、水温にもよるが、28時間から29時間にて孵化をして、ウナギの幼生であるプレレプトセアルスになる。このウナギの幼生であるプレレプトセアルスから、ウナギの仔魚であるレプトセアルスの、別名がシラスウナギになるまでに成長をするのに、約270日の期間がかかる。このワムシ14を増養殖しているタンク10の内部にて、ウナギの卵からシラスウナギを増養殖して飼育をすることが、このワムシ14を増養殖しているタンク10の内部にてシラスウナギの増養殖が出来ることが判明をした。第2としては、タンク10以外の、別の水槽の内部にて、ウナギの卵を孵化させる。このウナギの卵が孵化をして、ウナギの幼生であるプレレプトセアルスに、約９箇月間前後の長期間にわたり、マリンスノーなどの餌を与えて、ウナギの幼生であるプレレプトセアルスを飼育して、ウナギの仔魚であるシラスウナギまでに飼育をして成長させることが、ワムシ増養殖水槽10の内部にて、全て飼育が出来ることを発明・発見をした。このことにより、極く安価なコストにて、シラスウナギを多量に増養殖することが出来る効果がある。
【００２７】
また、ウナギの仔魚であるシラスウナギまで飼育して成長させると、ウナギ以外の魚介類と同様に、ワムシ14を飼料として飼育をすることが出来ることを解決手段とする。
さらに、クロマグロの幼生であるプレレプトセアルスから仔魚のレプトセアルスまでに飼育して成長をさせるのには、ウナギと同様に、長期間の飼育が必要である。また、ウナギの幼生であるプレレプトセアルスと同様に、他の魚介類の幼生であるプレレプトセアルスの餌となる、ワムシ14を餌として食べることが出来ないので、ワムシ14を飼料として、クロマグロの幼生であるプレレプトセアルスを飼育することが出来ないのが、クロマグロの幼生であるプレレプトセアルスを飼育するのが難しいことが、クロマグロの仔魚であるレプトセアルスの、別名であるシビ仔、又はヨコワが高価な理由である。このクロマグロの幼生であるプレレプトセアルスも、ウナギの幼生であるプレレプトセアルスと同様に、図中に示している。商品名がワムシわくわく11で、生クロレラ自動給餌装置11（以下、略して、ワムシ自動給餌機11、又は給餌機11とする）である。このワムシ14を増養殖しているタンク10の内部温度は、28℃が最適の水温である。このワムシ増養殖水槽10の、内部温度が28℃の水温の、タンク10の内部に産卵されたばかりの、クロマグロの卵を入れると、クロマグロの卵は28時間から29時間にて孵化をして、クロマグロの幼生であるプレレプトセアルスとなる。この生まれたばかりの、クロマグロの幼生であるプレレプトセアルスが生まれたタンク10の内部には、クロマグロの幼生であるプレレプトセアルスが必要とする餌となる、ワムシ14の糞15、又はワムシ14の仔ワムシ18、又はワムシ14の死骸19（以下、略して、マリンスノー19とする）、又はクロレラ13の破壊物20、又はクロレラ13の残飯21などの、クロマグロの幼生であるプレレプトセアルスの餌となる餌が、このタンク10の内部には多量に、毎日生まれている。このワムシ14を増養殖しているタンク10の内部に、第1としては、クロマグロの卵を入れると、クロマグロの卵は、水温にもよるが、28時間から29時間にて孵化をして、クロマグロの幼生であるプレレプトセアルスになる。このクロマグロの幼生であるプレレプトセアルスから、クロマグロの仔魚であるレプトセアルスの、別名がシビ仔、又はヨコワになるまでに成長をするのに、約300日の期間がかかる。このワムシ14を増養殖しているタンク10の内部にて、クロマグロの卵からシビ仔、又はヨコワを増養殖して飼育をすることが、このワムシ14を増養殖しているタンク10の内部にてシビ仔、又はヨコワの増養殖が出来ることが判明をした。第2としては、タンク10以外の、別の水槽の内部にて、クロマグロの卵を孵化させる。このクロマグロの卵が孵化をして、クロマグロの幼生であるプレレプトセアルスに成長をしている。このクロマグロの幼生であるプレレプトセアルスを、ワムシ14を増養殖しているタンク10の内部に入れて、このタンク10の内部にて、クロマグロの幼生であるプレレプトセアルスから、クロマグロの仔魚であるレプトセアルスの、別名がシビ仔、又はヨコワになるまでに飼育をするのに、約300日の期間がかかる。このワムシ14を増養殖しているタンク10の内部にて、クロマグロの幼生であるプレレプトセアルスからシビ仔、又はヨコワを増養殖して飼育をすることが出来る。このワムシ14を増養殖しているタンク10の内部にて、クロマグロの幼生であるプレレプトセアルスからシビ仔、又はヨコワを増養殖し��飼育をすることが出来ることが判明をした。このタンク10の内部にて、クロマグロの卵、又はクロマグロの幼生であるプレレプトセアルスから、クロマグロの仔魚であるレプトセアルスの、別名がシビ仔、又はヨコワになるまでの、約300日間の長期間でも、ワムシ自動給餌機11を経由して、ワムシ14を飼育するための飼料となるクロレラ13を、例えば、水温、時間、数量を時分割して、ワムシ14を飼育しているタンク10の内部に、クロレラ13を全自動にて送り込むことが出来る。結果として、ワムシ14の飼育をコントロールすることが出来ることにより、結果として、クロマグロの幼生であるプレレプトセアルスに与える餌となる飼料のコントロールが出来ることになる。このワムシ自動給餌機11を経由して、クロレラ13をタンク10の内部に送り込んで、ワムシ14を増養殖して、このワムシ14から派生をする、ワムシ14の糞15、又はワムシ14の卵17、又はワムシ14の仔ワムシ18、又はワムシ14の死骸19（以下、略して、マリンスノー19とする）、又はクロレラ13の破壊物20、又はクロレラ13の残飯21（以下、略して、マリンスノー19とする）などの、クロマグロの幼生であるプレレプトセアルスの餌となる、マリンスノーなどの飼料のコントロールが、ワムシ自動給餌機11を経由して、クロレラ13をタンク10の内部に送り込むことを管理することにより、マリンスノーなどの飼料をコントロールすることが出来る。このクロマグロの幼生であるプレレプトセアルスに、約300日間の長期間、ワムシ自動給餌機11を使用して、クロマグロの幼生であるプレレプトセアルスに自動給餌が出来るシステムを研究開発したことにより、クロマグロの卵が孵化させて、生まれたばかりのクロマグロの幼生であるプレレプトセアルスに、約10箇月間前後の長期間にわたり、マリンスノーなどの餌を与えて、クロマグロの幼生であるプレレプトセアルスを飼育して、クロマグロの仔魚であるシビ仔、又はヨコワになるまでに飼育をして成長をさせることが、ワムシ増養殖水槽10の内部にて、全て飼育が出来ることを発明・発見をした。このことにより、極く安価なコストにて、シビ仔、又はヨコワを多量に増養殖することが出来る。
また、クロマグロの仔魚であるシビ仔、又はヨコワになるまでに飼育をして成長をさせることが出来れば、その他の魚介類と同様に、ワムシ14を飼料として飼育をすることが出来る効果がある。
【図面の簡単な説明】
【００２８】
【図１】図1に示しているのは、穴径がウナギの卵の直径である。1500μmよりも小さい穴径のエキスパンドメタル、又はその他の金網を使用して、箱の6面が出来ている蓋付きの箱（以下、略して、蓋付きの容器とする）の内部に、直径が1500μm以上の大きさのウナギの卵を入れて、海水面下300ｍの深いところに、船、又はその他のフロートから吊り下げている概略図を、図1に示している。
【図２】図2に示しているのは、穴径がウナギの幼生であるプレレプトセアルスの大きさである。5000μmよりも小さい穴径のエキスパンドメタル、又はその他の金網を使用して、箱の6面が出来ている蓋付きの箱（以下、略して、蓋付きの容器とする）の内部に、直径が5000μm以上の大きさのウナギの幼生であるプレレプトセアルスを入れて、海水面下300ｍの深いところに、船、又はその他のフロートから吊り下げている概略図を、図2に示している。
【図３】図3に示しているのは、穴径がクロマグロの卵の直径である。900μmよりも小さい穴径のエキスパンドメタル、又はその他の金網を使用して、箱の6面が出来ている蓋付きの箱（以下、略して、蓋付きの容器とする）の内部に、直径が900μm以上の大きさのクロマグロの卵を入れて、海水面下300ｍの深いところに、船、又はその他のフロートから吊り下げている概略図を、図3に示している。
【図４】図4に示しているのは、穴径がクロマグロの幼生であるプレレプトセアルスの大きさである。2700μmよりも小さい穴径のエキスパンドメタル、又はその他の金網を使用して、箱の4面が出来ている蓋付きの箱（以下、略して、蓋付きの容器とする）の内部に、直径が2700μm以上の大きさの、クロマグロの幼生であるプレレプトセアルスを入れて、海水面下300ｍの深いところに、船、又はその他のフロートから吊り下げている概略図を、図4に示している。
【図５】図5に示しているのは、穴径がサケの卵の直径である。2000μmよりも小さい穴径のエキスパンドメタル、又はその他の金網を使用して、箱の6面が出来ている蓋付きの箱（以下、略して、蓋付きの容器とする）の内部に、直径が2000μm以上の大きさのサケの卵を入れて、海水面下300ｍの深いところに、船、又はその他のフロートから吊り下げている概略図を、図5に示している。
【図６】図6に示しているのは、穴径がサケの幼生であるプレレプトセアルスの大きさである。6000μmよりも小さい穴径のエキスパンドメタル、又はその他の金網を使用して、箱の6面が出来ている蓋付きの箱（以下、略して、蓋付きの容器とする）の内部に、直径が6000μm以上の大きさの、サケの幼生であるプレレプトセアルスを入れて、海水面下300ｍの深いところに、船、又はその他のフロートから吊り下げている概略図を、図6に示している。
【図７】図7に示しているのは、穴径がウナギの卵の直径である。1500μmよりも小さい穴径のエキスパンドメタル、又はその他の金網を使用して、箱の6面が出来ている蓋付きの箱（以下、略して、蓋付きの容器とする）の内部に、産卵直前のウナギのメスとオスを入れて、海水面下300ｍの深いところに、船、又はその他のフロートから吊り下げている概略図を、図7に示している。
【図８】図8に示しているのは、例えば、小さい湾で、志布志湾、又は佐伯湾、又はペルシャ湾、又は紅海、又はメキシコ湾、又はカリフォルニア湾などのように、湾の内部に川の上流から河口に水が流れ込んでいるような、湾の内部の中心部分で、水深が、30ｍから300ｍの深い場所に、産卵直前のウナギのメスとオスを放流している概略図を、図8に示している。
【図９】図9に示しているのは、入り口が狭くて、奥が広い、例えば、大村湾、又は有明海、又は鹿児島湾、又はペルシャ湾、又は紅海、又はメキシコ湾、又はカリフォルニア湾などの湾の奥の、入り江の内部に、産卵直前のサケを放流して、クロマグロに産卵をさせている概略図を、図9に示している。
【図１０】図10に示しているのは、入り口が狭くて、奥が広い、例えば、大村湾、又は有明海、又は鹿児島湾、又はペルシャ湾、又は紅海、又はメキシコ湾、又はカリフォルニア湾などの湾の奥の、入り江の内部に、産卵直前のサケを放流して、サケに産卵をさせている概略図を、図10に示している。
【図１１】図11に示しているのは、ウナギを陸上の産卵水槽の内部、又は産卵タンクの内部、又は養鰻場の内部、又は生簀網の内部（以下、略して、産卵水槽とする）にて、産卵を促進させるためのホルモン注射をメスとオスにする。この産卵を促進させるためのホルモン注射を、７週間から８週間の間に、週１回、ホルモン注射をウナギのメスとオスにすると、ウナギのメスは卵を産卵する。このウナギが産卵をした卵の直径は、1500μmから1700μm前後である。この直径が、1500μmから1700μm前後のウナギの卵を、例えば、日金工株式会社が製造販売をしている、商品名がエキスパンドメタルで、材質はＵ−１、又はＵ−２、又はチタン、又はアルミニウム、又は銅（以下、略して、チタンとする）で、厚さは300μmで、穴径はウナギの卵の直径である、1500μm以下の、図11に示している。ウナギの卵よりも、網目のサイズが小さい、1500μm以下のエキスパンドメタル、又はその他の金鋼（以下、略して、エキスパンドメタルとする）で出来ている、例えば、長さが60ｃｍで、横幅が60ｃｍで、高さが30ｃｍの、蓋付きの容器で、この蓋付きの容器の6面共に、穴径が1500μm以下で、ウナギの卵よりも小さいエキスパンドメタルを使用して出来ている。このエキスパンドメタルで出来ている容器の内部に、ウナギの卵を入れている容器を、水槽5の内部に入れて、例えば、海水面下300ｍの深さの海底から、ポンプを使用して吸い上げた、1500μm以下の穴径よりも小さい微生物、又はプランクトン、又はプランクトンの死骸、又はプランクトンの糞、又はマリンスノー（以下、略して、マリンスノーとする）を含有している海水を、水槽5の内部を循環させて、ウナギの卵が孵化をして、ウナギの幼生であるプレレプトセアルスに成長をした、幼生であるプレレプトセアルスに、飼料となるマリンスノーを餌として与えて、幼生であるプレレプトセアルスから、仔魚であるレプトセアルスの、別名であるシラスウナギを飼育している概略図を、図11に示している。
【図１２】図12に示しているのは、ウナギを陸上の産卵水槽の内部、又は産卵タンクの内部、又は養鰻場の内部、又は生簀網の内部（以下、略して、産卵水槽とする）にて、産卵を促進させるためのホルモン注射をメスとオスにする。この産卵を促進させるためのホルモン注射を、７週間から８週間の間に、週１回、ホルモン注射をウナギのメスとオスにすると、ウナギのメスは卵を産卵する。このウナギが産卵をした卵の直径は、1500μmから1700μm前後である。この直径が、1500μmから1700μm前後のウナギの卵は、水温が25℃の場合であれば、29時間、又は30時間で、孵化をして幼生のウナギのプレレプトセアルスとなる。このウナギのプレレプトセアルスの太さは、5000μm前後である。この直径が、5000μm前後のウナギのプレレプトセアルスを、例えば、日金工株式会社が製造販売をしている、商品名がエキスパンドメタルで、材質はＵ−１、又はＵ−２、又はチタン、又はアルミニウム、又は銅（以下、略して、チタンとする）で、厚さは300μmで、穴径はウナギの幼生であるプレレプトセアルスの直径である、5000μm以下の、図12に示している。ウナギのプレレプトセアルスよりも、網目のサイズが小さい、5000μm以下のエキスパンドメタルで出来ている、例えば、長さが60ｃｍで、横幅が60ｃｍで、高さが30ｃｍの、蓋付きの容器で、この蓋付きの容器の6面共に、穴径が5000μm以下で、ウナギのプレレプトセアルスよりも小さいエキスパンドメタルを使用して出来ている。このエキスパンドメタルで出来ている容器の内部に、ウナギの幼生であるプレレプトセアルスを入れている容器を、水槽5の内部に入れて、例えば、海水面下300ｍの深さの海底から、ポンプを使用して吸い上げた、5000μm以下の穴径よりも小さい微生物、又はプランクトン、又はプランクトンの死骸、又はプランクトンの糞、又はマリンスノー（以下、略して、マリンスノーとする）を含有している海水を、水槽5の内部を循環させて、ウナギの卵が孵化をして、ウナギの幼生であるプレレプトセアルスに成長をした、幼生であるプレレプトセアルスに、飼料となるマリンスノーを餌として与えて、幼生であるプレレプトセアルスから、仔魚であるレプトセアルスの、別名であるシラスウナギを飼育している概略図を、図12に示している。
【図１３】図13に示しているのは、クロマグロを陸上の産卵水槽の内部、又は産卵タンクの内部、又は養殖場の内部、又は生簀網の内部（以下、略して、産卵水槽とする）にて、産卵を促進させるためのホルモン注射をメスとオスにする。この産卵を促進させるためのホルモン注射を、７週間から８週間の間に、週１回、ホルモン注射をクロマグロのメスとオスにすると、クロマグロのメスは卵を産卵する。このクロマグロが産卵をした卵の直径は、900μmから1000μm前後である。この直径が、900μmから1000μm前後のクロマグロの卵を、例えば、日金工株式会社が製造販売をしている、商品名がエキスパンドメタルで、材質はＵ−１、又はＵ−２、又はチタン、又はアルミニウム、又は銅（以下、略して、チタンとする）で、厚さは300μmで、穴径はクロマグロの卵の直径である、900μm以下の、図13に示している。クロマグロの卵よりも、網目のサイズが小さい、900μm以下のエキスパンドメタルで出来ている、例えば、長さが60ｃｍで、横幅が60ｃｍで、高さが30ｃｍの、蓋付きの容器で、この蓋付きの容器の6面共に、穴径が900μm以下で、クロマグロの卵よりも小さいエキスパンドメタルを使用して出来ている。このエキスパンドメタルで出来ている容器の内部にクロマグロの卵を入れている容器を、水槽5の内部に入れて、例えば、海水面下300ｍの深さの海底から、ポンプを使用して吸い上げた、900μm以下の穴径よりも小さい微生物、又はプランクトン、又はプランクトンの死骸、又はプランクトンの糞、又はマリンスノー（以下、略して、マリンスノーとする）を含有している海水を、水槽5の内部を循環させて、クロマグロの卵が孵化をして、クロマグロの幼生であるプレレプトセアルスに成長をした、幼生であるプレレプトセアルスに、飼料となるマリンスノーを餌として与えて、幼生であるプレレプトセアルスから、仔魚であるレプトセアルスの、別名であるシビ仔、又はヨコワを飼育している概略図を、図13に示している。
【図１４】図14に示しているのは、クロマグロを陸上の産卵水槽の内部、又は産卵タンクの内部、又は養殖場の内部、又は生簀網の内部（以下、略して、産卵水槽とする）にて、産卵を促進させるためのホルモン注射をメスとオスにする。この産卵を促進させるためのホルモン注射を、７週間から８週間の間に、週１回、ホルモン注射をクロマグロのメスとオスにすると、クロマグロのメスは卵を産卵する。このクロマグロが産卵をしたあとの卵の直径は、900μmから1000μm前後である。この直径が、900μmから1000μm前後のクロマグロの卵は、約２日位で孵化をしてクロマグロの幼生であるプレレプトセアルスとなる。このクロマグロのプレレプトセアルスの太さは、約2700μm以下である。この直径が、約2700μm以下のクロマグロのプレレプトセアルスを、例えば、日金工株式会社が製造販売をしている、商品名がエキスパンドメタルで、材質はＵ−１、又はＵ−２、又はチタン、又はアルミニウム、又は銅（以下、略して、チタンとする）で、厚さは300μmで、穴径はクロマグロの幼生であるプレレプトセアルスの直径である、2700μm以下の、図14に示している。クロマグロのプレレプトセアルスよりも、網目のサイズが小さい、2700μm以下のエキスパンドメタルで出来ている、例えば、長さが60ｃｍで、横幅が60ｃｍで、高さが30ｃｍの、蓋付きの容器で、この蓋付きの容器の6面共に、穴径が2700μm以下で、クロマグロの卵よりも小さいエキスパンドメタルを使用して出来ている。このエキスパンドメタルで出来ている容器の内部に、クロマグロのプレレプトセアルスを入れている容器を、水槽5の内部に入れて、例えば、海水面下300ｍの深さの海底から、ポンプを使用して吸い上げた、2700μm以下の穴径よりも小さい微生物、又はプランクトン、又はプランクトンの死骸、又はプランクトンの糞、又はマリンスノー（以下、略して、マリンスノーとする）を含有している海水を、水槽5の内部を循環させて、クロマグロの卵が孵化をして、クロマグロの幼生であるプレレプトセアルスに成長をした、幼生であるプレレプトセアルスに、飼料となるマリンスノーを餌として与えて、幼生であるプレレプトセアルスから、仔魚であるレプトセアルスの、別名であるシビ仔、又はヨコワを飼育している概略図を、図14に示している。
【図１５】図15に示しているのは、サケ、又はマス（以下、略して、サケとする）を陸上の産卵水槽の内部、又は産卵タンクの内部、又は養殖場の内部、又は生簀網の内部（以下、略して、産卵水槽とする）にて、産卵を促進させるためのホルモン注射をメスとオスにする。この産卵を促進させるためのホルモン注射を、７週間から８週間の間に、週１回、ホルモン注射をサケのメスとオスにすると、サケのメスは卵を産卵する。このサケが産卵をした卵の直径は、2000μm前後である。この直径が、2000μm前後のサケの卵を、例えば、日金工株式会社が製造販売をしている、商品名がエキスパンドメタルで、材質はＵ−１、又はＵ−２、又はチタン、又はアルミニウム、又は銅（以下、略して、チタンとする）で、厚さは300μmで、穴径はサケの卵の直径である、2000μm以下の、図15に示している。サケの卵よりも、網目のサイズが小さい、2000μm以下のエキスパンドメタルで出来ている、例えば、長さが60ｃｍで、横幅が60ｃｍで、高さが30ｃｍの、蓋付きの容器で、この蓋付きの容器の6面共に、穴径が2000μm以下で、サケの卵よりも小さいエキスパンドメタルを使用して出来ている。このエキスパンドメタルで出来ている容器の内部にサケの卵を入れている容器を、水槽5の内部に入れて、例えば、海水面下300ｍの深さの海底から、ポンプを使用して吸い上げた、5000μm以下の穴径よりも小さい微生物、又はプランクトン、又はプランクトンの死骸、又はプランクトンの糞、又はマリンスノー（以下、略して、マリンスノーとする）を含有している海水を、水槽5の内部を循環させて、サケの卵が孵化をして、サケの幼生であるプレレプトセアルスに成長をした、幼生であるプレレプトセアルスに、飼料となるマリンスノーを餌として与えて、幼生であるプレレプトセアルスから、仔魚であるレプトセアルスの、別名であるサケの仔魚を飼育している概略図を、図15に示している。
【図１６】図16に示しているのは、サケを陸上の産卵水槽の内部、又は産卵タンクの内部、又は養殖場の内部、又は生簀網の内部（以下、略して、産卵水槽とする）にて、産卵を促進させるためのホルモン注射をメスとオスにする。この産卵を促進させるためのホルモン注射を、７週間から８週間の間に、週１回、ホルモン注射をサケのメスとオスにすると、サケのメスは卵を産卵する。このサケが産卵をしたあとの卵の直径は、2000μm前後である。この直径が、2000μm前後のサケの卵は、約２日位で孵化をして幼生のサケのプレレプトセアルスとなる。このサケのプレレプトセアルスの太さは6000μm前後である。この直径が、6000μm前後のサケのプレレプトセアルスを、例えば、日金工株式会社が製造販売をしている、商品名がエキスパンドメタルで、材質はＵ−１、又はＵ−２、又はチタン、又はアルミニウム、又は銅（以下、略して、チタンとする）で、厚さは300μmで、穴径はサケのプレレプトセアルスよりも、網目のサイズが小さい、図16に示している、6000μm以下のエキスパンドメタルで出来ている、例えば、長さが60ｃｍで、横幅が60ｃｍで、高さが30ｃｍの、蓋付きの容器で、この蓋付きの容器の6面共に、穴径が6000μm以下で、サケのプレレプトセアルスよりも小さいエキスパンドメタルを使用して出来ている。このエキスパンドメタルで出来ている容器の内部にサケのプレレプトセアルスを入れている容器を、水槽5の内部に入れて、例えば、海水面下300ｍの深さの海底から、ポンプを使用して吸い上げた、6000μm以下の穴径よりも小さい微生物、又はプランクトン、又はプランクトンの死骸、又はプランクトンの糞、又はマリンスノー（以下、略して、マリンスノーとする）を含有している海水を、水槽5の内部を循環させて、サケの卵が孵化をして、サケの幼生であるプレレプトセアルスに成長をした、幼生であるプレレプトセアルスに、飼料となるマリンスノーを餌として与えて、幼生であるプレレプトセアルスから、仔魚であるレプトセアルスの、別名であるサケの仔魚を飼育している概略図を、図16に示している。
【図１７】図17に示しているのは、ウナギを陸上の産卵水槽の内部、又は産卵タンクの内部、又は養鰻場の内部、又は生簀網の内部（以下、略して、産卵水槽とする）にて、産卵を促進させるためのホルモン注射をメスとオスにする。この産卵を促進させるためのホルモン注射を、７週間から８週間の間に、週１回、ホルモン注射をウナギのメスとオスにすると、ウナギのメスは卵を産卵する。この産卵直前のウナギのメスとオスの両方のウナギを、図17に示している、容器の6面がエキスパンドメタルで出来ている容器の内部に入れて、このエキスパンドメタルで出来ている容器の内部にて、産卵直前のウナギに産卵をさせて、オスの精子にて受精をさせる。このウナギが産卵をした卵の直径は、1500μmから1700μm前後である。この直径が、1500μmから1700μm前後のウナギの卵を、例えば、日金工株式会社が製造販売をしている、商品名がエキスパンドメタルで、材質はＵ−１、又はＵ−２、又はチタン、又はアルミニウム、又は銅（以下、略して、チタンとする）で、厚さは300μmで、穴径はウナギの卵の直径である、1500μm以下の、図17に示している。ウナギの卵よりも、網目のサイズが小さい、1500μm以下のエキスパンドメタルで出来ている、例えば、長さが60ｃｍで、横幅が60ｃｍで、高さが30ｃｍの、蓋付きの容器で、この蓋付きの容器の6面共に、穴径が1500μm以下で、ウナギの卵よりも小さいエキスパンドメタルを使用して出来ている。このエキスパンドメタルで出来ている容器の内部に産卵直前のウナギを入れて、このエキスパンドメタルで出来ている容器の内部にて産卵をさせる。この産卵をしたウナギと、産卵をした卵を入れている、網目のサイズが、1500μm以下のエキスパンドメタルで出来ている容器を、水槽5の内部に入れて、例えば、海水面下300ｍの深さの海底から、ポンプを使用して吸い上げた、1500μm以下の穴径よりも小さい微生物、又はプランクトン、又はプランクトンの死骸、又はプランクトンの糞、又はマリンスノー（以下、略して、マリンスノーとする）を含有している海水を、水槽5の内部を循環させて、ウナギの卵が孵化をして、ウナギの幼生であるプレレプトセアルスに成長をした、幼生であるプレレプトセアルスに、飼料となるマリンスノーを餌として与えて、幼生であるプレレプトセアルスから、仔魚であるレプトセアルスの、別名であるシラスウナギを飼育している概略図を、図17に示している。
【図１８】（A）  図18（A）に示しているのは、ウナギを陸上の産卵水槽の内部、又は産卵タンクの内部、又は養鰻場の内部、又は生簀網の内部（以下、略して、産卵水槽とする）にて、産卵を促進させるためのホルモン注射をメスとオスにする。この産卵を促進させるためのホルモン注射を、７週間から８週間の間に、週１回、ホルモン注射をウナギのメスとオスにすると、ウナギのメスは卵を産卵する。このウナギが産卵をした卵の直径は、1500μmから1700μm前後である。この直径が、1500μmから1700μm前後のウナギの卵を、例えば、日金工株式会社が製造販売をしている、商品名がエキスパンドメタルで、材質はＵ−１、又はＵ−２、又はチタン、又はアルミニウム、又は銅（以下、略して、チタンとする）で、厚さは300μmで、穴径はウナギの卵の直径である、1500μm以下の、図18（A）に示している。ウナギの卵よりも、網目のサイズが小さい、1500μm以下のエキスパンドメタル、又はその他の金鋼（以下、略して、エキスパンドメタルとする）で出来ている、例えば、長さが60ｃｍで、横幅が60ｃｍで、高さが30ｃｍの、蓋が付いていない容器で、容器の5面共に、穴径が1500μm以下で、ウナギの卵よりも小さいエキスパンドメタルを使用して出来ている。このエキスパンドメタルで出来ている容器（A）の内部に、ウナギの卵を入れている容器（A）を、水槽5の内部に入れて、例えば、海水面下3ｍから300ｍの深さの海底から、ポンプを使用して吸い上げた、1500μm以下の穴径よりも小さい微生物、又はプランクトン、又はプランクトンの死骸、又はプランクトンの糞、又はマリンスノー（以下、略して、マリンスノーとする）を含有している海水を、水槽5の上の方向から、直接に、ウナギの卵を入れている容器（A）の内部である。図18（A）に示している、容器（A）の内部にマリンスノーを含有している海水を、直接に注水をして、ウナギの卵が孵化をして、ウナギの幼生であるプレレプトセアルスに成長をした、幼生であるプレレプトセアルスに、飼料となるマリンスノーを餌として与えて、幼生であるプレレプトセアルスから、仔魚であるレプトセアルスの、別名であるシラスウナギを飼育している概略図を、図18（A）に示している。  図18（B）に示しているのは、ウナギを陸上の産卵水槽の内部、又は産卵タンクの内部、又は養鰻場の内部、又は生簀網の内部（以下、略して、産卵水槽とする）にて、産卵を促進させるためのホルモン注射をメスとオスにする。この産卵を促進させるためのホルモン注射を、７週間から８週間の間に、週１回、ホルモン注射をウナギのメスとオスにすると、ウナギのメスは卵を産卵する。このウナギが産卵をした卵の直径は、1500μmから1700μm前後である。この直径が、1500μmから1700μm前後のウナギの卵は、水温が25℃の場合であれば、29時間、又は30時間で、孵化をして幼生のウナギのプレレプトセアルスとなる。このウナギのプレレプトセアルスの太さは、5000μm前後である。この直径が、5000μm前後のウナギのプレレプトセアルスを、例えば、日金工株式会社が製造販売をしている、商品名がエキスパンドメタルで、材質はＵ−１、又はＵ−２、又はチタン、又はアルミニウム、又は銅（以下、略して、チタンとする）で、厚さは300μmで、穴径はウナギの幼生であるプレレプトセアルスの直径である、5000μm以下の、図18（B）に示している。ウナギのプレレプトセアルスよりも、網目のサイズが小さい、5000μm以下のエキスパンドメタルで出来ている、例えば、長さが60ｃｍで、横幅が60ｃｍで、高さが30ｃｍの、蓋が付いていない容器で、容器の5面共に、穴径が5000μm以下で、ウナギのプレレプトセアルスよりも小さいエキスパンドメタルを使用して出来ている。このエキスパンドメタルで出来ている容器（B）の内部に、ウナギの幼生であるプレレプトセアルスを入れている容器（B）を、水槽5の内部に入れて、例えば、海水面下3ｍから300ｍの深さの海底から、ポンプを使用して吸い上げた、1500μm以下の穴径よりも小さい微生物、又はプランクトン、又はプランクトンの死骸、又はプランクトンの糞、又はマリンスノー（以下、略して、マリンスノーとする）を含有している海水を、水槽5の上の方向から、直接に、ウナギの卵を入れている容器（B）の内部である。図18（B）に示している、容器（B）の内部にマリンスノーを含有している海水を、直接に注水をして、ウナギの卵が孵化をして、ウナギの幼生であるプレレプトセアルスに成長をした、幼生であるプレレプトセアルスに、飼料となるマリンスノーを餌として与えて、幼生であるプレレプトセアルスから、仔魚であるレプトセアルスの、別名であるシラスウナギを飼育している概略図を、図18（B）に示している。  図18（C）に示しているのは、クロマグロを陸上の産卵水槽の内部、又は産卵タンクの内部、又は養殖場の内部、又は生簀網の内部（以下、略して、産卵水槽とする）にて、産卵を促進させるためのホルモン注射をメスとオスにする。この産卵を促進させるためのホルモン注射を、７週間から８週間の間に、週１回、ホルモン注射をクロマグロのメスとオスにすると、クロマグロのメスは卵を産卵する。このクロマグロが産卵をした卵の直径は、900μmから1000μm前後である。この直径が、900μmから1000μm前後のクロマグロの卵を、例えば、日金工株式会社が製造販売をしている、商品名がエキスパンドメタルで、材質はＵ−１、又はＵ−２、又はチタン、又はアルミニウム、又は銅（以下、略して、チタンとする）で、厚さは300μmで、穴径はクロマグロの卵の直径である、900μm以下の、図18（C）に示している。クロマグロの卵よりも、網目のサイズが小さい、900μm以下のエキスパンドメタルで出来ている、例えば、長さが60ｃｍで、横幅が60ｃｍで、高さが30ｃｍの、蓋が付いていない容器で、容器の5面共に、穴径が900μm以下で、クロマグロの卵よりも小さいエキスパンドメタルを使用して出来ている。このエキスパンドメタルで出来ている容器（C）の内部に、クロマグロの卵を入れている容器（C）を、水槽5の内部に入れて、例えば、海水面下3ｍから300ｍの深さの海底から、ポンプを使用して吸い上げた、900μm以下の穴径よりも小さい微生物、又はプランクトン、又はプランクトンの死骸、又はプランクトンの糞、又はマリンスノー（以下、略して、マリンスノーとする）を含有している海水を、水槽5の上の方向から、直接に、クロマグロの卵を入れている容器（C）の内部である。図18（C）に示している、容器（C）の内部にマリンスノーを含有している海水を、直接に注水をして、クロマグロの卵が孵化をして、クロマグロの幼生であるプレレプトセアルスに成長をした、幼生であるプレレプトセアルスに、飼料となるマリンスノーを餌として与えて、幼生であるプレレプトセアルスから、仔魚であるレプトセアルスの、別名であるシビ仔、又はヨコワを飼育している概略図を、図18（C）に示している。
【図１９】（A）  図19（A）に示しているのは、クロマグロを陸上の産卵水槽の内部、又は産卵タンクの内部、又は養殖場の内部、又は生簀網の内部（以下、略して、産卵水槽とする）にて、産卵を促進させるためのホルモン注射をメスとオスにする。この産卵を促進させるためのホルモン注射を、７週間から８週間の間に、週１回、ホルモン注射をクロマグロのメスとオスにすると、クロマグロのメスは卵を産卵する。このクロマグロが産卵をしたあとの卵の直径は、900μmから1000μm前後である。この直径が、900μmから1000μm前後のクロマグロの卵は、約２日位で孵化をしてクロマグロの幼生であるプレレプトセアルスとなる。このクロマグロのプレレプトセアルスの太さは、約2700μm以下である。この直径が、約2700μm以下のクロマグロのプレレプトセアルスを、例えば、日金工株式会社が製造販売をしている、商品名がエキスパンドメタルで、材質はＵ−１、又はＵ−２、又はチタン、又はアルミニウム、又は銅（以下、略して、チタンとする）で、厚さは300μmで、穴径はクロマグロの幼生であるプレレプトセアルスの直径である、2700μm以下の、図19（A）に示している。クロマグロの幼生であるプレレプトセアルスよりも、網目のサイズが小さい、2700μm以下のエキスパンドメタルで出来ている、例えば、長さが60ｃｍで、横幅が60ｃｍで、高さが30ｃｍの、蓋が付いていない容器で、容器の5面共に、穴径が2700μm以下で、クロマグロの卵よりも小さいエキスパンドメタルを使用して出来ている。このエキスパンドメタルで出来ている容器（A）の内部に、クロマグロのプレレプトセアルスを入れている容器（A）を、水槽5の内部に入れて、例えば、海水面下3ｍから300ｍの深さの海底から、ポンプを使用して吸い上げた、900μm以下の穴径よりも小さい微生物、又はプランクトン、又はプランクトンの死骸、又はプランクトンの糞、又はマリンスノー（以下、略して、マリンスノーとする）を含有している海水を、水槽5の上の方向から、直接に、クロマグロの卵を入れている容器（A）の内部である。図19（A）に示している、容器（A）の内部にマリンスノーを含有している海水を、直接に注水をして、クロマグロの卵が孵化をして、クロマグロの幼生であるプレレプトセアルスに成長をした、幼生であるプレレプトセアルスに、飼料となるマリンスノーを餌として与えて、幼生であるプレレプトセアルスから、仔魚であるレプトセアルスの、別名であるシビ仔、又はヨコワを飼育している概略図を、図19（A）に示している。
【図１９】（B）  図19（B）に示しているのは、サケ、又はマス（以下、略して、サケとする）を陸上の産卵水槽の内部、又は産卵タンクの内部、又は養殖場の内部、又は生簀網の内部（以下、略して、産卵水槽とする）にて、産卵を促進させるためのホルモン注射をメスとオスにする。この産卵を促進させるためのホルモン注射を、７週間から８週間の間に、週１回、ホルモン注射をサケのメスとオスにすると、サケのメスは卵を産卵する。このサケが産卵をした卵の直径は、2000μm前後である。この直径が、2000μm前後のサケの卵を、例えば、日金工株式会社が製造販売をしている、商品名がエキスパンドメタルで、材質はＵ−１、又はＵ−２、又はチタン、又はアルミニウム、又は銅（以下、略して、チタンとする）で、厚さは300μmで、穴径はサケの卵の直径である、2000μm以下の、図19（B）に示している。サケの卵よりも、網目のサイズが小さい、2000μm以下のエキスパンドメタルで出来ている、例えば、長さが60ｃｍで、横幅が60ｃｍで、高さが30ｃｍの、蓋が付いていない容器で、容器の5面共に、穴径が2000μm以下で、サケの卵よりも小さいエキスパンドメタルを使用して出来ている。このエキスパンドメタルで出来ている容器の内部にサケの卵を入れている容器を、水槽5の内部に入れて、例えば、海水面下3ｍから300ｍの深さの海底から、ポンプを使用して吸い上げた、2000μm以下の穴径よりも小さい微生物、又はプランクトン、又はプランクトンの死骸、又はプランクトンの糞、又はマリンスノー（以下、略して、マリンスノーとする）を含有している海水を、水槽5の上の方向から、直接に、サケの卵を入れている容器（B）の内部である。図19（B）に示している、容器（B）の内部にマリンスノーを含有している海水を、直接に注水をして、サケの卵が孵化をして、サケの幼生であるプレレプトセアルスに成長をした、幼生であるプレレプトセアルスに、飼料となるマリンスノーを餌として与えて、幼生であるプレレプトセアルスから、仔魚であるレプトセアルスの、別名であるサケの仔魚を飼育している概略図を、図19（B）に示している。
【図１９】（C）  図19（C）に示しているのは、サケを陸上の産卵水槽の内部、又は産卵タンクの内部、又は養殖場の内部、又は生簀網の内部（以下、略して、産卵水槽とする）にて、産卵を促進させるためのホルモン注射をメスとオスにする。この産卵を促進させるためのホルモン注射を、７週間から８週間の間に、週１回、ホルモン注射をサケのメスとオスにすると、サケのメスは卵を産卵する。このサケが産卵をしたあとの卵の直径は、2000μm前後である。この直径が、2000μm前後のサケの卵は、約２日位で孵化をして幼生のサケのプレレプトセアルスとなる。このサケのプレレプトセアルスの太さは6000μm前後である。この直径が、6000μm前後のサケのプレレプトセアルスを、例えば、日金工株式会社が製造販売をしている、商品名がエキスパンドメタルで、材質はＵ−１、又はＵ−２、又はチタン、又はアルミニウム、又は銅（以下、略して、チタンとする）で、厚さは300μmで、穴径はサケのプレレプトセアルスよりも、網目のサイズが小さい、図19（C）に示している、6000μm以下のエキスパンドメタルで出来ている、例えば、長さが60ｃｍで、横幅が60ｃｍで、高さが30ｃｍの、蓋が付いていない容器で、容器の5面共に、穴径が6000μm以下で、サケの卵よりも小さいエキスパンドメタルを使用して出来ている。このエキスパンドメタルで出来ている容器（C）の内部にサケのプレレプトセアルスを入れている容器（C）を、水槽5の内部に入れて、例えば、海水面下3ｍから300ｍの深さの海底から、ポンプを使用して吸い上げた、2000μm以下の穴径よりも小さい微生物、又はプランクトン、又はプランクトンの死骸、又はプランクトンの糞、又はマリンスノー（以下、略して、マリンスノーとする）を含有している海水を、水槽5の上の方向から、直接に、サケの幼生であるプレレプトセアルスを入れている容器（C）の内部である。図19（C）に示している、容器（B）の内部にマリンスノーを含有している海水を、直接に注水をして、サケの幼生であるプレレプトセアルスに、飼料となるマリンスノーを餌として与えて、幼生であるプレレプトセアルスから、仔魚であるレプトセアルスの、別名であるサケの仔魚を飼育している概略図を、図19（C）に示している。
【図２０】（A）  図20（A）に示しているのは、ウナギを陸上の産卵水槽の内部、又は産卵タンクの内部、又は養鰻場の内部、又は生簀網の内部（以下、略して、産卵水槽とする）にて、産卵を促進させるためのホルモン注射をメスとオスにする。この産卵を促進させるためのホルモン注射を、７週間から８週間の間に、週１回、ホルモン注射をウナギのメスとオスにすると、ウナギのメスは卵を産卵する。この産卵直前のウナギのメスとオスの両方のウナギを、図20（A）に示している、容器の6面がエキスパンドメタルで出来ている容器の内部に入れて、このエキスパンドメタルで出来ている容器の内部にて、産卵直前のウナギに産卵をさせて、オスの精子にて受精をさせる。このウナギが産卵をした卵の直径は、1500μmから1700μm前後である。この直径が、1500μmから1700μm前後のウナギの卵を、例えば、日金工株式会社が製造販売をしている、商品名がエキスパンドメタルで、材質はＵ−１、又はＵ−２、又はチタン、又はアルミニウム、又は銅（以下、略して、チタンとする）で、厚さは300μmで、穴径はウナギの卵の直径である、1500μm以下の、図20（A）に示している。ウナギの卵よりも、網目のサイズが小さい、1500μm以下のエキスパンドメタルで出来ている、例えば、長さが60ｃｍで、横幅が60ｃｍで、高さが30ｃｍの、蓋が付いていない容器で、容器の5面共に、穴径が1500μm以下で、ウナギの卵よりも小さいエキスパンドメタルを使用して出来ている。このエキスパンドメタルで出来ている容器の内部に産卵直前のウナギを入れて、このエキスパンドメタルで出来ている容器の内部にて産卵をさせる。この産卵をしたウナギと、産卵をした卵を入れている、網目のサイズが、1500μm以下のエキスパンドメタルで出来ている容器（A）を、水槽5の内部に入れて、例えば、海水面下3ｍから300ｍの深さの海底から、ポンプを使用して吸い上げた、微生物、又はプランクトン、又はプランクトンの死骸、又はプランクトンの糞、又はマリンスノー（以下、略して、マリンスノーとする）を含有している海水を、水槽5の上の方向から、直接に、ウナギの卵を入れている容器（A）の内部である。図20（A）に示している、容器（A）の内部にマリンスノーを含有している海水を、直接に注水をして、ウナギの幼生であるプレレプトセアルスに、飼料となるマリンスノーを餌として与えて、幼生であるプレレプトセアルスから、仔魚であるレプトセアルスの、別名であるシラスウナギを飼育している概略図を、図20（A）に示している。
【図２１】図21に示しているのは、ウナギを陸上の産卵水槽の内部、又は産卵タンクの内部、又は養鰻場の内部、又は生簀網の内部（以下、略して、産卵水槽とする）にて、産卵を促進させるためのホルモン注射をメスとオスにする。この産卵を促進させるためのホルモン注射を、７週間から８週間の間に、週１回、ホルモン注射をウナギのメスとオスにすると、ウナギのメスは卵を産卵する。このウナギが産卵をした卵の直径は、1500μmから1700μm前後である。この直径が、1500μmから1700μm前後のウナギの卵を、例えば、日金工株式会社が製造販売をしている、商品名がエキスパンドメタルで、材質はＵ−１、又はＵ−２、又はチタン、又はアルミニウム、又は銅（以下、略して、チタンとする）で、厚さは300μmで、穴径はウナギの卵の直径である、1500μm以下の、図21に示している。ウナギの卵よりも、網目のサイズが小さい、1500μm以下のエキスパンドメタル、又はその他の金鋼（以下、略して、エキスパンドメタルとする）で出来ている、例えば、長さが60ｃｍで、横幅が60ｃｍで、高さが30ｃｍの、蓋が付いている容器で、容器の6面共に、穴径が1500μm以下で、ウナギの卵よりも小さいエキスパンドメタルを使用して出来ている。このエキスパンドメタルで出来ている容器7の内部に、ウナギの卵を入れている容器7を、ワムシ増養殖水槽10（以下、略して、タンク10とする）の内部に吊り下げている。または、ウナギの卵を、直接に入れているタンク10の内部に、ワムシ14とワムシ14の飼料となるクロレラ13とを一緒に入れている。このワムシ14を増養殖しているタンク10の内部に、直接にウナギの卵をタンク10の内部に一緒に入れている。このタンク10の内部の水温を、25℃に維持をすると、ウナギの卵は29時間から30時間にて孵化をする。このウナギの卵が孵化をして、ウナギの幼生であるプレレプトセアルスに餌を与えるために、孵化をしたばかりの、ウナギの幼生であるプレレプトセアルスを飼育するために、ワムシ14が排泄をする糞15、又はワムシ14がクロレラ13を食べた後の残飯で、クロレラ13の破砕物、又はワムシ14を飼料として、ウナギの幼生であるプレレプトセアルスに、ワムシ14の糞を与える目的にて、ワムシ増養殖水槽10の内部にて、ワムシ14を増養殖するための飼料として、クロレラ13を飼料とする。ワムシ14を増養殖するためのタンク10の内部に、ワムシ14とクロレラ13とを混合して入れて、ワムシ14を増養殖しているタンク10の内部に、ワムシ14の飼料となるクロレラ13を、ワムシ自動給餌機11を経由して、タンク10の内部にクロレラ13を、ワムシ自動給餌機11を経由して、ワムシ14の飼料となるクロレラ13を送り込んでいるタンク10の内部にて、ウナギの卵が孵化をして、ウナギの幼生であるプレレプトセアルスに成長をさせるために、幼生であるプレレプトセアルスに、飼料となるワムシ14がタンク10の内部にて排泄をする糞15、又はワムシ14がクロレラ13を食べた後の残飯で、クロレラ13の破砕物、又はワムシ14を飼料として与えることにより、幼生であるプレレプトセアルスから、仔魚であるレプトセアルスの、別名であるシラスウナギを飼育している概略図を、図21に示している。
【図２２】図22に示しているのは、ウナギを陸上の産卵水槽の内部、又は産卵タンクの内部、又は養鰻場の内部、又は生簀網の内部（以下、略して、産卵水槽とする）にて、産卵を促進させるためのホルモン注射をメスとオスにする。この産卵を促進させるためのホルモン注射を、７週間から８週間の間に、週１回、ホルモン注射をウナギのメスとオスにすると、ウナギのメスは卵を産卵する。このウナギが産卵をした卵の直径は、1500μmから1700μm前後である。この直径が、1500μmから1700μm前後のウナギの卵は、水温が25℃の場合であれば、29時間、又は30時間で、孵化をして幼生のウナギのプレレプトセアルスとなる。このウナギのプレレプトセアルスの太さは、5000μm前後である。この直径が、5000μm前後のウナギのプレレプトセアルスを、例えば、日金工株式会社が製造販売をしている、商品名がエキスパンドメタルで、材質はＵ−１、又はＵ−２、又はチタン、又はアルミニウム、又は銅（以下、略して、チタンとする）で、厚さは300μmで、穴径はウナギの幼生であるプレレプトセアルスの直径である、5000μm以下の、図22に示している。ウナギのプレレプトセアルスよりも、網目のサイズが小さい、5000μm以下のエキスパンドメタルで出来ている、例えば、長さが60ｃｍで、横幅が60ｃｍで、高さが30ｃｍの、蓋が付いている容器で、容器の6面共に、穴径が5000μm以下で、ウナギのプレレプトセアルスよりも小さいエキスパンドメタルを使用して出来ている。このエキスパンドメタルで出来ている容器7の内部に、ウナギの幼生であるプレレプトセアルスを入れている容器7を、ワムシ増養殖水槽10（以下、略して、タンク10とする）の内部に吊り下げている。または、ウナギの卵を、直接に入れているタンク10の内部に、ワムシ14とワムシ14の飼料となるクロレラ13とを一緒に入れている。このワムシ14を増養殖しているタンク10の内部に、直接にウナギの卵をタンク10の内部に一緒に入れている。このタンク10の内部の水温を、25℃に維持をすると、ウナギの卵は29時間から30時間にて孵化をする。このウナギの卵が孵化をして、ウナギの幼生であるプレレプトセアルスに餌を与えるために、孵化をしたばかりの、ウナギの幼生であるプレレプトセアルスを飼育するために、ワムシ14が排泄をする糞15、又はワムシ14がクロレラ13を食べた後の残飯で、クロレラ13の破砕物、又はワムシ14を飼料として、ウナギの幼生であるプレレプトセアルスに、ワムシ14の糞を与える目的にて、ワムシ増養殖水槽10の内部にて、ワムシ14を増養殖するための飼料として、クロレラ13を飼料とする。ワムシ14を増養殖するためのタンク10の内部に、ワムシ14とクロレラ13とを混合して入れて、ワムシ14を増養殖しているタンク10の内部に、ワムシ14の飼料となるクロレラ13を、ワムシ自動給餌機11を経由して、タンク10の内部にクロレラ13を、ワムシ自動給餌機11を経由して、ワムシ14の飼料となるクロレラ13を送り込んでいるタンク10の内部にて、ウナギの卵が孵化をして、ウナギの幼生であるプレレプトセアルスに成長をさせるために、幼生であるプレレプトセアルスに、飼料となるワムシ14がタンク10の内部にて排泄をする糞15、又はワムシ14がクロレラ13を食べた後の残飯で、クロレラ13の破砕物、又はワムシ14を飼料として与えることにより、幼生であるプレレプトセアル��から、仔魚であるレプトセアルスの、別名であるシラスウナギを飼育している概略図を、図22に示している。
【図２３】図23に示しているのは、クロマグロを陸上の産卵水槽の内部、又は産卵タンクの内部、又は養殖場の内部、又は生簀網の内部（以下、略して、産卵水槽とする）にて、産卵を促進させるためのホルモン注射をメスとオスにする。この産卵を促進させるためのホルモン注射を、７週間から８週間の間に、週１回、ホルモン注射をクロマグロのメスとオスにすると、クロマグロのメスは卵を産卵する。このクロマグロが産卵をした卵の直径は、900μmから1000μm前後である。この直径が、900μmから1000μm前後のクロマグロの卵を、例えば、日金工株式会社が製造販売をしている、商品名がエキスパンドメタルで、材質はＵ−１、又はＵ−２、又はチタン、又はアルミニウム、又は銅（以下、略して、チタンとする）で、厚さは300μmで、穴径はクロマグロの卵の直径である、900μm以下の、図23に示している。クロマグロの卵よりも、網目のサイズが小さい、900μm以下のエキスパンドメタルで出来ている、例えば、長さが60ｃｍで、横幅が60ｃｍで、高さが30ｃｍの、蓋が付いている容器で、容器の6面共に、穴径が900μm以下で、クロマグロの卵よりも小さいエキスパンドメタルを使用して出来ている。このエキスパンドメタルで出来ている容器7の内部に、クロマグロの卵を入れている容器7を、ワムシ増養殖水槽10（以下、略して、タンク10とする）の内部に吊り下げている。または、クロマグロの卵を入れているタンク10の内部に、ワムシ14とワムシ14の飼料となるクロレラ13とを一緒に入れている。このタンク10の内部の水温を、25℃に維持をすると、クロマグロの卵は29時間から30時間にて孵化をする。このクロマグロの卵が孵化をして、ウナギの幼生であるプレレプトセアルスに餌を与えるために、孵化をしたばかりの、クロマグロの幼生であるプレレプトセアルスを飼育するために、ワムシ14が排泄をする糞15、又はワムシ14がクロレラ13を食べた後の残飯で、クロレラ13の破砕物、又はワムシ14を飼料として、クロマグロの幼生であるプレレプトセアルスに、ワムシ14の糞を与える目的にて、ワムシ増養殖水槽10の内部にて、ワムシ14を増養殖するための飼料として、クロレラ13を飼料とする。ワムシ14を増養殖するためのタンク10の内部に、クロレラ13を、ワムシ自動給餌機11を経由して、ワムシ14の飼料となるクロレラ13を送り込んでいるタンク10の内部にて、クロマグロの卵が孵化をして、ウナギの幼生であるプレレプトセアルスに成長をさせるために、幼生であるプレレプトセアルスに、飼料となるワムシ14がタンク10の内部にて排泄をする糞15、又はワムシ14がクロレラ13を食べた後の残飯で、クロレラ13の破砕物、又はワムシ14を飼料として与えることにより、幼生であるプレレプトセアルスから、仔魚であるレプトセアルスの、別名であるシビ仔、又はヨコワを飼育している概略図を、図23に示している。
【図２４】図24に示しているのは、クロマグロを陸上の産卵水槽の内部、又は産卵タンクの内部、又は養殖場の内部、又は生簀網の内部（以下、略して、産卵水槽とする）にて、産卵を促進させるためのホルモン注射をメスとオスにする。この産卵を促進させるためのホルモン注射を、７週間から８週間の間に、週１回、ホルモン注射をクロマグロのメスとオスにすると、クロマグロのメスは卵を産卵する。このクロマグロが産卵をしたあとの卵の直径は、900μmから1000μm前後である。この直径が、900μmから1000μm前後のクロマグロの卵は、約２日位で孵化をしてクロマグロの幼生であるプレレプトセアルスとなる。このクロマグロのプレレプトセアルスの太さは、約2700μm以下である。この直径が、約2700μm以下のクロマグロのプレレプトセアルスを、例えば、日金工株式会社が製造販売をしている、商品名がエキスパンドメタルで、材質はＵ−１、又はＵ−２、又はチタン、又はアルミニウム、又は銅（以下、略して、チタンとする）で、厚さは300μmで、穴径はクロマグロの幼生であるプレレプトセアルスの直径である、2700μm以下の、図24に示している。クロマグロの幼生であるプレレプトセアルスよりも、網目のサイズが小さい、2700μm以下のエキスパンドメタルで出来ている、例えば、長さが60ｃｍで、横幅が60ｃｍで、高さが30ｃｍの、蓋が付いている容器で、この蓋付きの容器の6面共に、穴径が2700μm以下で、クロマグロの卵よりも小さいエキスパンドメタルを使用して出来ている。このエキスパンドメタルで出来ている容器の内部に、クロマグロのプレレプトセアルスを入れている容器7を、ワムシ増養殖水槽10（以下、略して、タンク10とする）の内部に吊り下げている。または、クロマグロの卵を入れているタンク10の内部に、ワムシ14とワムシ14の飼料となるクロレラ13とを一緒に入れている。このタンク10の内部の水温を、25℃に維持をすると、クロマグロの卵は29時間から30時間にて孵化をする。このクロマグロの卵が孵化をして、ウナギの幼生であるプレレプトセアルスに餌を与えるために、孵化をしたばかりの、クロマグロの幼生であるプレレプトセアルスを飼育するために、ワムシ14が排泄をする糞15、又はワムシ14がクロレラ13を食べた後の残飯で、クロレラ13の破砕物、又はワムシ14を飼料として、クロマグロの幼生であるプレレプトセアルスに、ワムシ14の糞を与える目的にて、ワムシ増養殖水槽10の内部にて、ワムシ14を増養殖するための飼料として、クロレラ13を飼料とする。ワムシ14を増養殖するためのタンク10の内部に、クロレラ13を、ワムシ自動給餌機11を経由して、ワムシ14の飼料となるクロレラ13を送り込んでいるタンク10の内部にて、クロマグロの卵が孵化をして、クロマグロの幼生であるプレレプトセアルスに成長をさせるために、幼生であるプレレプトセアルスに、飼料となるワムシ14がタンク10の内部にて排泄をする糞15、又はワムシ14がクロレラ13を食べた後の残飯で、クロレラ13の破砕物、又はワムシ14を飼料として与えることにより、幼生であるプレレプトセアルスから、仔魚であるレプトセアルスの、別名であるシビ仔、又はヨコワを飼育している概略図を、図24に示している。
【図２５】図25に示しているのは、ウナギを陸上の産卵水槽の内部、又は産卵タンクの内部、又は養鰻場の内部、又は生簀網の内部（以下、略して、産卵水槽とする）にて、産卵を促進させるためのホルモン注射をメスとオスにする。この産卵を促進させるためのホルモン注射を、７週間から８週間の間に、週１回、ホルモン注射をウナギのメスとオスにすると、ウナギのメスは卵を産卵する。このウナギが産卵をした卵の直径は、1500μmから1700μm前後である。この直径が、1500μmから1700μm前後のウナギの卵を、ワムシ14を増養殖しているタンク10の内部に、直接にウナギの卵をタンク10の内部に入れる。そして、このタンク10の内部の水温を、25℃に維持をすると、ウナギの卵は29時間から30時間にて孵化をする。このウナギの卵が孵化をして、ウナギの幼生であるプレレプトセアルスに餌を与えるために、孵化をしたばかりの、ウナギの幼生であるプレレプトセアルスを飼育するために、ワムシ14が排泄をする糞15、又はワムシ14がクロレラ13を食べた後の残飯で、クロレラ13の破砕物、又はワムシ14を飼料として、ウナギの幼生であるプレレプトセアルスに、ワムシ14の糞を与える目的にて、ワムシ増養殖水槽10の内部にて、ワムシ14を増養殖するための飼料として、クロレラ13を飼料とする。ワムシ14を増養殖するためのタンク10の内部に、ワムシ14とクロレラ13とを混合して入れて、ワムシ14を増養殖しているタンク10の内部に、ワムシ14の飼料となるクロレラ13を、ワムシ自動給餌機11を経由して、タンク10の内部にクロレラ13を、ワムシ自動給餌機11を経由して、ワムシ14の飼料となるクロレラ13を送り込んでいるタンク10の内部にて、ウナギの卵が孵化をして、ウナギの幼生であるプレレプトセアルスに成長をさせるために、幼生であるプレレプトセアルスに、飼料となるワムシ14がタンク10の内部にて排泄をする糞15、又はワムシ14がクロレラ13を食べた後の残飯で、クロレラ13の破砕物、又はワムシ14を飼料として与えることにより、幼生であるプレレプトセアルスから、仔魚であるレプトセアルスの、別名であるシラスウナギを飼育している概略図を、図25に示している。
【図２６】図26に示しているのは、ウナギを陸上の産卵水槽の内部、又は産卵タンクの内部、又は養鰻場の内部、又は生簀網の内部（以下、略して、産卵水槽とする）にて、産卵を促進させるためのホルモン注射をメスとオスにする。この産卵を促進させるためのホルモン注射を、７週間から８週間の間に、週１回、ホルモン注射をウナギのメスとオスにすると、ウナギのメスは卵を産卵する。このウナギが産卵をした卵の直径は、1500μmから1700μm前後である。この直径が、1500μmから1700μm前後のウナギの卵は、水温が25℃の場合であれば、29時間、又は30時間で、孵化をして幼生のウナギのプレレプトセアルスとなる。このウナギのプレレプトセアルスの太さは、5000μm前後である。この直径が、5000μm前後のウナギのプレレプトセアルスを、ワムシ14を増養殖しているタンク10の内部に、直接にウナギの幼生であるプレレプトセアルスをタンク10の内部に入れる。そして、このウナギの幼生であるプレレプトセアルスに餌を与えるために、孵化をしたばかりの、ウナギの幼生であるプレレプトセアルスを飼育するために、ワムシ14が排泄をする糞15、又はワムシ14がクロレラ13を食べた後の残飯で、クロレラ13の破砕物、又はワムシ14を飼料として、ウナギの幼生であるプレレプトセアルスに、ワムシ14の糞を与える目的にて、ワムシ増養殖水槽10の内部にて、ワムシ14を増養殖するための飼料として、クロレラ13を飼料とする。ワムシ14を増養殖するためのタンク10の内部に、ワムシ14とクロレラ13とを混合して入れて、ワムシ14を増養殖しているタンク10の内部に、ワムシ14の飼料となるクロレラ13を、ワムシ自動給餌機11を経由して、タンク10の内部にクロレラ13を、ワムシ自動給餌機11を経由して、ワムシ14の飼料となるクロレラ13を送り込んでいるタンク10の内部にて、ウナギの卵が孵化をして、ウナギの幼生であるプレレプトセアルスに成長をさせるために、幼生であるプレレプトセアルスに、飼料となるワムシ14がタンク10の内部にて排泄をする糞15、又はワムシ14がクロレラ13を食べた後の残飯で、クロレラ13の破砕物、又はワムシ14を飼料として与えることにより、幼生であるプレレプトセアルスから、仔魚であるレプトセアルスの、別名であるシラスウナギを飼育している概略図を、図26に示している。
【図２７】図27に示しているのは、クロマグロを陸上の産卵水槽の内部、又は産卵タンクの内部、又は養殖場の内部、又は生簀網の内部（以下、略して、産卵水槽とする）にて、産卵を促進させるためのホルモン注射をメスとオスにする。この産卵を促進させるためのホルモン注射を、７週間から８週間の間に、週１回、ホルモン注射をクロマグロのメスとオスにすると、クロマグロのメスは卵を産卵する。このクロマグロが産卵をした卵の直径は、900μmから1000μm前後である。この直径が、900μmから1000μm前後のクロマグロの卵を、ワムシ14を増養殖しているタンク10の内部に、直接にクロマグロの卵をタンク10の内部に入れる。そして、このタンク10の内部の水温を、25℃に維持をすると、クロマグロの卵は29時間から30時間にて孵化をする。このクロマグロの卵が孵化をして、ウナギの幼生であるプレレプトセアルスに餌を与えるために、孵化をしたばかりの、クロマグロの幼生であるプレレプトセアルスを飼育するために、ワムシ14が排泄をする糞15、又はワムシ14がクロレラ13を食べた後の残飯で、クロレラ13の破砕物、又はワムシ14を飼料として、クロマグロの幼生であるプレレプトセアルスに、ワムシ14の糞を与える目的にて、ワムシ増養殖水槽10の内部にて、ワムシ14を増養殖するための飼料として、クロレラ13を飼料とする。ワムシ14を増養殖するためのタンク10の内部に、クロレラ13を、ワムシ自動給餌機11を経由して、ワムシ14の飼料となるクロレラ13を送り込んでいるタンク10の内部にて、クロマグロの卵が孵化をして、ウナギの幼生であるプレレプトセアルスに成長をさせるために、幼生であるプレレプトセアルスに、飼料となるワムシ14がタンク10の内部にて排泄をする糞15、又はワムシ14がクロレラ13を食べた後の残飯で、クロレラ13の破砕物、又はワムシ14を飼料として与えることにより、幼生であるプレレプトセアルスから、仔魚であるレプトセアルスの、別名であるシビ仔、又はヨコワを飼育している概略図を、図27に示している。
【図２８】図28に示しているのは、クロマグロを陸上の産卵水槽の内部、又は産卵タンクの内部、又は養殖場の内部、又は生簀網の内部（以下、略して、産卵水槽とする）にて、産卵を促進させるためのホルモン注射をメスとオスにする。この産卵を促進させるためのホルモン注射を、７週間から８週間の間に、週１回、ホルモン注射をクロマグロのメスとオスにすると、クロマグロのメスは卵を産卵する。このクロマグロが産卵をしたあとの卵の直径は、900μmから1000μm前後である。この直径が、900μmから1000μm前後のクロマグロの卵は、約２日位で孵化をしてクロマグロの幼生であるプレレプトセアルスとなる。このクロマグロのプレレプトセアルスの太さは、約2700μm以下である。この直径が、約2700μm以下のクロマグロのプレレプトセアルスを、ワムシ14を増養殖しているタンク10の内部に、直接にクロマグロの幼生であるプレレプトセアルスをタンク10の内部に入れる。そして、このクロマグロの幼生であるプレレプトセアルスに餌を与えるために、孵化をしたばかりの、クロマグロの幼生であるプレレプトセアルスを飼育するために、ワムシ14が排泄をする糞15、又はワムシ14がクロレラ13を食べた後の残飯で、クロレラ13の破砕物、又はワムシ14を飼料として、クロマグロの幼生であるプレレプトセアルスに、ワムシ14の糞を与える目的にて、ワムシ増養殖水槽10の内部にて、ワムシ14を増養殖するための飼料として、クロレラ13を飼料とする。ワムシ14を増養殖するためのタンク10の内部に、クロレラ13を、ワムシ自動給餌機11を経由して、ワムシ14の飼料となるクロレラ13を送り込んでいるタンク10の内部にて、クロマグロの卵が孵化をして、ウナギの幼生であるプレレプトセアルスに成長をさせるために、幼生であるプレレプトセアルスに、飼料となるワムシ14がタンク10の内部にて排泄をする糞15、又はワムシ14がクロレラ13を食べた後の残飯で、クロレラ13の破砕物、又はワムシ14を飼料として与えることにより、幼生であるプレレプトセアルスから、仔魚であるレプトセアルスの、別名であるシビ仔、又はヨコワを飼育している概略図を、図28に示している。
【図２９】図29に示しているのは、生クロレラ自動給餌装置11（以下、略して、ワムシ自動給餌機11、又は給餌機11とする）を2台使用している。第1番目（No1）の1台は、生クロレラ自動給餌機11を使用して、ワムシ14を増養殖しているタンク10の内部に、生のクロレラ13を定量ずつ時間割して自動的に供給をして、タンク10の内部のワムシ14を生のクロレラ3を餌として増養殖しているのに、生クロレラ自動給餌機装置11を使用している。第2番目（No2）の1台は、生クロレラ自動給餌装置11である給餌機11を使用して、タンク10の内部にて生のクロレラ13を餌として増養殖をしたワムシ14を、ウナギの幼生であるプレレプトセアルス、又はクロマグロの幼生であるプレレプトセアルス、又はサケの幼生であるプレレプトセアルス（以下、略して、ウナギの幼生とする）を飼育している水槽5の内部に、タンク10の内部にて増養殖をしたワムシ14、又はワムシ14の仔ワムシ18、又はワムシ14の糞15、又はワムシ14の死骸19（以下、略して、マリンスノー19とする）、又はクロレラ13の破壊物20、又はクロレラ13の残飯21（以下、略して、マリンスノー19とする）を、ワムシ自動給餌機11を使用して、水槽5の内部に、マリンスノー19を定量ずつ時間割して自動的に供給をして、水槽5の内部にてウナギの幼生であるプレレプトセアルス、又はクロマグロの幼生であるプレレプトセアルス、又はサケの幼生であるプレレプトセアルスを飼育している概略図を、図29に示している。
【図３０】図30に示しているのは、生クロレラ自動給餌装置11（以下、略して、ワムシ自動給餌機11、又は給餌機11とする）を2台使用している。第1番目（No1）の1台は、生クロレラ自動給餌機11を使用して、ワムシ14を増養殖しているタンク10の内部に、生のクロレラ13を定量ずつ時間割して自動的に供給をして、タンク10の内部のワムシ14を生のクロレラ3を餌として増養殖しているのに、生クロレラ自動給餌機装置11を使用している。第2番目（No2）の1台は、生クロレラ自動給餌装置11である給餌機11を使用して、タンク10の内部にて生のクロレラ13を餌として増養殖をしたワムシ14を、ウナギの幼生であるプレレプトセアルス、又はクロマグロの幼生であるプレレプトセアルス、又はサケの幼生であるプレレプトセアルス（以下、略して、ウナギの幼生とする）を飼育している水槽5の内部に、タンク10の内部にて増養殖をしたワムシ14、又はワムシ14の仔ワムシ18、又はワムシ14の糞15、又はワムシ14の死骸19（以下、略して、マリンスノー19とする）、又はクロレラ13の破壊物20、又はクロレラ13の残飯21（以下、略して、マリンスノー19とする）を、ワムシ自動給餌機11を使用して、水槽5の内部に、マリンスノー19を定量ずつ時間割して自動的に供給をして、水槽5の内部にてウナギの幼生であるプレレプトセアルス、又はクロマグロの幼生であるプレレプトセアルス、又はサケの幼生であるプレレプトセアルスを飼育している。また、上記の図30にて説明をしている、生クロレラ自動給餌装置11「クロレラ工業株式会社の商品名はワムシわくわく」（以下、略して、ワムシわくわく11とする）。このワムシわくわく11の特徴としては、下記の1から7のような特徴がある。 ＊ワムシわくわく11の特徴  1.100L〜50ｋLまでの水槽での給餌を制御できます。  2.水槽3基を同時に制御できます。  3.連続、回分（バッチ）、流加式の培養法に対応できます。  4.生クロレラは常に冷却状態で運転できます。  5.給餌ラインは給餌毎に海水で洗う為に、クロレラが変敗しません。  6.操作は毎日の給餌量をタッチパネルからマイコンに入力するだけと大変に簡単です。  7.マイコンのプログラム上の組合せによって、6000種類以上のパターンが可能です。 使用例  連続培養：    ワムシの種株維持には連続培養を行いますが、「ワムシわくわく」を用いれば、非常に簡単な設備で培養可能です。1ml当たり1,000〜3,000個体の間で安定して培養できます。連続培養を生産培養に用いる場合は、1ｋL水槽で一日に10億程度のワムシが生産できます。    回分（バッチ）培養：    生産培養で常用する回分（バッチ）培養で、「ワムシわくわく」を用いると、空気通気だけで8,000個体/ml程度まで1ｋLの水槽で培養可能です。また、間引き培養も、流加式培養も同様にワムシ個体数に応じた給餌をできるようにしています。    生クロレラの給餌量は、連続培養、回分（バッチ）培養のいずれの場合も4〜6L/10億ワムシ生産量を目安としてご使用ください。  さらに、上記の使用例にあるように、1ｋL水槽で一日に10億個程度のワムシ14の生産が出来る。また、ワムシわくわく11は、3基の水槽5を同時に制御することが出来るので、図中のタンク10の内部にて、ｋL当たり10億個程度の高密度にワムシ14を飼育することが出来る。このNo1系統のワムシわくわく11を使用してワムシ14を、タンク10の内部にて高���度に飼育をすることが出来る。さらに、水槽5の内部には、No2系統のワムシわくわく11を使用して、1ml当たり数十個体から数千個体の、極少量ずつのワムシ14を、マイコンを使用して、6,000種類以上の給餌パターンから選択をして、ウナギの幼生であるプレレプトセアルス、又はクロマグロの幼生であるプレレプトセアルス、又はサケの幼生であるプレレプトセアルスを飼育している概略図を、図30に示している。
【発明を実施するための形態】
【実施例１】
【００２９】
ウナギ、及びクロマグロ（以下、略して、ウナギとする）は絶滅危惧種に指定をされた。絶滅危惧種への指定は、もちろん数が減ったのが原因で、天然ウナギの漁獲量は最盛期の10分の1に減っている。養鰻に使うシラスウナギは50分の1近くまで激減をしている。そこで人工的にシラスウナギを増やす種苗生産が強く期待をされている。
成鰻のウナギのメス、オスに産卵を促進させるためのホルモン注射をすると産卵をする。また、成鰻であれば、一年中、いつでも、好きな時に、産卵をさせることが出来る。けれども、産卵をした卵からシラスウナギに成長をするまでの期間が、半年から一年間と長くて、この時期の成育が、飼料の問題もあるが、陸上に於いて育成をするのには、経済的に困難である。そこで、経済的に、安価にシラスウナギを入手する手段として、陸上の産卵水槽の内部、又は養鰻場の内部にて、成鰻のウナギのメスとオスに、産卵を促進させるためのホルモン注射をしてから、産卵直前のウナギを、図8に示しているような、例えば、小さい湾で、志布志湾、又は佐伯湾、又はペルシャ湾、又は紅海、又はメキシコ湾、又はカリフォルニア湾などのように、湾の内部に川の上流から河口に水が流れ込んでいるような、湾の内部の中心部分で、水深が、30ｍから300ｍの深い場所に、産卵直前のウナギのメスとオスを放流する。または、図9、及び図10に示しているような、入り口が狭くて、奥が広い入り江の内部の、水深が、30ｍから300ｍの深い場所に、産卵直前のウナギを放流する。さらに、海岸から近い海洋の水深が30ｍから300ｍ前後の海底面上に放流をして産卵をさせる。あとは、ウナギの卵から孵化をしたプレレプトセアルスは、上層から沈降をしてくるマリンスノー、又は動物性プランクトンの死骸、又はプランクトンの糞、又はプランクトンを餌として食べて成長をしてシラスウナギとなる。このシラスウナギは干満の動きである波動により、海岸の波打ち際、又は河口に接近をしてくる。このシラスウナギを捕獲して養殖する構成なので、シラスウナギを、人工授精と自然界の種苗生産サイクルとの両方を併用して、シラスウナギの種苗生産が出来るので、シラスウナギを極く安価に、多量に、容易に入手をすることが出来ることを実施例１とする。
【実施例２】
【００３０】
ウナギを陸上の産卵水槽の内部、又は産卵タンクの内部、又は養鰻場の内部、又は生簀網の内部（以下、略して、産卵水槽とする）にて、産卵を促進させるためのホルモン注射をメスとオスにする。この産卵を促進させるためのホルモン注射を、７週間から８週間の間に、週１回、ホルモン注射をウナギのメスとオスにすると、ウナギのメスは卵を産卵する。
このウナギが産卵をした卵の直径は、1500μmから1700μm前後である。この直径が、1500μmから1700μm前後のウナギの卵を、例えば、日金工株式会社が製造販売をしている、商品名がエキスパンドメタルで、材質はＵ−１、又はＵ−２、又はチタン、又はアルミニウム、又は銅（以下、略して、チタンとする）で、厚さは300μmで、穴径はウナギの卵の直径である、1500μm以下の、図1に示している。ウナギの卵よりも、網目のサイズが小さい、1500μm以下のエキスパンドメタル、又はその他の金鋼（以下、略して、エキスパンドメタルとする）で出来ている、例えば、長さが60ｃｍで、横幅が60ｃｍで、高さが30ｃｍの、蓋付きの容器で、この蓋付きの容器の6面共に、穴径が1500μm以下で、ウナギの卵よりも小さいエキスパンドメタルを使用して出来ている。このエキスパンドメタルで出来ている容器の内部にウナギの卵を入れて、海流の流れが速くて、水深が30ｍから300ｍ前後のところに、ロープを使用して吊るすと、ウナギの卵は、25℃の場合には、29時間から30時間にて、ウナギの卵は孵化をしてプレレプトセアルスとなる。このウナギのプレレプトセアルスの餌としては、このエキスパンドメタルで出来ている容器に形成をしている。1500μm以下の穴径よりも小さい微生物、又はプランクトン、又はプランクトンの死骸、又はプランクトンの糞、又はマリンスノー（以下、略して、マリンスノーとする）が、海流の動きにより、容器の表面上に形成をしている穴径が1500μm以下のエキスパンドメタルにて出来ている容器の内部に、海流の動きと一緒にマリンスノーが、海水と一緒に流入をしてくる。このマリンスノーを飼料として、ウナギのプレレプトセアルスは半年から1年間の期間、マリンスノーを餌として食べて、このエキスパンドメタルで出来ている容器の内部にて、産卵をしたウナギの卵から孵化をして、幼生のプレレプトセアルスとなる。さらに、プレレプトセアルスから、ウナギの仔魚であるレプトセアルスの別名であるシラスウナギとなる。このシラスウナギを、エキスパンドメタルで出来ている容器から取り出して養鰻場にて増養殖をして成鰻とすることが出来ることを実施例２とする。
【実施例３】
【００３１】
ウナギを陸上の産卵水槽の内部、又は産卵タンクの内部、又は養鰻場の内部、又は生簀網の内部（以下、略して、産卵水槽とする）にて、産卵を促進させるためのホルモン注射をメスとオスにする。この産卵を促進させるためのホルモン注射を、７週間から８週間の間に、週１回、ホルモン注射をウナギのメスとオスにすると、ウナギのメスは卵を産卵する。
このウナギが産卵をした卵の直径は、1500μmから1700μm前後である。この直径が、1500μmから1700μm前後のウナギの卵は、水温が25℃の場合であれば、29時間、又は30時間で、孵化をして幼生のウナギのプレレプトセアルスとなる。このウナギのプレレプトセアルスの太さは、5000μm前後である。この直径が、5000μm前後のウナギのプレレプトセアルスを、例えば、日金工株式会社が製造販売をしている、商品名がエキスパンドメタルで、材質はＵ−１、又はＵ−２、又はチタン、又はアルミニウム、又は銅（以下、略して、チタンとする）で、厚さは300μmで、穴径はウナギのプレレプトセアルスの直径である、5000μm以下の、図２に示している。ウナギのプレレプトセアルスよりも、網目のサイズが小さい、5000μm以下のエキスパンドメタルで出来ている、例えば、長さが60ｃｍで、横幅が60ｃｍで、高さが30ｃｍの、蓋付きの容器で、この蓋付きの容器の6面共に、穴径が5000μm以下で、ウナギのプレレプトセアルスよりも小さいエキスパンドメタルを使用して出来ている。このエキスパンドメタルで出来ている容器の内部にウナギのプレレプトセアルスを入れて、海流の流れが速くて、水深が30ｍから300ｍ前後のところに、ロープを使用して吊るすと、このウナギのプレレプトセアルスの餌としては、このエキスパンドメタルで出来ている容器に形成をしている。5000μm以下の穴径よりも小さい微生物、又はプランクトン、又はプランクトンの死骸、又はプランクトンの糞、又はマリンスノー（以下、略して、マリンスノーとする）が、海流の動きにより、容器の表面上に形成をしている穴径が5000μｍ以下のエキスパンドメタルにて出来ている容器の内部に、海流の動きと一緒にマリンスノーが、海水と一緒に流入をしてくる。このマリンスノーを飼料として、ウナギのプレレプトセアルスは半年から1年間の期間、マリンスノーを餌として食べて、このエキスパンドメタルで出来ている容器の内部にて仔魚のレプトセアルスとなる。このウナギのレプトセアルスがシラスウナギの別名である。このシラスウナギを、エキスパンドメタルで出来ている容器から取り出して養鰻場にて増養殖をして成鰻とすることが出来ることを実施例３とする。
【実施例４】
【００３２】
ウナギを陸上の産卵水槽の内部、又は産卵タンクの内部、又は養鰻場の内部、又は生簀網の内部（以下、略して、産卵水槽とする）にて、産卵を促進させるためのホルモン注射をメスとオスにする。この産卵を促進させるためのホルモン注射を、７週間から８週間の間に、週１回、ホルモン注射をウナギのメスとオスにすると、ウナギのメスは卵を産卵する。この産卵直前のウナギのメスとオスの両方のウナギを、図7に示している、容器の4面がエキスパンドメタルで出来ている容器の内部に入れて、このエキスパンドメタルで出来ている容器の内部にて、産卵直前のウナギに産卵をさせて、オスの精子にて受精をさせる。
このウナギが産卵をした卵の直径は、1500μmから1700μm前後である。この直径が、1500μmから1700μm前後のウナギの卵を、例えば、日金工株式会社が製造販売をしている、商品名がエキスパンドメタルで、材質はＵ−１、又はＵ−２、又はチタン、又はアルミニウム、又は銅（以下、略して、チタンとする）で、厚さは300μmで、穴径はウナギの卵の直径である、1500μm以下の、図７に示している。ウナギの卵よりも、網目のサイズが小さい、1500μm以下のエキスパンドメタルで出来ている、例えば、長さが60ｃｍで、横幅が60ｃｍで、高さが30ｃｍの、蓋付きの容器で、この蓋付きの容器の6面共に、穴径が1500μm以下で、ウナギの卵よりも小さいエキスパンドメタルを使用して出来ている。このエキスパンドメタルで出来ている容器の内部に産卵直前のウナギを入れて、このエキスパンドメタルで出来ている容器の内部にて産卵をさせる。この産卵をしたウナギと、産卵をした卵を入れている、網目のサイズが、1500μm以下のエキスパンドメタルで出来ている容器を、海流の流れが速くて、水深が30ｍから300ｍ前後のところに、ロープを使用して吊るすと、ウナギの卵は、例えば、水温が25℃の場合には、29時間から30時間にて、ウナギの卵は孵化をしてプレレプトセアルスとなる。このウナギのプレレプトセアルスの餌としては、このエキスパンドメタルで出来ている容器に形成をしている。1500μm以下の穴径よりも小さい微生物、又はプランクトン、又はプランクトンの死骸、又はプランクトンの糞、又はマリンスノー（以下、略して、マリンスノーとする）が、海流の動きにより、容器の表面上に形成をしている穴径が1500μm以下のエキスパンドメタルにて出来ている容器の内部に、海流の動きと一緒にマリンスノーが、海水と一緒に流入をしてくる。このマリンスノーを飼料として、ウナギのプレレプトセアルスは半年から1年間の期間にて、このエキスパンドメタルで出来ている容器の内部にて、産卵をしたウナギの卵から孵化をして、幼生のプレレプトセアルスとなる。さらに、プレレプトセアルスから、ウナギの仔魚であるレプトセアルスの別名であるシラスウナギとなる。このシラスウナギを、エキスパンドメタルで出来ている容器から取り出して養鰻場にて増養殖をして成鰻とすることが出来ることを実施例４とする。
【実施例５】
【００３３】
クロマグロを陸上の産卵水槽の内部、又は産卵タンクの内部、又は養殖場の内部、又は生簀網の内部（以下、略して、産卵水槽とする）にて、産卵を促進させるためのホルモン注射をメスとオスにする。この産卵を促進させるためのホルモン注射を、７週間から８週間の間に、週１回、ホルモン注射をクロマグロのメスとオスにすると、クロマグロのメスは卵を産卵する。このクロマグロが産卵をした卵の直径は、900μmから1000μm前後である。この直径が、900μmから1000μm前後のクロマグロの卵を、例えば、日金工株式会社が製造販売をしている、商品名がエキスパンドメタルで、材質はＵ−１、又はＵ−２、又はチタン、又はアルミニウム、又は銅（以下、略して、チタンとする）で、厚さは300μmで、穴径はクロマグロの卵の直径である、900μm以下の、図３に示している。クロマグロの卵よりも、網目のサイズが小さい、900μm以下のエキスパンドメタルで出来ている、例えば、長さが60ｃｍで、横幅が60ｃｍで、高さが30ｃｍの、蓋付きの容器で、この蓋付きの容器の6面共に、穴径が900μm以下で、クロマグロの卵よりも小さいエキスパンドメタルを使用して出来ている。このエキスパンドメタルで出来ている容器の内部にクロマグロの卵を入れて、海流の流れが速くて、水深が30ｍから300ｍ前後のところに、ロープを使用して吊るすと、クロマグロの卵は孵化をしてプレレプトセアルスとなる。このクロマグロのプレレプトセアルスの餌としては、このエキスパンドメタルで出来ている容器に形成をしている。900μm以下の穴径よりも小さい微生物、又はプランクトン、又はプランクトンの死骸、又はプランクトンの糞、又はマリンスノー（以下、略して、マリンスノーとする）が、海流の動きにより、容器の表面上に形成をしている穴径が900μm以下のエキスパンドメタルにて出来ている容器の内部に、海流の動きと一緒にマリンスノーが、海水と一緒に流入をしてくる。このマリンスノーを飼料として、クロマグロのプレレプトセアルスは半年から1年間の期間、マリンスノーを餌として食べて、このエキスパンドメタルで出来ている容器の内部にて、産卵をしたクロマグロの卵から孵化をして、幼生のプレレプトセアルスとなる。さらに、クロマグロの仔魚であるレプトセアルスとなる。このクロマグロの仔魚であるレプトセアルスの別名がシビ仔、又はヨコワである。このヨコワを生簀網の内部に入れて、約2箇年間、増養殖をすると、約40ｋｇ前後のクロマグロとなることが出来ることを実施例５とする。
【実施例６】
【００３４】
クロマグロを陸上の産卵水槽の内部、又は産卵タンクの内部、又は養殖場の内部、又は生簀網の内部（以下、略して、産卵水槽とする）にて、産卵を促進させるためのホルモン注射をメスとオスにする。この産卵を促進させるためのホルモン注射を、７週間から８週間の間に、週１回、ホルモン注射をクロマグロのメスとオスにすると、クロマグロのメスは卵を産卵する。このクロマグロが産卵をしたあとの卵の直径は、900μmから1000μm前後である。この直径が、900μmから1000μm前後のクロマグロの卵は、約２日位で孵化をして幼生のクロマグロのプレレプトセアルスとなる。このクロマグロのプレレプトセアルスの太さは、約2700μm以下である。この直径が、約2700μm以下のクロマグロのプレレプトセアルスを、例えば、日金工株式会社が製造販売をしている、商品名がエキスパンドメタルで、材質はＵ−１、又はＵ−２、又はチタン、又はアルミニウム、又は銅（以下、略して、チタンとする）で、厚さは300μｍで、穴径はクロマグロの卵の直径である、2700μm以下の、図４に示している。クロマグロのプレレプトセアルスよりも、網目のサイズが小さい、2700μm以下のエキスパンドメタルで出来ている、例えば、長さが60ｃｍで、横幅が60ｃｍで、高さが30ｃｍの、蓋付きの容器で、この蓋付きの容器の6面共に、穴径が2700μm以下で、クロマグロの卵よりも小さいエキスパンドメタルを使用して出来ている。このエキスパンドメタルで出来ている容器の内部にクロマグロのプレレプトセアルスを入れて、海流の流れが速くて、水深が30ｍから300ｍ前後のところに、ロープを使用して吊るすと、このクロマグロのプレレプトセアルスの餌としては、このエキスパンドメタルで出来ている容器に形成をしている、2700μm以下の穴径よりも小さい微生物、又はプランクトン、又はプランクトンの死骸、又はプランクトンの糞、又はマリンスノー（以下、略して、マリンスノーとする）が、海流の動きにより、容器の表面上に形成をしている穴径が2700μm以下のエキスパンドメタルにて出来ている容器の内部に、海流の動きと一緒にマリンスノーが、海水と一緒に流入をしてくる。このマリンスノーを飼料として、クロマグロのプレレプトセアルスは半年から1年間の期間、マリンスノーを餌として食べて、このエキスパンドメタルで出来ている容器の内部にて、クロマグロのプレレプトセアルスから、クロマグロの仔魚であるレプトセアルスとなる。このクロマグロの仔魚であるレプトセアルスの別名がシビ仔、又はヨコワである。このシビ仔、又はヨコワを生簀網の内部に入れて、約2箇年間、増養殖をすると、約40ｋｇ前後のクロマグロとなることが出来ることを実施例６とする。
【実施例７】
【００３５】
クロマグロの場合も、陸上の産卵水槽の内部にて、成魚のクロマグロのメスとオスに、産卵を促進させるためのホルモン注射をしてから、産卵直前のクロマグロを、図8、図9及び図10に示しているような、入り口が狭くて、奥が広い、例えば、大村湾、又は有明海、又は鹿児島湾、又はペルシャ湾、又は紅海、又はメキシコ湾、又はカリフォルニア湾などの湾の奥の、入り江の内部に、産卵直前のクロマグロを放流して、クロマグロに産卵をさせる。あとは、入り江の内部にて、クロマグロの卵から孵化をしたプレレプトセアルスに、ワムシなどの動物性プランクトンなどの餌を与えて飼育をする。さらに、入り江の内部にて餌を与えて、シビ仔、又はヨコワから成魚のクロマグロまで、段々と大きくすると、回遊魚のクロマグロでも、餌さえ定期的に、決まった時間に餌を与えるのであれば、入り江の内部にて、卵から孵化をしたクロマグロであれば、餌付けが出来る割合が高いことが判明をした。従来、クロマグロの増養殖は生簀網を使用して増養殖をしている。この場合、約1ｋｇの仔魚のヨコワを、体重が40ｋｇの成魚のクロマグロに成長をさせるのには、約２箇年間の期間が必要である。この生簀網を使用してクロマグロを増養殖するのと、入り江の内部にて、クロマグロを餌付けして放し飼いにて増養殖をするのとを比較すると、入り江の内部にて、クロマグロを餌付けして放し飼いにて増養殖をするほうが、圧倒的に安価にてクロマグロを増養殖することが出来る。理由としては、管理が容易で、増養殖の技術がない素人でも、クロマグロの増養殖が出来る。また、生簀網などの高価な資材が必要ない。などの理由により、立地が良い場所が必要であるが、世界中の立地が良い入り江の内部にて、クロマグロに餌付けをして放し飼いが出来ることが判明をした。この人工授精と自然界の種苗生産サイクルの両方を併用して、クロマグロの仔魚であるシビ仔、又はヨコワの種苗生産が出来るので、シビ仔、又はヨコワを極く安価に、容易に入手をすることが出来る。さらに、４０ｋｇ前後の成魚のクロマグロまで餌付けをして、クロマグロを放し飼いして成育をさせることが出来ることを実施例７とする。
【実施例８】
【００３６】
クロマグロを増養殖する場合は、図8、図9及び図10に示しているような、入り口が狭くて、奥が広い、例えば、大村湾、又は有明海、又は鹿児島湾、又はペルシャ湾、又は紅海、又はメキシコ湾、又はカリフォルニア湾（以下、略して、大村湾とする）などの湾の奥の、入り江の奥の内部に、クロマグロを増養殖するための生簀網を設置して、この養殖網である生簀網の内部にて仔魚のシビ仔、又はヨコワからクロマグロの成魚に成長をさせた。例えば、体重が40ｋｇ前後のクロマグロに、生簀網の内部にて、産卵を促進させるためのホルモン注射を、生簀網の内部にてクロマグロに行なって、生簀網の内部にてクロマグロに産卵をさせる。あとは、生簀網の内部にてクロマグロが産卵をした魚卵である卵は、例えば、大村湾などの入り江の奥の内部に、広く拡散をして孵化をする。このクロマグロの卵から孵化をしたプレレプトセアルスに、ワムシなどの動物性プランクトンなどの餌を与えて飼育をする。さらに、入り江の内部にて餌を与えて、シビ仔、又はヨコワから成魚のクロマグロまで、段々と大きくすると、回遊魚のクロマグロでも、餌さえ定期的に、決まった時間に餌を与えるのであれば、入り江の内部にて、卵から孵化をしたクロマグロであれば、餌付けが出来る割合が高いことが判明をした。従来、クロマグロの増養殖は生簀網を使用して増養殖をしている。この場合、約1ｋｇの仔魚のシビ仔、又はヨコワを、体重が40ｋｇの成魚のクロマグロに成長をさせるのには、約２箇年間の期間が必要である。この生簀網を使用してクロマグロを増養殖するのと、入り江の内部にて、クロマグロを餌付けして放し飼いにて増養殖をするのとを比較すると、入り江の内部にて、クロマグロを餌付けして放し飼いにて増養殖をするほうが、圧倒的に安価にてクロマグロを増養殖することが出来る。理由としては、管理が容易で、増養殖の技術がない素人でも、クロマグロの増養殖が出来る。また、生簀網などの高価な資材が必要ない。などの理由により、立地が良い場所が必要であるが、世界中の立地が良い入り江の内部にて、クロマグロに餌付けをして放し飼いが出来ることが判明をした。この人工授精と自然界の種苗生産サイクルの両方を併用して、クロマグロの仔魚であるシビ仔、又はヨコワの種苗生産が出来るので、シビ仔、又はヨコワを極く安価に、容易に入手をすることが出来る。さらに、４０ｋｇ前後の成魚のクロマグロまで餌付けをして、クロマグロを放し飼いして成育をさせることが出来ることを実施例８とする。
【実施例９】
【００３７】
クロマグロの増養殖の場合には、非導電性で網目の直径が65ｍｍの長さの生簀網を使用して、クロマグロを増養殖している。例えば、1ｋｇ前後の天然にて漁獲をされているシビ仔、又はヨコワは、網目が65ｍｍの直径の網目であれば、生簀網から逃げ出すことが出来ない。このことから生簀網の網目の直径のサイズが決まっている。けれども、網目の直径は65ｍｍ以下の生簀網を使用してもよい。この網目の直径が65ｍｍのサイズの生簀網で、直径が20ｍで、深さが20ｍの生簀網を使用してクロマグロを増養殖している。この生簀網の内部にて、約2箇年間、飼育をすると、体重が40ｋｇ前後の成魚のクロマグロとなる。昨年度の日本に於ける生産量は、約9500トンである。このクロマグロの成魚を増養殖する、生簀網の内部にて、クロマグロにホルモン注射をして産卵をさせ孵化をさせて、幼生のプレレプトセアルスにすると、生簀網の網目のサイズが65ｍｍと、大きいので、この幼生のプレレプトセアルスは、生簀網から逃げ出してしまうことになる。この問題を解決するために、従来、非導電性の生簀網を使用してクロマグロを増養殖しているのを、導電性の生簀網を開発して、この導電性の生簀網に交流電流（AC）を印加して、この導電性の生簀網からプレレプトセアルスが逃げ出すのを防止することを目的とする。この目的を達成するために、例えば、生簀網を構成している、網目の直径が65ｍｍよりも、より一段と小さくて、さらに、導電性のポリエチレンの糸、又は導電性のポリエステルの糸で出来ている漁網、又はカーボンファイバーで出来ている漁網、又はチタン、ステンレススチールの糸で出来ている漁網、又はその他の金属で出来ている導電性の漁網の生簀網、又は金網で出来ている生簀網（以下、略して、導電性の生簀網とする）を設置して、この導電性の養殖網である、導電性の生簀網の内部にて、仔魚のヨコワからクロマグロの成魚に成長をさせた。例えば、体重が40ｋｇ前後のクロマグロに、導電性の生簀網の内部にて、産卵を促進させるためのホルモン注射を、導電性の生簀網の内部にてクロマグロをに行なって、この導電性の生簀網に交流電流（AC）を印加している、導電性の生簀網の内部にてクロマグロに産卵をさせる。このクロマグロが産卵をしてからプレレプトセアルス（幼生）になるまでに、約2日間かかる。けれども、電気的な影響を受けるので、導電性の生簀網に交流電流（AC）を印加している、導電性の生簀網の内部にて産卵をした魚卵である卵、又は卵から孵化をしたプレレプトセアルスは、導電性の生簀網に交流電流（AC）を印加することにより、導電性の生簀網の内部から、クロマグロが産卵をした魚卵である卵、又は卵から孵化をしたプレレプトセアルスは、交流電流の感電の影響を受けて、導電性の生簀網の内部から外部の外海に逃げ出すことが出来なくなる。結果として、この導電性の生簀網の内部にて、クロマグロに産卵させ孵化をさせて、プレレプトセアルスとする。このプレレプトセアルスからシビ仔、又はヨコワにして、このシビ仔、又はヨコワから成魚であるクロマグロまでを、この導電性の生簀網の内部にて増養殖をすることを可能とすることが出来ることを実施例９とする。
【実施例１０】
【００３８】
導電性の生簀網の内部にて、クロマグロに産卵をさせる場合、導電性の生簀網の内部にコンブ、アオサ、ワカメ、ヒジキなどの海藻（以下、略して、海藻とする）の表面上に産卵をさせる。クロマグロが産卵をするときには、海藻に魚卵を産み付けさせると、魚卵である卵が孵化をしてプレレプトセアルスになるまでの、約2日間、導電性の生簀網から抜け落ちる割合が低下をする。幼生のプレレプトセアルスになれば、小さい魚なので、交流電流の感電の影響を受けるので、導電性の生簀網のから逃げ出すことが出来なくなることを実施例１０とする。
【実施例１１】
【００３９】
サケ、又はマス（以下、略して、サケとする）を陸上の産卵水槽の内部、又は産卵タンクの内部、又は養殖場の内部、又は生簀網の内部（以下、略して、産卵水槽とする）にて、産卵を促進させるためのホルモン注射をメスとオスにする。この産卵を促進させるためのホルモン注射を、７週間から８週間の間に、週１回、ホルモン注射をサケのメスとオスにすると、サケのメスは卵を産卵する。このサケが産卵をした卵の直径は、2000μm前後である。この直径が、2000μm前後のサケの卵を、例えば、日金工株式会社が製造販売をしている、商品名がエキスパンドメタルで、材質はＵ−１、又はＵ−２、又はチタン、又はアルミニウム、又は銅（以下、略して、チタンとする）で、厚さは300μmで、穴径はサケの卵の直径である、2000μm以下の、図５に示している。サケの卵よりも、網目のサイズが小さい、2000μm以下のエキスパンドメタルで出来ている、例えば、長さが60ｃｍで、横幅が60ｃｍで、高さが30ｃｍの、蓋付きの容器で、この蓋付きの容器の6面共に、穴径が2000μm以下で、サケの卵よりも小さいエキスパンドメタルを使用して出来ている。このエキスパンドメタルで出来ている容器の内部にサケの卵を入れて、海流の流れが速くて、水深が30ｍから300ｍ前後のところに、ロープを使用して吊るすと、サケの卵は孵化をしてプレレプトセアルスとなる。このサケのプレレプトセアルスの餌としては、このエキスパンドメタルで出来ている容器に形成をしている、2000μm以下の穴径よりも小さい微生物、又はプランクトン、又はプランクトンの死骸、又はプランクトンの糞、又はマリンスノー（以下、略して、マリンスノーとする）が、海流の動きにより、容器の表面上に形成をしている穴径が2000μm以下の穴径のエキスパンドメタルにて出来ている容器の内部に、海流の動きと一緒にマリンスノーが、海水と一緒に流入をしてくる。このマリンスノーを飼料として、サケのプレレプトセアルスは半年から1年間の期間にて、このエキスパンドメタルで出来ている容器の内部にて、サケの成魚から産卵をした卵が孵化をして、サケのプレレプトセアルスとなり、さらに、サケの仔魚のレプトセアルスとなる。このサケの仔魚のレプトセアルスを生簀網の内部にて、約2箇年間、増養殖をすると、約5ｋｇ前後の成魚のサケとなることが出来ることを実施例１１とする。
【実施例１２】
【００４０】
サケ、又はマス（以下、略して、サケとする）を陸上の産卵水槽の内部、又は産卵タンクの内部、又は養殖場の内部、又は生簀網の内部（以下、略して、産卵水槽とする）にて、産卵を促進させるためのホルモン注射をメスとオスにする。この産卵を促進させるためのホルモン注射を、７週間から８週間の間に、週１回、ホルモン注射をサケのメスとオスにすると、サケのメスは卵を産卵する。このサケが産卵をしたあとの卵の直径は、2000μm前後である。この直径が、2000μm前後のサケの卵は、約２日位で孵化をして幼生のサケのプレレプトセアルスとなる。このサケのプレレプトセアルスの太さは6000μm前後である。この
6000μm前後のサケのプレレプトセアルスを、例えば、日金工株式会社が製造販売をしている、商品名がエキスパンドメタルで、材質はＵ−１、又はＵ−２、又はチタン、又はアルミニウム、又は銅（以下、略して、チタンとする）で、厚さは300μmで、穴径はサケのプレレプトセアルスの直径である、6000μm以下の、図５に示している。サケのプレレプトセアルスよりも、網目のサイズが小さい、6000μm以下のエキスパンドメタルで出来ている、例えば、長さが60ｃｍで、横幅が60ｃｍで、高さが30ｃｍの、蓋付きの容器で、この蓋付きの容器の6面共に、穴径が6000μm以下で、サケのプレレプトセアルスよりも小さいエキスパンドメタルを使用して出来ている。このエキスパンドメタルで出来ている容器の内部にサケのプレレプトセアルスを入れて、海流の流れが速くて、水深が30ｍから300ｍ前後のところに、ロープを使用して吊るすと、このサケのプレレプトセアルスの餌としては、このエキスパンドメタルで出来ている容器に形成をしている、6000μmの穴径よりも小さい微生物、又はプランクトン、又はプランクトンの死骸、又はプランクトンの糞、又はマリンスノー（以下、略して、マリンスノーとする）が、海流の動きにより、容器の表面上に形成をしている穴径が6000μm以下の穴径のエキスパンドメタルにて出来ている容器の内部に、海流の動きと一緒にマリンスノーが、海水と一緒に流入をしてくる。このマリンスノーを飼料として、サケのプレレプトセアルスは半年から1年間の期間にて、このエキスパンドメタルで出来ている容器の内部にて、サケの仔魚であるレプトセアルスとなる。このサケの仔魚のレプトセアルスを、図8、図9及び図10に示しているような、入り口が狭くて、奥が広い、例えば、大村湾、又は有明海、又は鹿児島湾、又はペルシャ湾、又は紅海、又はメキシコ湾、又はカリフォルニア湾などの湾の奥の、入り江の奥の内部に、サケの仔魚であるレプトセアルスを放流して、このサケの仔魚であるプレレプトセアルスに、ワムシなどの動物性プランクトンなどの餌を与えて飼育をする。さらに、入り江の内部にて餌を与えて、サケの仔魚から成魚のサケまで、段々と大きくすると、回遊魚のサケでも、餌さえ定期的に、決まった時間に餌を与えるのであれば、入り江の内部にて、サケの仔魚の、極く小さいレプトセアルスならば、餌付けが出来る割合が高いことが判明をした。従来、サケの増養殖は生簀網を使用して養殖をしている。この場合、小さいサケの仔魚を、体重が5ｋｇの成魚のサケに成長をさせるのには、約２箇年間の期間が必要である。この生簀網を使用してサケを養殖するのと、入り江の内部にて、サケを餌付けして放し飼いにて養殖をするのとを比較すると、入り江の内部にて、サケを餌付けして放し飼いにて増養殖をするほうが、圧倒的に安価にてサケを増養殖することが出来る。理由としては、管理が容易で、増養殖の技術がない素人でも、サケの増養殖が出来る。また、生簀網などの高価な資材が必要ない。などの理由により、立地が良い場所が必要であるが、世界中の立地が良い入り江の内部にて、サケに餌付けをして放し飼いが出来ることが判明をした。
この人工授精と自然界の種苗生産サイクルの両方を併用して、小さいサケの仔魚のレプトセアルスであるサケの種苗生産が出来るので、サケを極く安価に、容易に入手をすることが出来る。さらに、5ｋｇ前後の成魚のサケまで餌付けをして、サケを放し飼いして成育をさせることが出来ることを実施例１２とする。
【実施例１３】
【００４１】
また、上記にて説明をした、従来のサケの増養殖事業も、本考案のウナギ、及びクロマグロの増養殖の内容と同様に、サケに1週間に1回の割合にて、7週間から8週間の期間、産卵をさせる目的にて、サケの場合も、陸上の産卵水槽の内部にて、成魚のサケのメスとオスに、産卵を促進させるためのホルモン注射をしてから、産卵直前のサケを、図8、図9及び図10に示しているような、入り口が狭くて、奥が広い、例えば、大村湾、又は有明海、又は鹿児島湾、又はペルシャ湾、又は紅海、又はメキシコ湾、又はカリフォルニア湾などの湾の奥の、入り江の内部に、産卵直前のサケを放流して、サケに産卵をさせる。あとは、入り江の内部にて、サケの卵から孵化をしたプレレプトセアルスに、ワムシなどの動物性プランクトンなどの餌を与えて飼育をする。さらに、入り江の内部にて餌を与えて、サケの仔魚から成魚のサケまで、段々と大きくすると、回遊魚のサケでも、餌さえ定期的に、決まった時間に餌を与えるのであれば、入り江の内部にて、卵から孵化をしたサケであれば、餌付けが出来る割合が高いことが判明をした。従来、サケの増養殖は生簀網を使用して養殖をしている。この場合、小さいサケの仔魚を、体重が5ｋｇの成魚のサケに成長をさせるのには、約２箇年間の期間が必要である。この生簀網を使用してサケを養殖するのと、入り江の内部にて、サケを餌付けして放し飼いにて増養殖をするのとを比較すると、入り江の内部にて、サケを餌付けして放し飼いにて増養殖をするほうが、圧倒的に安価にてサケを増養殖することが出来る。理由としては、管理が容易で、増養殖の技術がない素人でも、サケの増養殖が出来る。また、生簀網などの高価な資材が必要ない。などの理由により、立地が良い場所が必要であるが、世界中の立地が良い入り江の内部にて、サケに餌付けをして放し飼いが出来ることが判明をした。この人工授精と自然界の種苗生産サイクルの両方を併用して、小さいサケの仔魚のレプトセアルスであるサケの種苗生産が出来るので、サケを極く安価に、容易に入手をすることが出来る。さらに、5ｋｇ前後の成魚のサケまで餌付けをして、サケを放し飼いして成育をさせることが出来ることを実施例１３とする。
【産業上の利用可能性】
【００４２】
本発明は、絶滅危惧種に指定をされたウナギ、及びクロマグロの仔魚である、シラスウナギ、及びヨコワを人工授精と自然界の種苗生産サイクルの両方を併用して、極く安価に、多量に種苗生産が出来ることになり、シラスウナギ、及びヨコワを増養殖して、ウナギの成鰻、及びクロマグロの成魚にと段階的に、大きく育成することが出来る。
【符号の説明】
【００４３】
１  海洋
２  入り江の入り口
３  湾の内部
４  小さい島
５  水槽
６  水槽の蓋
７  エキスパンドメタルで出来ている箱（以下、略して、容器とする）
８  エキスパンドメタルで出来ている容器を水槽の内部に吊り下げるためのロープ（以下、略して、ロープとする）
９  排水バルブ
10  プランクトン増養殖を目的とする水槽（以下、略して、プランクトン増養殖水槽、又はワムシ増養殖水槽、又は増養殖水槽、又はタンクとする）
11  ワムシ自動給餌機（以下、略して、給餌機とする）
12  エアーポンプ（以下、略して、ブロワーとする）
13  クロレラ
14  ワムシ
15  ワムシの糞（以下、略して、糞とする）
16  空気の気泡
17  ワムシ14の卵
18  ワムシ14の仔ワムシ
19  ワムシ14の死骸
20  クロレラ13の破壊物
21  クロレラ13の残飯
【図１】
2015107085.tif 000003
【図２】
2015107085.tif 000004
【図３】
2015107085.tif 000005
【図４】
2015107085.tif 000006
【図５】
2015107085.tif 000007
【図６】
2015107085.tif 000008
【図７】
2015107085.tif 000009
【図１１】
2015107085.tif 000010
【図１２】
2015107085.tif 000011
【図１３】
2015107085.tif 000012
【図１４】
2015107085.tif 000013
【図１５】
2015107085.tif 000014
【図１６】
2015107085.tif 000015
【図１７】
2015107085.tif 000016
【図１８】
2015107085.tif 000017
【図１９】
2015107085.tif 000018
【図２０】
2015107085.tif 000019
【図２１】
2015107085.tif 000020
【図２２】
2015107085.tif 000021
【図２３】
2015107085.tif 000022
【図２４】
2015107085.tif 000023
【図２５】
2015107085.tif 000024
【図２６】
2015107085.tif 000025
【図２７】
2015107085.tif 000026
【図２８】
2015107085.tif 000027
【図２９】
2015107085.tif 000028
【図３０】
2015107085.tif 000029
【図８】
2015107085.tif 000030
【図９】
2015107085.tif 000031
【図１０】
2015107085.tif 000032
【手続補正書】
【提出日】平成26年2月4日(2014.2.4)
【手続補正１】
【補正対象書類名】明細書
【補正対象項目名】００２８
【補正方法】変更
【補正の内容】
【００２８】
【図１】図1に示しているのは、穴径がウナギの卵の直径である。1500μmよりも小さい穴径のエキスパンドメタル、又はその他の金網を使用して、箱の6面が出来ている蓋付きの箱（以下、略して、蓋付きの容器とする）の内部に、直径が1500μm以上の大きさのウナギの卵を入れて、海水面下300ｍの深いところに、船、又はその他のフロートから吊り下げている概略図を、図1に示している。
【図２】図2に示しているのは、穴径がウナギの幼生であるプレレプトセアルスの大きさである。5000μmよりも小さい穴径のエキスパンドメタル、又はその他の金網を使用して、箱の6面が出来ている蓋付きの箱（以下、略して、蓋付きの容器とする）の内部に、直径が5000μm以上の大きさのウナギの幼生であるプレレプトセアルスを入れて、海水面下300ｍの深いところに、船、又はその他のフロートから吊り下げている概略図を、図2に示している。
【図３】図3に示しているのは、穴径がクロマグロの卵の直径である。900μmよりも小さい穴径のエキスパンドメタル、又はその他の金網を使用して、箱の6面が出来ている蓋付きの箱（以下、略して、蓋付きの容器とする）の内部に、直径が900μm以上の大きさのクロマグロの卵を入れて、海水面下300ｍの深いところに、船、又はその他のフロートから吊り下げている概略図を、図3に示している。
【図４】図4に示しているのは、穴径がクロマグロの幼生であるプレレプトセアルスの大きさである。2700μmよりも小さい穴径のエキスパンドメタル、又はその他の金網を使用して、箱の4面が出来ている蓋付きの箱（以下、略して、蓋付きの容器とする）の内部に、直径が2700μm以上の大きさの、クロマグロの幼生であるプレレプトセアルスを入れて、海水面下300ｍの深いところに、船、又はその他のフロートから吊り下げている概略図を、図4に示している。
【図５】図5に示しているのは、穴径がサケの卵の直径である。2000μmよりも小さい穴径のエキスパンドメタル、又はその他の金網を使用して、箱の6面が出来ている蓋付きの箱（以下、略して、蓋付きの容器とする）の内部に、直径が2000μm以上の大きさのサケの卵を入れて、海水面下300ｍの深いところに、船、又はその他のフロートから吊り下げている概略図を、図5に示している。
【図６】図6に示しているのは、穴径がサケの幼生であるプレレプトセアルスの大きさである。6000μmよりも小さい穴径のエキスパンドメタル、又はその他の金網を使用して、箱の6面が出来ている蓋付きの箱（以下、略して、蓋付きの容器とする）の内部に、直径が6000μm以上の大きさの、サケの幼生であるプレレプトセアルスを入れて、海水面下300ｍの深いところに、船、又はその他のフロートから吊り下げている概略図を、図6に示している。
【図７】図7に示しているのは、穴径がウナギの卵の直径である。1500μmよりも小さい穴径のエキスパンドメタル、又はその他の金網を使用して、箱の6面が出来ている蓋付きの箱（以下、略して、蓋付きの容器とする）の内部に、産卵直前のウナギのメスとオスを入れて、海水面下300ｍの深いところに、船、又はその他のフロートから吊り下げている概略図を、図7に示している。
【図８】図8に示しているのは、例えば、小さい湾で、志布志湾、又は佐伯湾、又はペルシャ湾、又は紅海、又はメキシコ湾、又はカリフォルニア湾などのように、湾の内部に川の上流から河口に水が流れ込んでいるような、湾の内部の中心部分で、水深が、30ｍから300ｍの深い場所に、産卵直前のウナギのメスとオスを放流している概略図を、図8に示している。
【図９】図9に示しているのは、入り口が狭くて、奥が広い、例えば、大村湾、又は有明海、又は鹿児島湾、又はペルシャ湾、又は紅海、又はメキシコ湾、又はカリフォルニア湾などの湾の奥の、入り江の内部に、産卵直前のサケを放流して、クロマグロに産卵をさせている概略図を、図9に示している。
【図１０】図10に示しているのは、入り口が狭くて、奥が広い、例えば、大村湾、又は有明海、又は鹿児島湾、又はペルシャ湾、又は紅海、又はメキシコ湾、又はカリフォルニア湾などの湾の奥の、入り江の内部に、産卵直前のサケを放流して、サケに産卵をさせている概略図を、図10に示している。
【図１１】図11に示しているのは、ウナギを陸上の産卵水槽の内部、又は産卵タンクの内部、又は養鰻場の内部、又は生簀網の内部（以下、略して、産卵水槽とする）にて、産卵を促進させるためのホルモン注射をメスとオスにする。この産卵を促進させるためのホルモン注射を、７週間から８週間の間に、週１回、ホルモン注射をウナギのメスとオスにすると、ウナギのメスは卵を産卵する。このウナギが産卵をした卵の直径は、00μmから1700μm前後である。この直径が、1500μmから1700μm前後のウナギの卵を、例えば、日金工株式会社が製造販売をしている、商品名がエキスパンドメタルで、材質はＵ−１、又はＵ−２、又はチタン、又はアルミニウム、又は銅（以下、略して、チタンとする）で、厚さは300μmで、穴径はウナギの卵の直径である、1500μm以下の、図11に示している。ウナギの卵よりも、網目のサイズが小さい、1500μm以下のエキスパンドメタル、又はその他の金鋼（以下、略して、エキスパンドメタルとする）で出来ている、例えば、長さが60ｃｍで、横幅が60ｃｍで、高さが30ｃｍの、蓋付きの容器で、この蓋付きの容器の6面共に、穴径が1500μm以下で、ウナギの卵よりも小さいエキスパンドメタルを使用して出来ている。このエキスパンドメタルで出来ている容器の内部に、ウナギの卵を入れている容器を、水槽5の内部に入れて、例えば、海水面下300ｍの深さの海底から、ポンプを使用して吸い上げた、1500μm以下の穴径よりも小さい微生物、又はプランクトン、又はプランクトンの死骸、又はプランクトンの糞、又はマリンスノー（以下、略して、マリンスノーとする）を含有している海水を、水槽5の内部を循環させて、ウナギの卵が孵化をして、ウナギの幼生であるプレレプトセアルスに成長をした、幼生であるプレレプトセアルスに、飼料となるマリンスノーを餌として与えて、幼生であるプレレプトセアルスから、仔魚であるレプトセアルスの、別名であるシラスウナギを飼育している概略図を、図11 に示している。
【図１２】図12に示しているのは、ウナギを陸上の産卵水槽の内部、又は産卵タンクの内部、又は養鰻場の内部、又は生簀網の内部（以下、略して、産卵水槽とする）にて、産卵を促進させるためのホルモン注射をメスとオスにする。この産卵を促進させるためのホルモン注射を、７週間から８週間の間に、週１回、ホルモン注射をウナギのメスとオスにすると、ウナギのメスは卵を産卵する。このウナギが産卵をした卵の直径は、1500μmから1700μm前後である。この直径が、1500μmから1700μm前後のウナギの卵は、水温が25℃の場合であれば、29時間、又は30時間で、孵化をして幼生のウナギのプレレプトセアルスとなる。このウナギのプレレプトセアルスの太さは、5000μm前後である。この直径が、5000μm前後のウナギのプレレプトセアルスを、例えば、日金工株式会社が製造販売をしている、商品名がエキスパンドメタルで、材質はＵ−１、又はＵ−２、又はチタン、又はアルミニウム、又は銅（以下、略して、チタンとする）で、厚さは300μmで、穴径はウナギの幼生であるプレレプトセアルスの直径である、5000μm以下の、図12に示している。ウナギのプレレプトセアルスよりも  、網目のサイズが小さい、5000μm以下のエキスパンドメタルで出来ている、例えば  、長さが60ｃｍで、横幅が60ｃｍで、高さが30ｃｍの、蓋付きの容器で、この蓋付き  の容器の6面共に、穴径が5000μm以下で、ウナギのプレレプトセアルスよりも小さいエキスパンドメタルを使用して出来ている。このエキスパンドメタルで出来ている容器の内部に、ウナギの幼生であるプレレプトセアルスを入れている容器を、水槽5の内部に入れて、例えば、海水面下300ｍの深さの海底から、ポンプを使用して吸い上げた、5000μm以下の穴径よりも小さい微生物、又はプランクトン、又はプランクトンの死骸、又はプランクトンの糞、又はマリンスノー（以下、略して、マリンスノーとする）を含有している海水を、水槽5の内部を循環させて、ウナギの卵が孵化をして、ウナギの幼生であるプレレプトセアルスに成長をした、幼生であるプレレプトセアルスに、飼料となるマリンスノーを餌として与えて、幼生であるプレレプトセアルスから、仔魚であるレプトセアルスの、別名であるシラスウナギを飼育している概略図を、図12に示している。
【図１３】図13に示しているのは、クロマグロを陸上の産卵水槽の内部、又は産卵タンクの内部、又は養殖場の内部、又は生簀網の内部（以下、略して、産卵水槽とする）にて、産卵を促進させるためのホルモン注射をメスとオスにする。この産卵を促進させるためのホルモン注射を、７週間から８週間の間に、週１回、ホルモン注射をクロマグロのメスとオスにすると、クロマグロのメスは卵を産卵する。このクロマグロが産卵をした卵の直径は、900μmから1000μm前後である。この直径が、900μmから1000μm前後のクロマグロの卵を、例えば、日金工株式会社が製造販売をしている、商品名がエキスパンドメタルで、材質はＵ−１、又はＵ−２、又はチタン、又はアルミニウム、又は銅（以下、略して、チタンとする）で、厚さは300μmで、穴径はクロマグロの卵の直径である、900μm以下の、図13に示している。クロマグロの卵よりも、網目のサイズが小さい、900μm以下のエキスパンドメタルで出来ている、例えば、長さが60ｃｍで、横幅が60ｃｍで、高さが30ｃｍの、蓋付きの容器で、この蓋付きの容器の6面共に、穴径が900μm以下で、クロマグロの卵よりも小さいエキスパンドメタルを使用して出来ている。このエキスパンドメタルで出来ている容器の内部にクロマグロの卵を入れている容器を、水槽5の内部に入れて、例えば、海水面下300ｍの深さの海底から、ポンプを使用して吸い上げた、900μm以下の穴径よりも小さい微生物、又はプランクトン、又はプランクトンの死骸、又はプランクトンの糞、又はマリンスノー（以下、略して、マリンスノーとする）を含有している海水を、水槽5の内部を循環させて、クロマグロの卵が孵化をして、クロマグロの幼生であるプレレプトセアルスに成長をした、幼生であるプレレプトセアルスに、飼料となるマリンスノーを餌として与えて、幼生であるプレレプトセアルスから、仔魚であるレプトセアルスの、別名であるシビ仔、又はヨコワを飼育している概略図を、図13に示している。
【図１４】図14に示しているのは、クロマグロを陸上の産卵水槽の内部、又は産卵タンクの内部、又は養殖場の内部、又は生簀網の内部（以下、略して、産卵水槽とする）にて、産卵を促進させるためのホルモン注射をメスとオスにする。この産卵を促進させるためのホルモン注射を、７週間から８週間の間に、週１回、ホルモン注射をクロマグロのメスとオスにすると、クロマグロのメスは卵を産卵する。このクロマグロが産卵をしたあとの卵の直径は、900μmから1000μm前後である。この直径が、900μmから1000μm前後のクロマグロの卵は、約２日位で孵化をしてクロマグロの幼生であるプレレプトセアルスとなる。このクロマグロのプレレプトセアルスの太さは、約2700μm以下である。この直径が、約2700μm以下のクロマグロのプレレプトセアルスを、例えば、日金工株式会社が製造販売をしている、商品名がエキスパンドメタルで、材質はＵ−１、又はＵ−２、又はチタン、又はアルミニウム、又は銅（以下、略して  、チタンとする）で、厚さは300μmで、穴径はクロマグロの幼生であるプレレプトセアルスの直径である、2700μm以下の、図14に示している。クロマグロのプレレプトセアルスよりも、網目のサイズが小さい、2700μm以下のエキスパンドメタルで出来ている、例えば、長さが60ｃｍで、横幅が60ｃｍで、高さが30ｃｍの、蓋付きの容器で、この蓋付きの容器の6面共に、穴径が2700μm以下で、クロマグロの卵よりも小さいエキスパンドメタルを使用して出来ている。このエキスパンドメタルで出来ている容器の内部に、クロマグロのプレレプトセアルスを入れている容器を、水槽5の内部に入れて、例えば、海水面下300ｍの深さの海底から、ポンプを使用して吸い上げた、2700μm以下の穴径よりも小さい微生物、又はプランクトン、又はプランクトンの死骸、又はプランクトンの糞、又はマリンスノー（以下、略して、マリンスノーとする）を含有している海水を、水槽5の内部を循環させて、クロマグロの卵が孵化をして、クロマグロの幼生であるプレレプトセアルスに成長をした、幼生であるプレレプトセアルスに、飼料となるマリンスノーを餌として与えて、幼生であるプレレプトセアルスから、仔魚であるレプトセアルスの、別名であるシビ仔、又はヨコワを飼育している概略図を、図14に示している。
【図１５】図15に示しているのは、サケ、又はマス（以下、略して、サケとする）を陸上の産卵水槽の内部、又は産卵タンクの内部、又は養殖場の内部、又は生簀網の内部（以下、略して、産卵水槽とする）にて、産卵を促進させるためのホルモン注射をメスとオスにする。この産卵を促進させるためのホルモン注射を、７週間から８週間の間に、週１回、ホルモン注射をサケのメスとオスにすると、サケのメスは卵を産卵する。このサケが産卵をした卵の直径は、2000μm前後である。この直径が、2000μm前後のサケの卵を、例えば、日金工株式会社が製造販売をしている、商品名がエキスパンドメタルで、材質はＵ−１、又はＵ−２、又はチタン、又はアルミニウム、又は銅（以下、略して、チタンとする）で、厚さは300μmで、穴径はサケの卵の直径である、2000μm以下の、図15に示している。サケの卵よりも、網目のサイズが小さい、2000μm以下のエキスパンドメタルで出来ている、例えば、長さが60ｃｍで、横幅が60ｃｍで、高さが30ｃｍの、蓋付きの容器で、この蓋付きの容器の6面共に、穴径が2000μm以下で、サケの卵よりも小さいエキスパンドメタルを使用して出来ている。このエキスパンドメタルで出来ている容器の内部にサケの卵を入れている容器を、水槽5の内部に入れて、例えば、海水面下300ｍの深さの海底から、ポンプを使用して吸い上げた、5000μm以下の穴径よりも小さい微生物、又はプランクトン、又はプランクトンの死骸、又はプランクトンの糞、又はマリンスノー（以下、略して、マリンスノーとする）を含有している海水を、水槽5の内部を循環させて、サケの卵が孵化をして、サケの幼生であるプレレプトセアルスに成長をした、幼生であるプレレプトセアルスに、飼料となるマリンスノーを餌として与えて、幼生であるプレレプトセアルスから、仔魚であるレプトセアルスの、別名であるサケの仔魚を飼育している概略図を、図15に示している。
【図１６】図16に示しているのは、サケを陸上の産卵水槽の内部、又は産卵タンクの内部、又は養殖場の内部、又は生簀網の内部（以下、略して、産卵水槽とする）にて  、産卵を促進させるためのホルモン注射をメスとオスにする。この産卵を促進させるためのホルモン注射を、７週間から８週間の間に、週１回、ホルモン注射をサケのメスとオスにすると、サケのメスは卵を産卵する。このサケが産卵をしたあとの卵の直径は、2000μm前後である。この直径が、2000μm前後のサケの卵は、約２日位で孵化をして幼生のサケのプレレプトセアルスとなる。このサケのプレレプトセアルスの太さは6000μm前後である。この直径が、6000μm前後のサケのプレレプトセアルスを、例えば、日金工株式会社が製造販売をしている、商品名がエキスパンドメタルで、材質はＵ−１、又はＵ−２、又はチタン、又はアルミニウム、又は銅（以下、略して、チタンとする）で、厚さは300μmで、穴径はサケのプレレプトセアルスよりも、網目のサイズが小さい、図16に示している、6000μm以下のエキスパンドメタルで出来ている、例えば、長さが60ｃｍで、横幅が60ｃｍで、高さが30ｃｍの、蓋付きの容器で  、この蓋付きの容器の6面共に、穴径が6000μm以下で、サケのプレレプトセアルスよりも小さいエキスパンドメタルを使用して出来ている。このエキスパンドメタルで出来ている容器の内部にサケのプレレプトセアルスを入れている容器を、水槽5の内部に入れて、例えば、海水面下300ｍの深さの海底から、ポンプを使用して吸い上げた  、6000μm以下の穴径よりも小さい微生物、又はプランクトン、又はプランクトンの死骸、又はプランクトンの糞、又はマリンスノー（以下、略して、マリンスノーとする）を含有している海水を、水槽5の内部を循環させて、サケの卵が孵化をして、サケの幼生であるプレレプトセアルスに成長をした、幼生であるプレレプトセアルスに、飼料となるマリンスノーを餌として与えて、幼生であるプレレプトセアルスから、仔魚であるレプトセアルスの、別名であるサケの仔魚を飼育している概略図を、図16に示している。
【図１７】図17に示しているのは、ウナギを陸上の産卵水槽の内部、又は産卵タンクの内部、又は養鰻場の内部、又は生簀網の内部（以下、略して、産卵水槽とする）にて、産卵を促進させるためのホルモン注射をメスとオスにする。この産卵を促進させるためのホルモン注射を、７週間から８週間の間に、週１回、ホルモン注射をウナギのメスとオスにすると、ウナギのメスは卵を産卵する。この産卵直前のウナギのメスとオスの両方のウナギを、図17に示している、容器の6面がエキスパンドメタルで出来ている容器の内部に入れて、このエキスパンドメタルで出来ている容器の内部にて、産卵直前のウナギに産卵をさせて、オスの精子にて受精をさせる。このウナギが産卵をした卵の直径は、1500μmから1700μm前後である。この直径が、1500μmから1700μm前後のウナギの卵を、例えば、日金工株式会社が製造販売をしている、商品名がエキスパンドメタルで、材質はＵ−１、又はＵ−２、又はチタン、又はアルミニウム、又は銅（以下、略して、チタンとする）で、厚さは300μmで、穴径はウナギの卵の直径である、1500μm以下の、図17に示している。ウナギの卵よりも、網目のサイズが小さい、1500μm以下のエキスパンドメタルで出来ている、例えば、長さが60ｃｍで、横幅が60ｃｍで、高さが30ｃｍの、蓋付きの容器で、この蓋付きの容器の6面共に、穴径が1500μm以下で、ウナギの卵よりも小さいエキスパンドメタルを使用して出来ている。このエキスパンドメタルで出来ている容器の内部に産卵直前のウナギを入れて、このエキスパンドメタルで出来ている容器の内部にて産卵をさせる。この産卵をしたウナギと、産卵をした卵を入れている、網目のサイズが、1500μm以下のエキスパンドメタルで出来ている容器を、水槽5の内部に入れて、例えば、海水面下300ｍの深さの海底から、ポンプを使用して吸い上げた、1500μm以下の穴径よりも小さい微生物、又はプランクトン、又はプランクトンの死骸、又はプランクトンの糞、又はマリンスノー（以下、略して、マリンスノーとする）を含有している海水を、水槽5の内部を循環させて、ウナギの卵が孵化をして、ウナギの幼生であるプレレプトセアルスに成長をした、幼生であるプレレプトセアルスに、飼料となるマリンスノーを餌として与えて、幼生であるプレレプトセアルスから、仔魚であるレプトセアルスの、別名であるシラスウナギを飼育している概略図を、図17に示している。
【図１８】図18（A）に示しているのは、ウナギを陸上の産卵水槽の内部、又は産卵タンクの内部、又は養鰻場の内部、又は生簀網の内部（以下、略して、産卵水 槽とする）にて、産卵を促進させるためのホルモン注射をメスとオスにする。この産 卵を促進させるためのホルモン注射を、７週間から８週間の間に、週１回、ホルモン 注射をウナギのメスとオスにすると、ウナギのメスは卵を産卵する。このウナギが産 卵をした卵の直径は、1500μmから1700μm前後である。この直径が、1500μmから170 0μm前後のウナギの卵を、例えば、日金工株式会社が製造販売をしている、商品名が エキスパンドメタルで、材質はＵ−１、又はＵ−２、又はチタン、又はアルミニウム、又は銅（以下、略して、チタンとする）で、厚さは300μmで、穴径はウナギの卵の 直径である、1500μm以下の、図18（A）に示している。ウナギの卵よりも、網目のサ イズが小さい、1500μm以下のエキスパンドメタル、又はその他の金鋼（以下、略し て、エキスパンドメタルとする）で出来ている、例えば、長さが60ｃｍで、横幅が60 ｃｍで、高さが30ｃｍの、蓋が付いていない容器で、容器の5面共に、穴径が1500μm 以下で、ウナギの卵よりも小さいエキスパンドメタルを使用して出来ている。このエ キスパンドメタルで出来ている容器（A）の内部に、ウナギの卵を入れている容器（A）を、水槽5の内部に入れて、例えば、海水面下3ｍから300ｍの深さの海底から、ポ ンプを使用して吸い上げた、1500μm以下の穴径よりも小さい微生物、又はプランク トン、又はプランクトンの死骸、又はプランクトンの糞、又はマリンスノー（以下、 略して、マリンスノーとする）を含有している海水を、水槽5の上の方向から、直接 に、ウナギの卵を入れている容器（A）の内部である。図18（A）に示している、容器（A）の内部にマリンスノーを含有している海水を、直接に注水をして、ウナギの卵 が孵化をして、ウナギの幼生であるプレレプトセアルスに成長をした、幼生であるプ レレプトセアルスに、飼料となるマリンスノーを餌として与えて、幼生であるプレレ プトセアルスから、仔魚であるレプトセアルスの、別名であるシラスウナギを飼育し ている概略図を、図18（A）に示している。     図18（B）に示しているのは、ウナギを 陸上の産卵水槽の内部、又は産卵タンクの内部、又は養鰻場の内部、又は生簀網の内 部（以下、略して、産卵水槽とする）にて、産卵を促進させるためのホルモン注射を メスとオスにする。この産卵を促進させるためのホルモン注射を、７週間から８週間 の間に、週１回、ホルモン注射をウナギのメスとオスにすると、ウナギのメスは卵を 産卵する。このウナギが産卵をした卵の直径は、1500μmから1700μm前後である。こ の直径が、1500μmから1700μm前後のウナギの卵は、水温が25℃の場合であれば、29 時間、又は30時間で、孵化をして幼生のウナギのプレレプトセアルスとなる。このウ ナギのプレレプトセアルスの太さは、5000μm前後である。この直径が、5000μm前後 のウナギのプレレプトセアルスを、例えば、日金工株式会社が製造販売をしている、 商品名がエキスパンドメタルで、材質はＵ−１、又はＵ−２、又はチタン、又はアル ミニウム、又は銅（以下、略して、チタンとする）で、厚さは300μmで、穴径はウナ ギの幼生であるプレレプトセアルス���直径である、5000μm以下の、図18（B）に示し ている。ウナギのプレレプトセアルスよりも、網目のサイズが小さい、5000μm以下 のエキスパンドメタルで出来ている、例えば、長さが60ｃｍで、横幅が60ｃｍで、高 さが30ｃｍの、蓋が付いていない容器で、容器の5面共に、穴径が5000μm以下で、ウ ナギのプレレプトセアルスよりも小さいエキスパンドメタルを使用して出来ている。 このエキスパンドメタルで出来ている容器（B）の内部に、ウナギの幼生であるプレ レプトセアルスを入れている容器（B）を、水槽5の内部に入れて、例えば、海水面下 3ｍから300ｍの深さの海底から、ポンプを使用して吸い上げた、1500μm以下の穴径 よりも小さい微生物、又はプランクトン、又はプランクトンの死骸、又はプランクト ンの糞、又はマリンスノー（以下、略して、マリンスノーとする）を含有している海 水を、水槽5の上の方向から、直接に、ウナギの卵を入れている容器（B）の内部であ る。図18（B）に示している、容器（B）の内部にマリンスノーを含有している海水を、直接に注水をして、ウナギの卵が孵化をして、ウナギの幼生であるプレレプトセア ルスに成長をした、幼生であるプレレプトセアルスに、飼料となるマリンスノーを餌 として与えて、幼生であるプレレプトセアルスから、仔魚であるレプトセアルスの、 別名であるシラスウナギを飼育している概略図を、図18（B）に示している。      図18（C）に示しているのは、クロマグロを陸上の産卵水槽の内部、又は産卵タンクの内 部、又は養殖場の内部、又は生簀網の内部（以下、略して、産卵水槽とする）にて、 産卵を促進させるためのホルモン注射をメスとオスにする。この産卵を促進させるた めのホルモン注射を、７週間から８週間の間に、週１回、ホルモン注射をクロマグロ のメスとオスにすると、クロマグロのメスは卵を産卵する。このクロマグロが産卵を した卵の直径は、900μmから1000μm前後である。この直径が、900μmから1000μm前 後のクロマグロの卵を、例えば、日金工株式会社が製造販売をしている、商品名がエ キスパンドメタルで、材質はＵ−１、又はＵ−２、又はチタン、又はアルミニウム、 又は銅（以下、略して、チタンとする）で、厚さは300μmで、穴径はクロマグロの卵 の直径である、900μm以下の、図18（C）に示している。クロマグロの卵よりも、網 目のサイズが小さい、900μm以下のエキスパンドメタルで出来ている、例えば、長さ が60ｃｍで、横幅が60ｃｍで、高さが30ｃｍの、蓋が付いていない容器で、容器の5 面共に、穴径が900μm以下で、クロマグロの卵よりも小さいエキスパンドメタルを使 用して出来ている。このエキスパンドメタルで出来ている容器（C）の内部に、クロ マグロの卵を入れている容器（C）を、水槽5の内部に入れて、例えば、海水面下3ｍ から300ｍの深さの海底から、ポンプを使用して吸い上げた、900μm以下の穴径より も小さい微生物、又はプランクトン、又はプランクトンの死骸、又はプランクトンの 糞、又はマリンスノー（以下、略して、マリンスノーとする）を含有している海水を、水槽5の上の方向から、直接に、クロマグロの卵を入れている容器（C）の内部であ る。図18（C）に示している、容器（C）の内部にマリンスノーを含有している海水を、直接に注水をして、クロマグロの卵が孵化をして、クロマグロ���幼生であるプレレ プトセアルスに成長をした、幼生であるプレレプトセアルスに、飼料となるマリンス ノーを餌として与えて、幼生であるプレレプトセアルスから、仔魚であるレプトセア ルスの、別名であるシビ仔、又はヨコワを飼育している概略図を、図18（C）に示し ている。
【図１９】図19（A）に示しているのは、クロマグロを陸上の産卵水槽の内部  、又は産卵タンクの内部、又は養殖場の内部、又は生簀網の内部（以下、略して、産卵水槽とする）にて、産卵を促進させるためのホルモン注射をメスとオスにする。この産卵を促進させるためのホルモン注射を、７週間から８週間の間に、週１回、ホルモン注射をクロマグロのメスとオスにすると、クロマグロのメスは卵を産卵する。このクロマグロが産卵をしたあとの卵の直径は、900μmから1000μm前後である。この直径が、900μmから1000μm前後のクロマグロの卵は、約２日位で孵化をしてクロマグロの幼生であるプレレプトセアルスとなる。このクロマグロのプレレプトセアルスの太さは、約2700μm以下である。この直径が、約2700μm以下のクロマグロのプレレプトセアルスを、例えば、日金工株式会社が製造販売をしている、商品名がエキスパンドメタルで、材質はＵ−１、又はＵ−２、又はチタン、又はアルミニウム、又は銅（以下、略して、チタンとする）で、厚さは300μmで、穴径はクロマグロの幼生であるプレレプトセアルスの直径である、2700μm以下の、図19（A）に示している。クロマグロの幼生であるプレレプトセアルスよりも、網目のサイズが小さい、2700μm以下のエキスパンドメタルで出来ている、例えば、長さが60ｃｍで、横幅が60ｃｍで、高さが30ｃｍの、蓋が付いていない容器で、容器の5面共に、穴径が2700μm以下で、クロマグロの卵よりも小さいエキスパンドメタルを使用して出来ている。このエキスパンドメタルで出来ている容器（A）の内部に、クロマグロのプレレプトセアルスを入れている容器（A）を、水槽5の内部に入れて、例えば、海水面下3ｍから300ｍの深さの海底から、ポンプを使用して吸い上げた、900μm以下の穴径よりも小さい微生物  、又はプランクトン、又はプランクトンの死骸、又はプランクトンの糞、又はマリンスノー（以下、略して、マリンスノーとする）を含有している海水を、水槽5の上の方向から、直接に、クロマグロの卵を入れている容器（A）の内部である。図19（A）に示している、容器（A）の内部にマリンスノーを含有している海水を、直接に注水 をして、クロマグロの卵が孵化をして、クロマグロの幼生であるプレレプトセアルス に成長をした、幼生であるプレレプトセアルスに、飼料となるマリンスノーを餌とし て与えて、幼生であるプレレプトセアルスから、仔魚であるレプトセアルスの、別名 であるシビ仔、又はヨコワを飼育している概略図を、図19（A）に示している。       図19（B）に示しているのは、サケ、又はマス（以下、略して、サケとする）を陸上の産卵水槽の内部、又は産卵タンクの内部、又は養殖場の内部、又は生簀網の内部（以下、略して、産卵水槽とする）にて、産卵を促進させるためのホルモン注射をメスとオスにする。この産卵を促進させるためのホルモン注射を、７週間から８週間の間に、週１回、ホルモン注射をサケのメスとオスにすると、サケのメスは卵を産卵する。このサケが産卵をした卵の直径は、2000μm前後である。この直径が、2000μm前後のサケの卵を、例えば、日金工株式会社が製造販売をしている、商品名がエキスパンドメタルで、材質はＵ−１、又はＵ−２、又はチタン、又はアルミニウム、又は銅（以下、略して、チタンとする）で、厚さは300μm���、穴径はサケの卵の直径である、2000μm以下の、図19（B）に示している。サケの卵よりも、網目のサイズが小さい、2000μm以下のエキスパンドメタルで出来ている、例えば、長さが60ｃｍで、横幅が60ｃｍで、高さが30ｃｍの、蓋が付いていない容器で、容器の5面共に、穴径が2000μm以下で、サケの卵よりも小さいエキスパンドメタルを使用して出来ている。このエキスパンドメタルで出来ている容器の内部にサケの卵を入れている容器を、水槽5の内部に入れて、例えば、海水面下3ｍから300ｍの深さの海底から、ポンプを使用して吸い上げた、2000μm以下の穴径よりも小さい微生物、又はプランクトン、又はプランクトンの死骸、又はプランクトンの糞、又はマリンスノー（以下、略して、マリンスノーとする）を含有している海水を、水槽5の上の方向から、直接に、サケの卵を入れている容器（B）の内部である。図19（B）に示している、容器（B）の内部にマリンスノーを含有している海水を、直接に注水をして、サケの卵が孵化をして、サケの幼生であるプレレプトセアルスに成長をした、幼生であるプレレプトセアルスに、飼料となるマリンスノーを餌として与えて、幼生であるプレレプトセアルスから、仔魚であるレプトセアルスの、別名であるサケの仔魚を飼育している概略図を、図19（B）に示している。        図19（C）に示しているのは、サケを陸上の産卵水槽の内部、又は産卵タンクの内部、又は養殖場の内部、又は生簀網の内部（以下、略して、産卵水槽とする）にて、産卵を促進させるためのホルモン注射をメスとオスにする。この産卵を促進させるためのホルモン注射を、７週間から８週間の間に、週１回、ホルモン注射をサケのメスとオスにすると、サケのメスは卵を産卵する。このサケが産卵をしたあとの卵の直径は、2000μm前後である。この直径が、2000μm前後のサケの卵は、約２日位で孵化をして幼生のサケのプレレプトセアルスとなる。このサケのプレレプトセアルスの太さは6000μm前後である。この直径が、6000μm前後のサケのプレレプトセアルスを、例えば、日金工株式会社が製造販売をしている、商品名がエキスパンドメタルで、材質はＵ−１、又はＵ−２、又はチタン、又はアルミニウム、又は銅（以下、略して、チタンとする）で、厚さは300μmで、穴径はサケのプレレプトセアルスよりも、網目のサイズが小さい、図19（C）に示している、6000μm以下のエキスパンドメタルで出来ている、例えば、長さが60ｃｍで、横幅が60ｃｍで、高さが30ｃｍの、蓋が付いていない容器で、容器の5面共に、穴径が6000μm以下で、サケの卵よりも小さいエキスパンドメタルを使用して出来ている。このエキスパンドメタルで出来ている容器（C）の内部にサケのプレレプトセアルスを入れている容器（C）を、水槽5の内部に入れて、例えば、海水面下3ｍから300ｍの深さの海底から、ポンプを使用して吸い上げた、2000μm以下の穴径よりも小さい微生物、又はプランクトン、又はプランクトンの死骸、又はプランクトンの糞、又はマリンスノー（以下、略して、マリンスノーとする）を含有している海水を、水槽5の上の方向から、直接に、サケの幼生であるプレレプトセアルスを入れている容器（C）の内部である。図19（C）に示している、容器（B）の内部にマリンスノーを含有している海水を、直接に注水をして、サケの幼���であるプレレプトセアルスに、飼料となるマリンスノーを餌として与えて、幼生であるプレレプトセアルスから、仔魚であるレプトセアルスの、別名であるサケの仔魚を飼育している概略図を、図19（C）に示している。
【図２０】図20（A）に示しているのは、ウナギを陸上の産卵水槽の内部、又は産卵タンクの内部、又は養鰻場の内部、又は生簀網の内部（以下、略して、産卵水槽とする）にて、産卵を促進させるためのホルモン注射をメスとオスにする。この産卵を促進させるためのホルモン注射を、７週間から８週間の間に、週１回、ホルモン注射をウナギのメスとオスにすると、ウナギのメスは卵を産卵する。この産卵直前のウナギのメスとオスの両方のウナギを、図20（A）に示している、容器の6面がエキスパンドメタルで出来ている容器の内部に入れて、このエキスパンドメタルで出来ている容器の内部にて、産卵直前のウナギに産卵をさせて、オスの精子にて受精をさせる。このウナギが産卵をした卵の直径は、1500μmから1700μm前後である。この直径が、1500μmから1700μm前後のウナギの卵を、例えば、日金工株式会社が製造販売をしている、商品名がエキスパンドメタルで、材質はＵ−１、又はＵ−２、又はチタン、又はアルミニウム、又は銅（以下、略して、チタンとする）で、厚さは300μmで、穴径はウナギの卵の直径である、1500μm以下の、図20（A）に示している。ウナギの卵よりも、網目のサイズが小さい、1500μm以下のエキスパンドメタルで出来ている、例えば、長さが60ｃｍで、横幅が60ｃｍで、高さが30ｃｍの、蓋が付いていない容器で、容器の5面共に、穴径が1500μm以下で、ウナギの卵よりも小さいエキスパンドメタルを使用して出来ている。このエキスパンドメタルで出来ている容器の内部に産卵直前のウナギを入れて、このエキスパンドメタルで出来ている容器の内部にて産卵をさせる。この産卵をしたウナギと、産卵をした卵を入れている、網目のサイズが、1500μm以下のエキスパンドメタルで出来ている容器（A）を、水槽5の内部に入れて、例えば、海水面下3ｍから300ｍの深さの海底から、ポンプを使用して吸い上げた、微生物、又はプランクトン、又はプランクトンの死骸、又はプランクトンの糞、又はマリンスノー（以下、略して、マリンスノーとする）を含有している海水を、水槽5の上の方向から、直接に、ウナギの卵を入れている容器（A）の内部である。図20（A）に示している、容器（A）の内部にマリンスノーを含有している海水を、直接に注水をして、ウナギの幼生であるプレレプトセアルスに、飼料となるマリンスノーを餌として与えて、幼生であるプレレプトセアルスから、仔魚であるレプトセアルスの、別名であるシラスウナギを飼育している概略図を、図20（A）に示している。
【図２１】図21に示しているのは、ウナギを陸上の産卵水槽の内部、又は産卵タンクの内部、又は養鰻場の内部、又は生簀網の内部（以下、略して、産卵水槽とする）に、産卵を促進させるためのホルモン注射をメスとオスにする。この産卵を促進させるためのホルモン注射を、７週間から８週間の間に、週１回、ホルモン注射をウナギのメスとオスにすると、ウナギのメスは卵を産卵する。このウナギが産卵をした卵の直径は、1500μmから1700μm前後である。この直径が、1500μmから1700μm前後のウナギの卵を、例えば、日金工株式会社が製造販売をしている、商品名がエキスパンドメタルで、材質はＵ−１、又はＵ−２、又はチタン、又はアルミニウム、又は銅（以下、略して、チタンとする）で、厚さは300μmで、穴径はウナギの卵の直径である、1500μm以下の、図21に示している。ウナギの卵よりも、網目のサイズが小さい、1500μm以下のエキスパンドメタル、又はその他の金鋼（以下、略して、エキスパンドメタルとする）で出来ている、例えば、長さが60ｃｍで、横幅が60ｃｍで、高さが30ｃｍの、蓋が付いている容器で、容器の6面共に、穴径が1500μm以下で、ウナギの卵よりも小さいエキスパンドメタルを使用して出来ている。このエキスパンドメタルで出来ている容器7の内部に、ウナギの卵を入れている容器7を、ワムシ増養殖水槽10（以下、略して、タンク10とする）の内部に吊り下げている。または、ウナギの卵を、直接に入れているタンク10の内部に、ワムシ14とワムシ14の飼料となるクロレラ13とを一緒に入れている。このワムシ14を増養殖しているタンク10の内部に、直接にウナギの卵をタンク10の内部に一緒に入れている。このタンク10の内部の水温を、25℃に維 持をすると、ウナギの卵は29時間から30時間にて孵化をする。このウナギの卵が孵化 をして、ウナギの幼生であるプレレプトセアルスに餌を与えるために、孵化をしたば かりの、ウナギの幼生であるプレレプトセアルスを飼育するために、ワムシ14が排泄 をする糞15、又はワムシ14がクロレラ13を食べた後の残飯で、クロレラ13の破砕物、 又はワムシ14を飼料として、ウナギの幼生であるプレレプトセアルスに、ワムシ14の 糞を与える目的にて、ワムシ増養殖水槽10の内部にて、ワムシ14を増養殖するための 飼料として、クロレラ13を飼料とする。ワムシ14を増養殖するためのタンク10の内部 に、ワムシ14とクロレラ13とを混合して入れて、ワムシ14を増養殖しているタンク10 の内部に、ワムシ14の飼料となるクロレラ13を、ワムシ自動給餌機11を経由して、タ ンク10の内部にクロレラ13を、ワムシ自動給餌機11を経由して、ワムシ14の飼料とな るクロレラ13を送り込んでいるタンク10の内部にて、ウナギの卵が孵化をして、ウナ ギの幼生であるプレレプトセアルスに成長をさせるために、幼生であるプレレプトセ アルスに、飼料となるワムシ14がタンク10の内部にて排泄をする糞15、又はワムシ14 がクロレラ13を食べた後の残飯で、クロレラ13の破砕物、又はワムシ14を飼料として 与えることにより、幼生であるプレレプトセアルスから、仔魚であるレプトセアルス の、別名であるシラスウナギを飼育している概略図を、図21に示している。
【図２２】図22に示しているのは、ウナギを陸上の産卵水槽の内部、又は産卵タンク の内部、又は養鰻場の内部、又は生簀網の内部（以下、略して、産卵水槽とする）に て、産卵を促進させるためのホルモン注射をメスとオスにする。この産卵を促進させ るためのホルモン注射を、７週間から８週間の間に、週１回、ホルモン注射をウナギ のメスとオスにすると、ウナギのメスは卵を産卵する。このウナギが産卵をした卵の 直径は、1500μmから1700μm前後である。この直径が、1500μmから1700μm前後のウ ナギの卵は、水温が25℃の場合であれば、29時間、又は30時間で、孵化をして幼生の ウナギのプレレプトセアルスとなる。このウナギのプレレプトセアルスの太さは、50 00μm前後である。この直径が、5000μm前後のウナギのプレレプトセアルスを、例え ば、日金工株式会社が製造販売をしている、商品名がエキスパンドメタルで、材質は Ｕ−１、又はＵ−２、又はチタン、又はアルミニウム、又は銅（以下、略して、チタ ンとする）で、厚さは300μmで、穴径はウナギの幼生であるプレレプトセアルスの直 径である、5000μm以下の、図22に示している。ウナギのプレレプトセアルスよりも      、網目のサイズが小さい、5000μm以下のエキスパンドメタルで出来ている、例えば、長さが60ｃｍで、横幅が60ｃｍで、高さが30ｃｍの、蓋が付いている容器で、容器の6面共に、穴径が5000μm以下で、ウナギのプレレプトセアルスよりも小さいエキスパンドメタルを使用して出来ている。このエキスパンドメタルで出来ている容器7の内部に、ウナギの幼生であるプレレプトセアルスを入れている容器7を、ワムシ増養殖水槽10（以下、略して、タンク10とする）の内部に吊り下げている。または、ウナギの卵を、直接に入れているタンク10の内部に、ワムシ14とワムシ14の飼料となるクロレラ13とを一緒に入れている。このワムシ14を増養殖しているタンク10の内部に、直接にウナギの卵をタンク10の内部に一緒に入れている。このタンク10の内部の水温を、25℃に維持をすると、ウナギの卵は29時間から30時間にて孵化をする。このウナギの卵が孵化をして、ウナギの幼生であるプレレプトセアルスに餌を与えるために、孵化をしたばかりの、ウナギの幼生であるプレレプトセアルスを飼育するために、ワムシ14が排泄をする糞15、又はワムシ14がクロレラ13を食べた後の残飯で、クロレラ13の破砕物、又はワムシ14を飼料として、ウナギの幼生であるプレレプトセアルスに、ワムシ14の糞を与える目的にて、ワムシ増養殖水槽10の内部にて、ワムシ14を増養殖するための飼料として、クロレラ13を飼料とする。ワムシ14を増養殖するためのタンク10の内部に、ワムシ14とクロレラ13とを混合して入れて、ワムシ14を増養殖しているタンク10の内部に、ワムシ14の飼料となるクロレラ13を、ワムシ自動給餌機11を経由して、タンク10の内部にクロレラ13を、ワムシ自動給餌機11を経由して、ワムシ  14の飼料となるクロレラ13を送り込んでいるタンク10の内部にて、ウナギの卵が孵化をして、ウナギの幼生であるプレレプトセアルスに成長をさせるために、幼生である プレレプトセアルスに、飼料となるワムシ14がタンク10の内部にて排泄をする糞15、 又はワムシ14がクロレラ13を食べた後の残飯で、クロレラ13の破砕物、又はワムシ14 を飼料として与えることにより、幼生であるプレレプトセアルスから、仔魚であるレ プトセアルスの、別名であるシラスウナギを飼育している概略図を、図22に示している。
【図２３】図23に示しているのは、クロマグロを陸上の産卵水槽の内部、又は産卵タンクの内部、又は養殖場の内部、又は生簀網の内部（以下、略して、産卵水槽とする）にて、産卵を促進させるためのホルモン注射をメスとオスにする。この産卵を促進 させるためのホルモン注射を、７週間から８週間の間に、週１回、ホルモン注射をク ロマグロのメスとオスにすると、クロマグロのメスは卵を産卵する。このクロマグロ が産卵をした卵の直径は、900μmから1000μm前後である。この直径が、900μmから1 000μm前後のクロマグロの卵を、例えば、日金工株式会社が製造販売をしている、商 品名がエキスパンドメタルで、材質はＵ−１、又はＵ−２、又はチタン、又はアルミ ニウム、又は銅（以下、略して、チタンとする）で、厚さは300μmで、穴径はクロマ グロの卵の直径である、900μm以下の、図23に示している。クロマグロの卵よりも、 網目のサイズが小さい、900μm以下のエキスパンドメタルで出来ている、例えば、長 さが60ｃｍで、横幅が60ｃｍで、高さが30ｃｍの、蓋が付いている容器で、容器の6 面共に、穴径が900μm以下で、クロマグロの卵よりも小さいエキスパンドメタルを使 用して出来ている。このエキスパンドメタルで出来ている容器7の内部に、クロマグ ロの卵を入れている容器7を、ワムシ増養殖水槽10（以下、略して、タンク10とする）の内部に吊り下げている。または、クロマグロの卵を入れているタンク10の内部に、ワムシ14とワムシ14の飼料となるクロレラ13とを一緒に入れている。このタンク10の内部の水温を、25℃に維持をすると、クロマグロの卵は29時間から30時間にて孵化をする。このクロマグロの卵が孵化をして、ウナギの幼生であるプレレプトセアルスに餌を与えるために、孵化をしたばかりの、クロマグロの幼生であるプレレプトセアルスを飼育するために、ワムシ14が排泄をする糞15、又はワムシ14がクロレラ13を食べた後の残飯で、クロレラ13の破砕物、又はワムシ14を飼料として、クロマグロの幼生であるプレレプトセアルスに、ワムシ14の糞を与える目的にて、ワムシ増養殖水槽10の内部にて、ワムシ14を増養殖するための飼料として、クロレラ13を飼料とする。      ワムシ14を増養殖するためのタンク10の内部に、クロレラ13を、ワムシ自動給餌機11を経由して、ワムシ14の飼料となるクロレラ13を送り込んでいるタンク10の内部にて、クロマグロの卵が孵化をして、ウナギの幼生であるプレレプトセアルスに成長をさせるために、幼生であるプレレプトセアルスに、飼料となるワムシ14がタンク10の内部にて排泄をする糞15、又はワムシ14がクロレラ13を食べた後の残飯で、クロレラ13の破砕物、又はワムシ14を飼料として与えることにより、幼生であるプレレプトセアルスから、仔魚であるレプトセアルスの、別名であるシビ仔、又はヨコワを飼育している概略図を、図23に示している。
【図２４】図24に示しているのは、クロマグロを陸上の産卵水槽の内部、又は産卵タンクの内部、又は養殖場の内部、又は生簀網の内部（以下、略して、産卵水槽とする）にて、産卵を促進させるためのホルモン注射をメスとオスにする。この産卵を促進させるためのホルモン注射を、７週間から８週間の間に、週１回、ホルモン注射をクロマグロのメスとオスにすると、クロマグロのメスは卵を産卵する。このクロマグロが産卵をしたあとの卵の直径は、900μmから1000μm前後である。この直径が、900μmから1000μm前後のクロマグロの卵は、約２日位で孵化をしてクロマグロの幼生であるプレレプトセアルスとなる。このクロマグロのプレレプトセアルスの太さは、約2700μm以下である。この直径が、約2700μm以下のクロマグロのプレレプトセアルスを  、例えば、日金工株式会社が製造販売をしている、商品名がエキスパンドメタルで、材質はＵ−１、又はＵ−２、又はチタン、又はアルミニウム、又は銅（以下、略して、チタンとする）で、厚さは300μmで、穴径はクロマグロの幼生であるプレレプトセアルスの直径である、2700μm以下の、図24に示している。クロマグロの幼生である プレレプトセアルスよりも、網目のサイズが小さい、2700μm以下のエキスパンドメ タルで出来ている、例えば、長さが60ｃｍで、横幅が60ｃｍで、高さが30ｃｍの、蓋 が付いている容器で、この蓋付きの容器の6面共に、穴径が2700μm以下で、クロマグ ロの卵よりも小さいエキスパンドメタルを使用して出来ている。このエキスパンドメ タルで出来ている容器の内部に、クロマグロのプレレプトセアルスを入れている容器 7を、ワムシ増養殖水槽10（以下、略して、タンク10とする）の内部に吊り下げてい る。または、クロマグロの卵を入れているタンク10の内部に、ワムシ14とワムシ14の 飼料となるクロレラ13とを一緒に入れている。このタンク10の内部の水温を、25℃に 維持をすると、クロマグロの卵は29時間から30時間にて孵化をする。このクロマグロ の卵が孵化をして、ウナギの幼生であるプレレプトセアルスに餌を与えるために、孵 化をしたばかりの、クロマグロの幼生であるプレレプトセアルスを飼育するために、 ワムシ14が排泄をする糞15、又はワムシ14がクロレラ13を食べた後の残飯で、クロレ ラ13の破砕物、又はワムシ14を飼料として、クロマグロの幼生であるプレレプトセア ルスに、ワムシ14の糞を与える目的にて、ワムシ増養殖水槽10の内部にて、ワムシ14 を増養殖するための飼料として、クロレラ13を飼料とする。ワムシ14を増養殖するた めのタンク10の内部に、クロレラ13を、ワムシ自動給餌機11を経由して、ワムシ14の 飼料となるクロレラ13を送り込んでいるタンク10の内部にて、クロマグロの卵が孵化 をして、クロマグロの幼生であるプレレプトセアルスに成長をさせるために、幼生で あるプレレプトセアルスに、飼料となるワムシ14がタンク10の内部にて排泄をする糞 15、又はワムシ14がクロレラ13を食べた後の残飯で、クロレラ13の破砕物、又はワム シ14を飼料として与えることにより、幼生であるプレレプトセアルスから、仔魚であ るレプトセアルスの、別名であるシビ仔、又はヨコワを飼育している概略図を、図24 に示している。
【図２５】図25に示しているのは、ウナギを陸上の産卵水槽の内部、又は産卵タンク の内部、又は養鰻場の内部、又は生簀網の内部（以下、略して、産卵水槽とする）に て、産卵を促進させるためのホルモン注射をメスとオスにする。この産卵を促進させ るためのホルモン注射を、７週間から８週間の間に、週１回、ホルモン注射をウナギ のメスとオスにすると、ウナギのメスは卵を産卵する。このウナギが産卵をした卵の 直径は、1500μmから1700μm前後である。この直径が、1500μmから1700μm前後のウ ナギの卵を、ワムシ14を増養殖しているタンク10の内部に、直接にウナギの卵をタン ク10の内部に入れる。そして、このタンク10の内部の水温を、25℃に維持をすると、 ウナギの卵は29時間から30時間にて孵化をする。このウナギの卵が孵化をして、ウナ ギの幼生であるプレレプトセアルスに餌を与えるために、孵化をしたばかりの、ウナ ギの幼生であるプレレプトセアルスを飼育するために、ワムシ14が排泄をする糞15、 又はワムシ14がクロレラ13を食べた後の残飯で、クロレラ13の破砕物、又はワムシ14 を飼料として、ウナギの幼生であるプレレプトセアルスに、ワムシ14の糞を与える目 的にて、ワムシ増養殖水槽10の内部にて、ワムシ14を増養殖するための飼料として、 クロレラ13を飼料とする。ワムシ14を増養殖するためのタンク10の内部に、ワムシ14 とクロレラ13とを混合して入れて、ワムシ14を増養殖しているタンク10の内部に、ワ ムシ14の飼料となるクロレラ13を、ワムシ自動給餌機11を経由して、タンク10の内部 にクロレラ13を、ワムシ自動給餌機11を経由して、ワムシ14の飼料となるクロレラ13 を送り込んでいるタンク10の内部にて、ウナギの卵が孵化をして、ウナギの幼生であ るプレレプトセアルスに成長をさせるために、幼生であるプレレプトセアルスに、飼 料となるワムシ14がタンク10の内部にて排泄をする糞15、又はワムシ14がクロレラ13 を食べた後の残飯で、クロレラ13の破砕物、又はワムシ14を飼料として与えることに より、幼生であるプレレプトセアルスから、仔魚であるレプトセアルスの、別名であ るシラスウナギを飼育している概略図を、図25に示している。
【図２６】図26に示しているのは、ウナギを陸上の産卵水槽の内部、又は産卵タンク の内部、又は養鰻場の内部、又は生簀網の内部（以下、略して、産卵水槽とする）に て、産卵を促進させるためのホルモン注射をメスとオスにする。この産卵を促進させ       るためのホルモン注射を、７週間から８週間の間に、週１回、ホルモン注射をウナギ のメスとオスにすると、ウナギのメスは卵を産卵する。このウナギが産卵をした卵の 直径は、1500μmから1700μm前後である。この直径が、1500μmから1700μm前後のウ ナギの卵は、水温が25℃の場合であれば、29時間、又は30時間で、孵化をして幼生の ウナギのプレレプトセアルスとなる。このウナギのプレレプトセアルスの太さは、50 00μm前後である。この直径が、5000μm前後のウナギのプレレプトセアルスを、ワム シ14を増養殖しているタンク10の内部に、直接にウナギの幼生であるプレレプトセア ルスをタンク10の内部に入れる。そして、このウナギの幼生であるプレレプトセアル スに餌を与えるために、孵化をしたばかりの、ウナギの幼生であるプレレプトセアル スを飼育するために、ワムシ14が排泄をする糞15、又はワムシ14がクロレラ13を食べ た後の残飯で、クロレラ13の破砕物、又はワムシ14を飼料として、ウナギの幼生であ るプレレプトセアルスに、ワムシ14の糞を与える目的にて、ワムシ増養殖水槽10の内 部にて、ワムシ14を増養殖するための飼料として、クロレラ13を飼料とする。ワムシ 14を増養殖するためのタンク10の内部に、ワムシ14とクロレラ13とを混合して入れて      、ワムシ14を増養殖しているタンク10の内部に、ワムシ14の飼料となるクロレラ13を、ワムシ自動給餌機11を経由して、タンク10の内部にクロレラ13を、ワムシ自動給餌機11を経由して、ワムシ14の飼料となるクロレラ13を送り込んでいるタンク10の内部にて、ウナギの卵が孵化をして、ウナギの幼生であるプレレプトセアルスに成長をさせるために、幼生であるプレレプトセアルスに、飼料となるワムシ14がタンク10の内部にて排泄をする糞15、又はワムシ14がクロレラ13を食べた後の残飯で、クロレラ13の破砕物、又はワムシ14を飼料として与えることにより、幼生であるプレレプトセアルスから、仔魚であるレプトセアルスの、別名であるシラスウナギを飼育している概略図を、図26に示している。
【図２７】図27に示しているのは、クロマグロを陸上の産卵水槽の内部、又は産卵タンクの内部、又は養殖場の内部、又は生簀網の内部（以下、略して、産卵水槽とする）にて、産卵を促進させるためのホルモン注射をメスとオスにする。この産卵を促進させるためのホルモン注射を、７週間から８週間の間に、週１回、ホルモン注射をクロマグロのメスとオスにすると、クロマグロのメスは卵を産卵する。このクロマグロが産卵をした卵の直径は、900μmから1000μm前後である。この直径が、900μmから1000μm前後のクロマグロの卵を、ワムシ14を増養殖しているタンク10の内部に、直接にクロマグロの卵をタンク10の内部に入れる。そして、このタンク10の内部の水温を  、25℃に維持をすると、クロマグロの卵は29時間から30時間にて孵化をする。このクロマグロの卵が孵化をして、ウナギの幼生であるプレレプトセアルスに餌を与えるために、孵化をしたばかりの、クロマグロの幼生であるプレレプトセアルスを飼育するために、ワムシ14が排泄をする糞15、又はワムシ14がクロレラ13を食べた後の残飯で  、クロレラ13の破砕物、又はワムシ14を飼料として、クロマグロの幼生であるプレレプトセアルスに、ワムシ14の糞を与える目的にて、ワムシ増養殖水槽10の内部にて、ワムシ14を増養殖するための飼料として、クロレラ13を飼料とする。ワムシ14を増養殖するためのタンク10の内部に、クロレラ13を、ワムシ自動給餌機11を経由して、ワムシ14の飼料となるクロレラ13を送り込んでいるタンク10の内部にて、クロマグロの卵が孵化をして、ウナギの幼生であるプレレプトセアルスに成長をさせるために、幼生であるプレレプトセアルスに、飼料となるワムシ14がタンク10の内部にて排泄をする糞15、又はワムシ14がクロレラ13を食べた後の残飯で、クロレラ13の破砕物、又はワムシ14を飼料として与えることにより、幼生であるプレレプトセアルスから、仔魚であるレプトセアルスの、別名であるシビ仔、又はヨコワを飼育している概略図を、  図27に示している。
【図２８】図28に示しているのは、クロマグロを陸上の産卵水槽の内部、又は産卵タンクの内部、又は養殖場の内部、又は生簀網の内部（以下、略して、産卵水槽とする）にて、産卵を促進させるためのホルモン注射をメスとオスにする。この産卵を促進させるためのホルモン注射を、７週間から８週間の間に、週１回、ホルモン注射をクロマグロのメスとオスにすると、クロマグロのメスは卵を産卵する。このクロマグロ が産卵をしたあとの卵の直径は、900μmから1000μm前後である。この直径が、900μ mから1000μm前後のクロマグロの卵は、約２日位で孵化をしてクロマグロの幼生であ るプレレプトセアルスとなる。このクロマグロのプレレプトセアルスの太さは、約27 00μm以下である。この直径が、約2700μm以下のクロマグロのプレレプトセアルスを、ワムシ14を増養殖しているタンク10の内部に、直接にクロマグロの幼生であるプレ レプトセアルスをタンク10の内部に入れる。そして、このクロマグロの幼生であるプ レレプトセアルスに餌を与えるために、孵化をしたばかりの、クロマグロの幼生であ るプレレプトセアルスを飼育するために、ワムシ14が排泄をする糞15、又はワムシ14 がクロレラ13を食べた後の残飯で、クロレラ13の破砕物、又はワムシ14を飼料として、クロマグロの幼生であるプレレプトセアルスに、ワムシ14の糞を与える目的にて、 ワムシ増養殖水槽10の内部にて、ワムシ14を増養殖するための飼料として、クロレラ 13を飼料とする。ワムシ14を増養殖するためのタンク10の内部に、クロレラ13を、ワ ムシ自動給餌機11を経由して、ワムシ14の飼料となるクロレラ13を送り込んでいるタ ンク10の内部にて、クロマグロの卵が孵化をして、ウナギの幼生であるプレレプトセ アルスに成長をさせるために、幼生であるプレレプトセアルスに、飼料となるワムシ 14がタンク10の内部にて排泄をする糞15、又はワムシ14がクロレラ13を食べた後の残 飯で、クロレラ13の破砕物、又はワムシ14を飼料として与えることにより、幼生であ るプレレプトセアルスから、仔魚であるレプトセアルスの、別名であるシビ仔、又は ヨコワを飼育している概略図を、図28に示している。
【図２９】図29に示しているのは、生クロレラ自動給餌装置11（以下、略して、ワムシ自動給餌機11、又は給餌機11とする）を2台使用している。第1番目（No1）の1台は、生クロレラ自動給餌機11を使用して、ワムシ14を増養殖しているタンク10の内部に、生のクロレラ13を定量ずつ時間割して自動的に供給をして、タンク10の内部のワムシ14を生のクロレラ3を餌として増養殖しているのに、生クロレラ自動給餌機装置11を使用している。第2番目（No2）の1台は、生クロレラ自動給餌装置11である給餌機11を使用して、タンク10の内部にて生のクロレラ13を餌として増養殖をしたワムシ14を、ウナギの幼生であるプレレプトセアルス、又はクロマグロの幼生であるプレレプトセアルス、又はサケの幼生であるプレレプトセアルス（以下、略して、ウナギの幼生とする）を飼育している水槽5の内部に、タンク10の内部にて増養殖をしたワムシ14、又はワムシ14の仔ワムシ18、又はワムシ14の糞15、又はワムシ14の死骸19（以下、略して、マリンスノー19とする）、又はクロレラ13の破壊物20、又はクロレラ13の残飯21（以下、略して、マリンスノー19とする）を、ワムシ自動給餌機11を使用して、水槽5の内部に、マリンスノー19を定量ずつ時間割して自動的に供給をして、水槽5の内部にてウナギの幼生であるプレレプトセアルス、又はクロマグロの幼生であるプレレプトセアルス、又はサケの幼生であるプレレプトセアルスを飼育している概略図を、図29に示している。
【図３０】図30に示しているのは、生クロレラ自動給餌装置11（以下、略して、ワムシ自動給餌機11、又は給餌機11とする）を2台使用している。第1番目（No1）の1台は、生クロレラ自動給餌機11を使用して、ワムシ14を増養殖しているタンク10の内部に、生のクロレラ13を定量ずつ時間割して自動的に供給をして、タンク10の内部のワムシ14を生のクロレラ3を餌として増養殖しているのに、生クロレラ自動給餌機装置11を使用している。第2番目（No2）の1台は、生クロレラ自動給餌装置11である給餌機11を使用して、タンク10の内部にて生のクロレラ13を餌として増養殖をしたワムシ14を、ウナギの幼生であるプレレプトセアルス、又はクロマグロの幼生であるプレレプトセアルス、又はサケの幼生であるプレレプトセアルス（以下、略して、ウナギの幼生とする）を飼育している水槽5の内部に、タンク10の内部にて増養殖をしたワムシ14、又はワムシ14の仔ワムシ18、又はワムシ14の糞15、又はワムシ14の死骸19（以下  、略して、マリンスノー19とする）、又はクロレラ13の破壊物20、又はクロレラ13の残飯21（以下、略して、マリンスノー19とする）を、ワムシ自動給餌機11を使用して、水槽5の内部に、マリンスノー19を定量ずつ時間割して自動的に供給をして、水槽5の内部にてウナギの幼生であるプレレプトセアルス、又はクロマグロの幼生であるプレレプトセアルス、又はサケの幼生であるプレレプトセアルスを飼育している。また  、上記の図30にて説明をしている、生クロレラ自動給餌装置11「クロレラ工業株式会社の商品名はワムシわくわく」（以下、略して、ワムシわくわく11とする）。このワムシわくわく11の特徴としては、下記の1から7のような特徴がある。     ＊ワムシわくわく11の特徴    1.100L〜50ｋLまでの水槽での給餌を制御できます。    2.水槽3基を同時に制御できます。 3.連続、回分（バッチ）、流加式の培養法に対応できます。4.生クロレラは常に冷却状態で運転できます。  5.給餌ラインは給餌毎に海水で洗う為に、クロレラが変敗しません。 6.操作は毎日の給餌量をタッチパネルからマイコンに入力するだけと大変に簡単です。 7.マイコンのプログラム上の組合せによって  、6000種類以上のパターンが可能です。 使用例  連続培養：    ワムシの種株維持には連続培養を行いますが、「ワムシわくわく」を用いれば、非常に簡単な設備で培養可能です。1ml当たり1,000〜3,000個体の間で安定して培養できます。連続培養を生産培養に用いる場合は、1ｋL水槽で一日に10億程度のワムシが生産できます。回分（バッチ）培養：    生産培養で常用する回分（バッチ）培養で、「ワムシわくわく」を用いると、空気通気だけで8,000個体/ml程度まで1ｋLの水槽で培養可能です。また、間引き培養も、流加式培養も同様にワムシ個体数に応じた給餌をできるようにしています。    生クロレラの給餌量は、連続培養、回分（バッチ）培養のいずれの場合も4〜6L/10億ワムシ生産量を目安としてご使用ください。      さらに、上記の使用例にあるように、1ｋL水槽で一日に10億個程度のワムシ14の生産が出来る。また、ワムシわくわく11は、3基の水槽5を同時に制御することが出来るので、図中のタンク10の内部にて、ｋL当たり10億個程度の高密度にワムシ14を飼育することが出来る。このNo1系統のワムシわくわく11を使用してワムシ14を、タンク10の内部���て高密度に飼育をすることが出来る。さらに、水槽5の内部には、No2系統のワムシわくわく11を使用して、1ml当たり数十個体から数千個体の、極少量ずつのワムシ14を、マイコンを使用して、6,000種類以上の給餌パターンから選択をして、ウナギの幼生であるプレレプトセアルス、又はクロマグロの幼生であるプレレプトセアルス、又はサケの幼生であるプレレプトセアルスを飼育している概略図を、図30に示している。